(57)【要約】本開示の実施形態は、データ伝送方法および装置を提供する。方法は、端末デバイスのサービス要件またはアプリケーションシナリオに基づいて、端末デバイスとのデータ伝送を実行するために使用されるデータ分散方式を、ネットワークデバイス１１０によって、決定するステップであって、データ分散方式は、同じ符号ブロックのデータの、少なくとも１つの時間領域シンボル上への分散を示すために使用される、ステップと、データ分散方式に基づいて、端末デバイスとのデータ伝送を、ネットワークデバイス１１０によって、実行するステップとを含む。本出願の実施形態におけるデータ伝送方法および装置によれば、ネットワークデバイス１１０と端末デバイスとの間のデータ伝送のために使用されるデータ分散方式は、異なるサービス要件を満たすために、柔軟に構成されることが可能である。
2020512728.tif 000002
【特許請求の範囲】
【請求項１】
端末デバイスとのデータ伝送を実行するために使用されるデータ分散方式を、ネットワークデバイスによって、決定するステップであって、前記データ分散方式は、同じ符号ブロックのデータの、少なくとも１つの時間領域シンボル上への分散を示すために使用される、ステップと、
前記端末デバイスに指示情報を、前記ネットワークデバイスによって、送信するステップであって、前記指示情報は、前記データ分散方式を示すために使用される、ステップと、
前記データ分散方式に基づいて、前記端末デバイスとのデータ伝送を、前記ネットワークデバイスによって、実行するステップと
を備えるデータ伝送方法。
【請求項２】
前記データ分散方式は、時間領域非集中化方式、または時間領域集中化方式であり、前記時間領域非集中化方式は、同じ符号ブロックからのデータが、複数の時間領域シンボル上に非集中的に分散されることを示すために使用され、前記時間領域集中化方式は、同じ符号ブロックからのデータが、少なくとも１つの連続する時間領域シンボル上に集中的に分散されることを示すために使用される請求項１に記載の方法。
【請求項３】
前記時間領域集中化方式は、１つの符号ブロックにおいて、第１のデータの初期ロケーションインデックスｘ1と、第２のデータの初期ロケーションインデックスｘ2が、ｘ1＜ｘ2を満たし、前記第１のデータの時間領域シンボルインデックスｎ1と、前記第２のデータの時間領域シンボルインデックスｎ2が、ｎ1≦ｎ2を満たすことを示すために使用され、
ｘ1は、前記第１のデータの前記初期ロケーションインデックスであり、ｘ2は、前記第２のデータの前記初期ロケーションインデックスであり、ｎ1は、前記第１のデータの前記時間領域シンボルインデックスであり、ｎ2は、前記第２のデータの前記時間領域シンボルインデックスであり、
前記時間領域非集中化方式は、第１の符号ブロックが存在し、前記第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、前記第３のデータの前記初期ロケーションインデックスであり、ｘ4は、前記第４のデータの前記初期ロケーションインデックスであり、ｎ3は、前記第３のデータの前記時間領域シンボルインデックスであり、ｎ4は、前記第４のデータの前記時間領域シンボルインデックスである請求項２に記載の方法。
【請求項４】
前記時間領域集中化方式は、第１の時間領域シンボルが、少なくとも２つの第１の符号ブロックを含まず、および、前記第１の符号ブロックに属し、前記第１の時間領域シンボル上に分散されるデータの初期ロケーションインデックスの最大値が、前記第１の符号ブロックに属し、スケジューリングリソース上に分散されるデータの初期ロケーションインデックスの最大値に等しくないことを示すために使用され、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、もしくはスロットアグリゲーション後に獲得される１つのサブフレームであり、前記スケジューリングリソース内のすべての時間領域シンボルは、第１の時間領域シンボルであり、または
前記時間領域非集中化方式は、Ｑ個の符号ブロックからのデータを含む第１の時間領域シンボル上において、前記Ｑ個の符号ブロックに属する少なくとも２つの第２の符号ブロックが存在し、前記第２の符号ブロックに属し、前記第１の時間領域シンボル上に分散されるデータの初期ロケーションインデックスの最大値が、前記第２の符号ブロックに属し、前記スケジューリングリソース上に分散されるデータの初期ロケーションインデックスの最大値に等しくなく、Ｑは、１よりも大きい整数であることを示すために使用される請求項２に記載の方法。
【請求項５】
前記時間領域非集中化方式は、
同じ符号ブロックからのデータが、前記スケジューリングリソース内のすべての前記時間領域シンボル上に非集中的に分散されることを示すために使用され、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、またはスロットアグリゲーション後に獲得される１つのサブフレームである、第１の時間領域非集中化方式と、
同じ符号ブロックからのデータが、前記スケジューリングリソース内の同じスロットのすべての時間領域シンボル上に非集中的に分散されることを示すために使用される、第２の時間領域非集中化方式と、
同じ符号ブロックからのデータが、前記スケジューリングリソース内のＮ個の時間領域シンボル上に非集中的に分散されることを示すために使用され、Ｎは、１よりも大きい整数である、第３の時間領域非集中化方式と
を含む請求項２乃至４のいずれか一項に記載の方法。
【請求項６】
前記端末デバイスのサービス要件またはアプリケーションシナリオに基づいて、復調基準信号ＤＭＲＳの属性を、前記ネットワークデバイスによって、決定するステップであって、前記ＤＭＲＳ属性は、前記データ分散方式に対応しており、前記ＤＭＲＳ属性は、ＤＭＲＳパターン、ＤＭＲＳポート番号もしくはＤＭＲＳポートグループ番号、または前記ＤＭＲＳ属性が属する前記ＤＭＲＳ信号によって占有されるＯＦＤＭシンボルの量である、ステップと、
前記端末デバイスに前記ＤＭＲＳ属性を、前記ネットワークデバイスによって、送信するステップと
をさらに備える請求項１乃至５のいずれか一項に記載の方法。
【請求項７】
前記アプリケーションシナリオが、復調結果が、現在のスケジューリングリソース上においてフィードバックされる必要があるとき、前記ＤＭＲＳ属性は、前記時間領域集中化方式に対応しており、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、もしくはスロットアグリゲーション後に獲得される１つのサブフレームであり、または
前記アプリケーションシナリオが、復調結果が、現在のスケジューリングリソース上においてフィードバックされる必要がないとき、前記ＤＭＲＳ属性は、前記時間領域非集中化方式に対応している請求項６に記載の方法。
【請求項８】
前記ＤＭＲＳパターンが、前記ＤＭＲＳが、１つの時間領域シンボルを占有するとき、前記ＤＭＲＳパターンは、前記時間領域集中化方式に対応しており、または
前記ＤＭＲＳパターンが、前記ＤＭＲＳが、少なくとも２つの時間領域シンボルを占有するとき、前記ＤＭＲＳによって占有されるどの２つの時間領域シンボルの間にも、データ伝送が存在しないときは、前記ＤＭＲＳパターンは、前記時間領域集中化方式に対応しており、もしくは前記ＤＭＲＳによって占有される前記少なくとも２つの時間領域シンボルの間に、データ伝送が存在するときは、前記ＤＭＲＳ属性は、前記時間領域非集中化方式に対応している請求項６に記載の方法。
【請求項９】
前記端末デバイスのサービス要件またはアプリケーションシナリオに基づいて、データ伝送を実行するために使用されるフレーム構造を、前記ネットワークデバイスによって、決定するステップであって、前記フレーム構造は、前記データ分散方式に対応している、ステップ
をさらに備える請求項１乃至５のいずれか一項に記載の方法。
【請求項１０】
端末デバイスとのデータ伝送を実行するために使用されるデータ分散方式を、ネットワークデバイスによって、決定する前記ステップは、
前記端末デバイスとのデータ伝送を実行するために使用される前記データ分散方式として、２つ以上のデータ分散方式から１つを、前記ネットワークデバイスによって、選択するステップ
を含む請求項１乃至５のいずれか一項に記載の方法。
【請求項１１】
前記指示情報は、以下の情報、
ダウンリンク制御情報ＤＣＩ、無線リソース制御ＲＲＣシグナリング、および媒体アクセス制御ＭＡＣレイヤ制御要素ＣＥのうちのいずれか１つである請求項１に記載の方法。
【請求項１２】
前記データ分散方式においては、周波数領域マッピングが、優先的に実行され、その後、時間領域マッピングが実行され、インターリービングは実行されず、または周波数領域マッピングが、優先的に実行され、その後、時間領域マッピングが実行され、インターリービングが、周波数領域において実行される請求項１に記載の方法。
【請求項１３】
ネットワークデバイスによって送信された指示情報を、端末デバイスによって、受信するステップであって、前記指示情報は、前記端末デバイスによる前記ネットワークデバイスとのデータ伝送を実行するために使用されるデータ分散方式を示すために使用され、前記データ分散方式は、同じ符号ブロックのデータの、少なくとも１つの時間領域シンボル上への分散を示すために使用される、ステップと、
前記指示情報に従って、前記データ分散方式を、前記端末デバイスによって、決定するステップと、
前記データ分散方式に基づいて、前記ネットワークデバイスとのデータ伝送を、前記端末デバイスによって、実行するステップと
を備えるデータ伝送方法。
【請求項１４】
前記データ分散方式は、時間領域非集中化方式、または時間領域集中化方式であり、前記時間領域非集中化方式は、同じ符号ブロックからのデータが、複数の時間領域シンボル上に非集中的に分散されることを示すために使用され、前記時間領域集中化方式は、同じ符号ブロックからのデータが、少なくとも１つの連続する時間領域シンボル上に集中的に分散されることを示すために使用される請求項１３に記載の方法。
【請求項１５】
前記時間領域集中化方式は、すべての符号ブロックにおいて、初期ロケーションインデックスがｘ1＜ｘ2を満たす、第１のデータと第２のデータの時間領域シンボルインデックスが、ｎ1≦ｎ2を満たすことを示すために使用され、
ｘ1は、前記第１のデータの前記初期ロケーションインデックスであり、ｘ2は、前記第２のデータの前記初期ロケーションインデックスであり、ｎ1は、前記第１のデータの前記時間領域シンボルインデックスであり、ｎ2は、前記第２のデータの前記時間領域シンボルインデックスであり、
前記時間領域非集中化方式は、第１の符号ブロックが存在し、前記第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、前記第３のデータの前記初期ロケーションインデックスであり、ｘ4は、前記第４のデータの前記初期ロケーションインデックスであり、ｎ3は、前記第３のデータの前記時間領域シンボルインデックスであり、ｎ4は、前記第４のデータの前記時間領域シンボルインデックスである請求項１４に記載の方法。
【請求項１６】
前記時間領域集中化方式は、第１の時間領域シンボルが、少なくとも２つの第１の符号ブロックを含まず、および、前記第１の符号ブロックに属し、前記第１の時間領域シンボル上に分散されるデータの初期ロケーションインデックスの最大値が、前記第１の符号ブロックに属し、スケジューリングリソース上に分散されるデータの初期ロケーションインデックスの最大値に等しくないことを示すために使用され、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、もしくはスロットアグリゲーション後に獲得される１つのサブフレームであり、前記スケジューリングリソース内のすべての時間領域シンボルは、第１の時間領域シンボルであり、または
前記時間領域非集中化方式は、Ｑ個の符号ブロックからのデータを含む第１の時間領域シンボル上において、前記Ｑ個の符号ブロックに属する少なくとも２つの第２の符号ブロックが存在し、前記第２の符号ブロックに属し、前記第１の時間領域シンボル上に分散されるデータの初期ロケーションインデックスの最大値が、前記第２の符号ブロックに属し、前記スケジューリングリソース上に分散されるデータの初期ロケーションインデックスの最大値に等しくなく、Ｑは、１よりも大きい整数であることを示すために使用される請求項１４に記載の方法。
【請求項１７】
前記データ分散方式においては、周波数領域マッピングが、優先的に実行され、その後、時間領域マッピングが実行され、インターリービングは実行されず、または周波数領域マッピングが、優先的に実行され、その後、時間領域マッピングが実行され、インターリービングが、周波数領域において実行される請求項１３に記載の方法。
【請求項１８】
前記指示情報は、以下の情報、
ダウンリンク制御情報ＤＣＩ、無線リソース制御ＲＲＣシグナリング、および媒体アクセス制御ＭＡＣレイヤ制御要素ＣＥのうちのいずれか１つである請求項１３乃至１７のいずれか一項に記載の方法。
【請求項１９】
ネットワークデバイスによって送信された復調基準信号ＤＭＲＳの属性を、端末デバイスによって、受信するステップであって、前記ＤＭＲＳ属性は、前記データ分散方式に対応しており、前記ＤＭＲＳ属性は、ＤＭＲＳパターン、ＤＭＲＳポート番号もしくはＤＭＲＳポートグループ番号、または前記ＤＭＲＳ属性が属する前記ＤＭＲＳ信号によって占有されるＯＦＤＭシンボルの量である、ステップと、
前記ＤＭＲＳ属性に基づいて、前記ネットワークデバイスとのデータ伝送を実行するために使用されるデータ分散方式を、前記端末デバイスによって、決定するステップであって、前記データ分散方式は、同じ符号ブロックのデータの、少なくとも１つの時間領域シンボル上への分散を示すために使用される、ステップと、
前記データ分散方式に基づいて、前記ネットワークデバイスとのデータ伝送を、前記端末デバイスによって、実行するステップと
を備えるデータ伝送方法。
【請求項２０】
前記データ分散方式は、時間領域非集中化方式、または時間領域集中化方式であり、前記時間領域非集中化方式は、同じ符号ブロックからのデータが、複数の時間領域シンボル上に非集中的に分散されることを示すために使用され、前記時間領域集中化方式は、同じ符号ブロックからのデータが、少なくとも１つの連続する時間領域シンボル上に集中的に分散されることを示すために使用される請求項１９に記載の方法。
【請求項２１】
前記時間領域集中化方式は、すべての符号ブロックにおいて、初期ロケーションインデックスがｘ1＜ｘ2を満たす、第１のデータと第２のデータの時間領域シンボルインデックスが、ｎ1≦ｎ2を満たすことを示すために使用され、
ｘ1は、前記第１のデータの前記初期ロケーションインデックスであり、ｘ2は、前記第２のデータの前記初期ロケーションインデックスであり、ｎ1は、前記第１のデータの前記時間領域シンボルインデックスであり、ｎ2は、前記第２のデータの前記時間領域シンボルインデックスであり、
前記時間領域非集中化方式は、第１の符号ブロックが存在し、前記第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、前記第３のデータの前記初期ロケーションインデックスであり、ｘ4は、前記第４のデータの前記初期ロケーションインデックスであり、ｎ3は、前記第３のデータの前記時間領域シンボルインデックスであり、ｎ4は、前記第４のデータの前記時間領域シンボルインデックスである請求項２０に記載の方法。
【請求項２２】
前記時間領域集中化方式は、第１の時間領域シンボルが、少なくとも２つの第１の符号ブロックを含まず、および、前記第１の符号ブロックに属し、前記第１の時間領域シンボル上に分散されるデータの初期ロケーションインデックスの最大値が、前記第１の符号ブロックに属し、スケジューリングリソース上に分散されるデータの初期ロケーションインデックスの最大値に等しくないことを示すために使用され、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、もしくはスロットアグリゲーション後に獲得される１つのサブフレームであり、前記スケジューリングリソース内のすべての時間領域シンボルは、第１の時間領域シンボルであり、または
前記時間領域非集中化方式は、Ｑ個の符号ブロックからのデータを含む第１の時間領域シンボル上において、前記Ｑ個の符号ブロックに属する少なくとも２つの第２の符号ブロックが存在し、前記第２の符号ブロックに属し、前記第１の時間領域シンボル上に分散されるデータの初期ロケーションインデックスの最大値が、前記第２の符号ブロックに属し、前記スケジューリングリソース上に分散されるデータの初期ロケーションインデックスの最大値に等しくなく、Ｑは、１よりも大きい整数であることを示すために使用される請求項２０に記載の方法。
【請求項２３】
前記時間領域非集中化方式は、
同じ符号ブロックからのデータが、前記スケジューリングリソース内のすべての前記時間領域シンボル上に非集中的に分散されることを示すために使用され、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、またはスロットアグリゲーション後に獲得される１つのサブフレームである、第１の時間領域非集中化方式と、
同じ符号ブロックからのデータが、前記スケジューリングリソース内の同じスロットのすべての時間領域シンボル上に非集中的に分散されることを示すために使用される、第２の時間領域非集中化方式と、
同じ符号ブロックからのデータが、前記スケジューリングリソース内のＮ個の時間領域シンボル上に非集中的に分散されることを示すために使用され、Ｎは、１よりも大きい整数である、第３の時間領域非集中化方式と
を含む請求項２０乃至２２のいずれか一項に記載の方法。
【請求項２４】
フレーム構造が、復調結果が、現在のスケジューリングリソース上においてフィードバックされる必要があるとき、前記ＤＭＲＳ属性は、前記時間領域集中化方式に対応しており、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、もしくはスロットアグリゲーション後に獲得される１つのサブフレームであり、または
前記フレーム構造が、復調結果が、現在のスケジューリングリソース上においてフィードバックされる必要がないとき、前記ＤＭＲＳ属性は、前記時間領域非集中化方式に対応している請求項１９乃至２３のいずれか一項に記載の方法。
【請求項２５】
前記データ分散方式においては、周波数領域マッピングが、優先的に実行され、その後、時間領域マッピングが実行され、インターリービングは実行されず、または周波数領域マッピングが、優先的に実行され、その後、時間領域マッピングが実行され、インターリービングが、周波数領域において実行される請求項１９に記載の方法。
【請求項２６】
ネットワークデバイスとのデータ伝送を実行するために使用されるフレーム構造に基づいて、前記ネットワークデバイスとのデータ伝送を実行するために使用されるデータ分散方式を、端末デバイスによって、決定するステップであって、前記データ分散方式は、同じ符号ブロックのデータの、少なくとも１つの時間領域シンボル上への分散を示すために使用される、ステップと、
前記端末デバイスに指示情報を、前記ネットワークデバイスによって、送信するステップであって、前記指示情報は、前記データ分散方式を示すために使用される、ステップと、
前記データ分散方式に基づいて、前記ネットワークデバイスとのデータ伝送を、前記端末デバイスによって、実行するステップと
を備えるデータ伝送方法。
【請求項２７】
前記データ分散方式は、時間領域非集中化方式、または時間領域集中化方式であり、前記時間領域非集中化方式は、同じ符号ブロックからのデータが、複数の時間領域シンボル上に非集中的に分散されることを示すために使用され、前記時間領域集中化方式は、同じ符号ブロックからのデータが、少なくとも１つの連続する時間領域シンボル上に集中的に分散されることを示すために使用される請求項２６に記載の方法。
【請求項２８】
前記時間領域集中化方式は、すべての符号ブロックにおいて、初期ロケーションインデックスがｘ1＜ｘ2を満たす、第１のデータと第２のデータの時間領域シンボルインデックスが、ｎ1≦ｎ2を満たすことを示すために使用され、
ｘ1は、前記第１のデータの前記初期ロケーションインデックスであり、ｘ2は、前記第２のデータの前記初期ロケーションインデックスであり、ｎ1は、前記第１のデータの前記時間領域シンボルインデックスであり、ｎ2は、前記第２のデータの前記時間領域シンボルインデックスであり、
前記時間領域非集中化方式は、第１の符号ブロックが存在し、前記第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、前記第３のデータの前記初期ロケーションインデックスであり、ｘ4は、前記第４のデータの前記初期ロケーションインデックスであり、ｎ3は、前記第３のデータの前記時間領域シンボルインデックスであり、ｎ4は、前記第４のデータの前記時間領域シンボルインデックスである請求項２７に記載の方法。
【請求項２９】
前記時間領域集中化方式は、第１の時間領域シンボルが、少なくとも２つの第１の符号ブロックを含まず、および、前記第１の符号ブロックに属し、前記第１の時間領域シンボル上に分散されるデータの初期ロケーションインデックスの最大値が、前記第１の符号ブロックに属し、スケジューリングリソース上に分散されるデータの初期ロケーションインデックスの最大値に等しくないことを示すために使用され、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、もしくはスロットアグリゲーション後に獲得される１つのサブフレームであり、前記スケジューリングリソース内のすべての時間領域シンボルは、第１の時間領域シンボルであり、または
前記時間領域非集中化方式は、Ｑ個の符号ブロックからのデータを含む第１の時間領域シンボル上において、前記Ｑ個の符号ブロックに属する少なくとも２つの第２の符号ブロックが存在し、前記第２の符号ブロックに属し、前記第１の時間領域シンボル上に分散されるデータの初期ロケーションインデックスの最大値が、前記第２の符号ブロックに属し、前記スケジューリングリソース上に分散されるデータの初期ロケーションインデックスの最大値に等しくなく、Ｑは、１よりも大きい整数であることを示すために使用される請求項２７に記載の方法。
【請求項３０】
前記時間領域非集中化方式は、
同じ符号ブロックからのデータが、前記スケジューリングリソース内のすべての前記時間領域シンボル上に非集中的に分散されることを示すために使用され、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、またはスロットアグリゲーション後に獲得される１つのサブフレームである、第１の時間領域非集中化方式と、
同じ符号ブロックからのデータが、前記スケジューリングリソース内の同じスロットのすべての時間領域シンボル上に非集中的に分散されることを示すために使用される、第２の時間領域非集中化方式と、
同じ符号ブロックからのデータが、前記スケジューリングリソース内のＮ個の時間領域シンボル上に非集中的に分散されることを示すために使用され、Ｎは、１よりも大きい整数である、第３の時間領域非集中化方式と
を含む請求項２７乃至２９のいずれか一項に記載の方法。
【請求項３１】
前記データ分散方式においては、周波数領域マッピングが、優先的に実行され、その後、時間領域マッピングが実行され、インターリービングは実行されず、または周波数領域マッピングが、優先的に実行され、その後、時間領域マッピングが実行され、インターリービングが、周波数領域において実行される請求項２６に記載の方法。
【請求項３２】
端末デバイスとのデータ伝送を実行するために使用されるデータ分散方式を決定するように構成された、決定ユニットであって、前記データ分散方式は、同じ符号ブロックのデータの、少なくとも１つの時間領域シンボル上への分散を示すために使用される、決定ユニットと、
前記端末デバイスに指示情報を送信するように構成された、伝送ユニットであって、前記指示情報は、前記データ分散方式を示すために使用され、前記データ分散方式に基づいて、前記端末デバイスとのデータ伝送を実行するように構成された、伝送ユニットと
を備えたデータ伝送装置。
【請求項３３】
前記データ分散方式は、時間領域非集中化方式、または時間領域集中化方式であり、前記時間領域非集中化方式は、同じ符号ブロックからのデータが、複数の時間領域シンボル上に非集中的に分散されることを示すために使用され、前記時間領域集中化方式は、同じ符号ブロックからのデータが、少なくとも１つの連続する時間領域シンボル上に集中的に分散されることを示すために使用される請求項３２に記載の装置。
【請求項３４】
前記時間領域集中化方式は、すべての符号ブロックにおいて、初期ロケーションインデックスがｘ1＜ｘ2を満たす、第１のデータと第２のデータの時間領域シンボルインデックスが、ｎ1≦ｎ2を満たすことを示すために使用され、
ｘ1は、前記第１のデータの前記初期ロケーションインデックスであり、ｘ2は、前記第２のデータの前記初期ロケーションインデックスであり、ｎ1は、前記第１のデータの前記時間領域シンボルインデックスであり、ｎ2は、前記第２のデータの前記時間領域シンボルインデックスであり、
前記時間領域非集中化方式は、第１の符号ブロックが存在し、前記第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、前記第３のデータの前記初期ロケーションインデックスであり、ｘ4は、前記第４のデータの前記初期ロケーションインデックスであり、ｎ3は、前記第３のデータの前記時間領域シンボルインデックスであり、ｎ4は、前記第４のデータの前記時間領域シンボルインデックスである請求項３３に記載の装置。
【請求項３５】
前記時間領域集中化方式は、第１の時間領域シンボルが、少なくとも２つの第１の符号ブロックを含まず、および、前記第１の符号ブロックに属し、前記第１の時間領域シンボル上に分散されるデータの初期ロケーションインデックスの最大値が、前記第１の符号ブロックに属し、スケジューリングリソース上に分散されるデータの初期ロケーションインデックスの最大値に等しくないことを示すために使用され、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、もしくはスロットアグリゲーション後に獲得される１つのサブフレームであり、前記スケジューリングリソース内のすべての時間領域シンボルは、第１の時間領域シンボルであり、または
前記時間領域非集中化方式は、Ｑ個の符号ブロックからのデータを含む第１の時間領域シンボル上において、前記Ｑ個の符号ブロックに属する少なくとも２つの第２の符号ブロックが存在し、前記第２の符号ブロックに属し、前記第１の時間領域シンボル上に分散されるデータの初期ロケーションインデックスの最大値が、前記第２の符号ブロックに属し、前記スケジューリングリソース上に分散されるデータの初期ロケーションインデックスの最大値に等しくなく、Ｑは、１よりも大きい整数であることを示すために使用される請求項３３に記載の装置。
【請求項３６】
前記時間領域非集中化方式は、
同じ符号ブロックからのデータが、前記スケジューリングリソース内のすべての前記時間領域シンボル上に非集中的に分散されることを示すために使用され、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、またはスロットアグリゲーション後に獲得される１つのサブフレームである、第１の時間領域非集中化方式と、
同じ符号ブロックからのデータが、前記スケジューリングリソース内の同じスロットのすべての時間領域シンボル上に非集中的に分散されることを示すために使用される、第２の時間領域非集中化方式と、
同じ符号ブロックからのデータが、前記スケジューリングリソース内のＮ個の時間領域シンボル上に非集中的に分散されることを示すために使用され、Ｎは、１よりも大きい整数である、第３の時間領域非集中化方式と
を含む請求項３３乃至３５のいずれか一項に記載の装置。
【請求項３７】
前記決定ユニットは、
前記端末デバイスのサービス要件またはアプリケーションシナリオに基づいて、復調基準信号ＤＭＲＳの属性を決定するようにさらに構成され、前記ＤＭＲＳ属性は、前記データ分散方式に対応しており、前記ＤＭＲＳ属性は、ＤＭＲＳパターン、ＤＭＲＳポート番号もしくはＤＭＲＳポートグループ番号、または前記ＤＭＲＳ属性が属する前記ＤＭＲＳ信号によって占有されるＯＦＤＭシンボルの量であり、
前記伝送ユニットは、
前記端末デバイスに前記ＤＭＲＳ属性を送信するようにさらに構成される請求項３２乃至３６のいずれか一項に記載の装置。
【請求項３８】
前記アプリケーションシナリオが、復調結果が、現在のスケジューリングリソース上においてフィードバックされる必要があるとき、前記ＤＭＲＳ属性は、前記時間領域集中化方式に対応しており、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、もしくはスロットアグリゲーション後に獲得される１つのサブフレームであり、または
前記アプリケーションシナリオが、復調結果が、現在のスケジューリングリソース上においてフィードバックされる必要がないとき、前記ＤＭＲＳ属性は、前記時間領域非集中化方式に対応している請求項３７に記載の装置。
【請求項３９】
前記ＤＭＲＳパターンが、前記ＤＭＲＳが、１つの時間領域シンボルを占有するとき、前記ＤＭＲＳパターンは、前記時間領域集中化方式に対応しており、または
前記ＤＭＲＳパターンが、前記ＤＭＲＳが、少なくとも２つの時間領域シンボルを占有するとき、前記ＤＭＲＳによって占有されるどの２つの時間領域シンボルの間にも、データ伝送が存在しないときは、前記ＤＭＲＳパターンは、前記時間領域集中化方式に対応しており、もしくは前記ＤＭＲＳによって占有される前記少なくとも２つの時間領域シンボルの間に、データ伝送が存在するときは、前記ＤＭＲＳ属性は、前記時間領域非集中化方式に対応している請求項３７に記載の装置。
【請求項４０】
前記決定ユニットは、
前記端末デバイスのサービス要件またはアプリケーションシナリオに基づいて、データ伝送を実行するために使用されるフレーム構造を決定するようにさらに構成され、前記フレーム構造は、前記データ分散方式に対応している請求項３２乃至３６のいずれか一項に記載の装置。
【請求項４１】
前記端末デバイスの前記フレーム構造が、復調結果が、現在のスケジューリングリソース上においてフィードバックされる必要があるとき、前記フレーム構造は、前記時間領域集中化方式に対応しており、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、もしくはスロットアグリゲーション後に獲得される１つのサブフレームであり、または
前記端末デバイスの前記フレーム構造が、復調結果が、現在のスケジューリングリソース上においてフィードバックされる必要がないとき、前記フレーム構造は、前記時間領域非集中化方式に対応している請求項４０に記載の装置。
【請求項４２】
前記指示情報は、以下の情報、
ダウンリンク制御情報ＤＣＩ、無線リソース制御ＲＲＣシグナリング、および媒体アクセス制御ＭＡＣレイヤ制御要素ＣＥのうちのいずれか１つである請求項３２乃至３６のいずれか一項に記載の装置。
【請求項４３】
前記データ分散方式においては、周波数領域マッピングが、優先的に実行され、その後、時間領域マッピングが実行され、インターリービングは実行されず、または周波数領域マッピングが、優先的に実行され、その後、時間領域マッピングが実行され、インターリービングが、周波数領域において実行される請求項３２に記載の装置。
【請求項４４】
ネットワークデバイスによって送信された指示情報を受信するように構成された、伝送ユニットであって、前記指示情報は、端末デバイスによる前記ネットワークデバイスとのデータ伝送を実行するために使用されるデータ分散方式を示すために使用され、前記データ分散方式は、同じ符号ブロックのデータの、少なくとも１つの時間領域シンボル上への分散を示すために使用される、伝送ユニットと、
前記指示情報に従って、前記データ分散方式を決定するように構成された、決定ユニットとを備え、
前記伝送ユニットは、
前記データ分散方式に基づいて、前記ネットワークデバイスとのデータ伝送を実行するようにさらに構成されたデータ伝送装置。
【請求項４５】
前記データ分散方式は、時間領域非集中化方式、または時間領域集中化方式であり、前記時間領域非集中化方式は、同じ符号ブロックからのデータが、複数の時間領域シンボル上に非集中的に分散されることを示すために使用され、前記時間領域集中化方式は、同じ符号ブロックからのデータが、少なくとも１つの連続する時間領域シンボル上に集中的に分散されることを示すために使用される請求項４４に記載の装置。
【請求項４６】
前記時間領域集中化方式は、すべての符号ブロックにおいて、初期ロケーションインデックスがｘ1＜ｘ2を満たす、第１のデータと第２のデータの時間領域シンボルインデックスが、ｎ1≦ｎ2を満たすことを示すために使用され、
ｘ1は、前記第１のデータの前記初期ロケーションインデックスであり、ｘ2は、前記第２のデータの前記初期ロケーションインデックスであり、ｎ1は、前記第１のデータの前記時間領域シンボルインデックスであり、ｎ2は、前記第２のデータの前記時間領域シンボルインデックスであり、
前記時間領域非集中化方式は、第１の符号ブロックが存在し、前記第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、前記第３のデータの前記初期ロケーションインデックスであり、ｘ4は、前記第４のデータの前記初期ロケーションインデックスであり、ｎ3は、前記第３のデータの前記時間領域シンボルインデックスであり、ｎ4は、前記第４のデータの前記時間領域シンボルインデックスである請求項４５に記載の装置。
【請求項４７】
前記時間領域集中化方式は、第１の時間領域シンボルが、少なくとも２つの第１の符号ブロックを含まず、および、前記第１の符号ブロックに属し、前記第１の時間領域シンボル上に分散されるデータの初期ロケーションインデックスの最大値が、前記第１の符号ブロックに属し、スケジューリングリソース上に分散されるデータの初期ロケーションインデックスの最大値に等しくないことを示すために使用され、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、もしくはスロットアグリゲーション後に獲得される１つのサブフレームであり、前記スケジューリングリソース内のすべての時間領域シンボルは、第１の時間領域シンボルであり、または
前記時間領域非集中化方式は、Ｑ個の符号ブロックからのデータを含む第１の時間領域シンボル上において、前記Ｑ個の符号ブロックに属する少なくとも２つの第２の符号ブロックが存在し、前記第２の符号ブロックに属し、前記第１の時間領域シンボル上に分散されるデータの初期ロケーションインデックスの最大値が、前記第２の符号ブロックに属し、前記スケジューリングリソース上に分散されるデータの初期ロケーションインデックスの最大値に等しくなく、Ｑは、１よりも大きい整数であることを示すために使用される請求項４５に記載の装置。
【請求項４８】
前記データ分散方式においては、周波数領域マッピングが、優先的に実行され、その後、時間領域マッピングが実行され、インターリービングは実行されず、または周波数領域マッピングが、優先的に実行され、その後、時間領域マッピングが実行され、インターリービングが、周波数領域において実行される請求項４５乃至４７のいずれか一項に記載の装置。
【請求項４９】
前記指示情報は、以下の情報、
ダウンリンク制御情報ＤＣＩ、無線リソース制御ＲＲＣシグナリング、および媒体アクセス制御ＭＡＣレイヤ制御要素ＣＥのうちのいずれか１つである請求項４４乃至４８のいずれか一項に記載の装置。
【請求項５０】
ネットワークデバイスによって送信された復調基準信号ＤＭＲＳの属性を受信するようにさらに構成された、伝送ユニットであって、前記ＤＭＲＳ属性は、前記データ分散方式に対応しており、前記ＤＭＲＳ属性は、ＤＭＲＳパターン、ＤＭＲＳポート番号もしくはＤＭＲＳポートグループ番号、または前記ＤＭＲＳ属性が属する前記ＤＭＲＳ信号によって占有されるＯＦＤＭシンボルの量である、伝送ユニットと、
前記ＤＭＲＳ属性に基づいて、前記ネットワークデバイスとのデータ伝送を実行するために使用されるデータ分散方式を決定するように構成された、決定ユニットであって、前記データ分散方式は、同じ符号ブロックのデータの、少なくとも１つの時間領域シンボル上への分散を示すために使用される、決定ユニットとを備え、
前記伝送ユニットは、
前記データ分散方式に基づいて、前記ネットワークデバイスとのデータ伝送を実行するようにさらに構成されたデータ伝送装置。
【請求項５１】
前記データ分散方式は、時間領域非集中化方式、または時間領域集中化方式であり、前記時間領域非集中化方式は、同じ符号ブロックからのデータが、複数の時間領域シンボル上に非集中的に分散されることを示すために使用され、前記時間領域集中化方式は、同じ符号ブロックからのデータが、少なくとも１つの連続する時間領域シンボル上に集中的に分散されることを示すために使用される請求項５０に記載の装置。
【請求項５２】
前記時間領域集中化方式は、すべての符号ブロックにおいて、初期ロケーションインデックスがｘ1＜ｘ2を満たす、第１のデータと第２のデータの時間領域シンボルインデックスが、ｎ1≦ｎ2を満たすことを示すために使用され、
ｘ1は、前記第１のデータの前記初期ロケーションインデックスであり、ｘ2は、前記第２のデータの前記初期ロケーションインデックスであり、ｎ1は、前記第１のデータの前記時間領域シンボルインデックスであり、ｎ2は、前記第２のデータの前記時間領域シンボルインデックスであり、
前記時間領域非集中化方式は、第１の符号ブロックが存在し、前記第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、前記第３のデータの前記初期ロケーションインデックスであり、ｘ4は、前記第４のデータの前記初期ロケーションインデックスであり、ｎ3は、前記第３のデータの前記時間領域シンボルインデックスであり、ｎ4は、前記第４のデータの前記時間領域シンボルインデックスである請求項５１に記載の装置。
【請求項５３】
前記時間領域集中化方式は、第１の時間領域シンボルが、少なくとも２つの第１の符号ブロックを含まず、および、前記第１の符号ブロックに属し、前記第１の時間領域シンボル上に分散されるデータの初期ロケーションインデックスの最大値が、前記第１の符号ブロックに属し、スケジューリングリソース上に分散されるデータの初期ロケーションインデックスの最大値に等しくないことを示すために使用され、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、もしくはスロットアグリゲーション後に獲得される１つのサブフレームであり、前記スケジューリングリソース内のすべての時間領域シンボルは、第１の時間領域シンボルであり、または
前記時間領域非集中化方式は、Ｑ個の符号ブロックからのデータを含む第１の時間領域シンボル上において、前記Ｑ個の符号ブロックに属する少なくとも２つの第２の符号ブロックが存在し、前記第２の符号ブロックに属し、前記第１の時間領域シンボル上に分散されるデータの初期ロケーションインデックスの最大値が、前記第２の符号ブロックに属し、前記スケジューリングリソース上に分散されるデータの初期ロケーションインデックスの最大値に等しくなく、Ｑは、１よりも大きい整数であることを示すために使用される請求項５１に記載の装置。
【請求項５４】
前記時間領域非集中化方式は、
同じ符号ブロックからのデータが、前記スケジューリングリソース内のすべての前記時間領域シンボル上に非集中的に分散されることを示すために使用され、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、またはスロットアグリゲーション後に獲得される１つのサブフレームである、第１の時間領域非集中化方式と、
同じ符号ブロックからのデータが、前記スケジューリングリソース内の同じスロットのすべての時間領域シンボル上に非集中的に分散されることを示すために使用される、第２の時間領域非集中化方式と、
同じ符号ブロックからのデータが、前記スケジューリングリソース内のＮ個の時間領域シンボル上に非集中的に分散されることを示すために使用され、Ｎは、１よりも大きい整数である、第３の時間領域非集中化方式とを含む請求項５１乃至５３のいずれか一項に記載の装置。
【請求項５５】
フレーム構造が、復調結果が、現在のスケジューリングリソース上においてフィードバックされる必要があるとき、前記ＤＭＲＳ属性は、前記時間領域集中化方式に対応しており、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、もしくはスロットアグリゲーション後に獲得される１つのサブフレームであり、または
前記フレーム構造が、復調結果が、現在のスケジューリングリソース上においてフィードバックされる必要がないとき、前記ＤＭＲＳ属性は、前記時間領域非集中化方式に対応している請求項５２乃至５４のいずれか一項に記載の装置。
【請求項５６】
前記ＤＭＲＳパターンが、前記ＤＭＲＳが、１つの時間領域シンボルを占有するとき、前記ＤＭＲＳパターンは、前記時間領域集中化方式に対応しており、または
前記ＤＭＲＳパターンが、前記ＤＭＲＳが、少なくとも２つの時間領域シンボルを占有するとき、前記ＤＭＲＳによって占有されるどの２つの時間領域シンボルの間にも、データ伝送が存在しないときは、前記ＤＭＲＳパターンは、前記時間領域集中化方式に対応しており、もしくは前記ＤＭＲＳによって占有される前記少なくとも２つの時間領域シンボルの間に、データ伝送が存在するときは、前記ＤＭＲＳ属性は、前記時間領域非集中化方式に対応している請求項５２乃至５４のいずれか一項に記載の装置。
【請求項５７】
ネットワークデバイスとのデータ伝送を実行するために使用されるフレーム構造に基づいて、前記ネットワークデバイスとのデータ伝送を実行するために使用されるデータ分散方式を決定するように構成された、決定ユニットであって、前記データ分散方式は、同じ符号ブロックのデータの、少なくとも１つの時間領域シンボル上への分散を示すために使用される、決定ユニットと、
前記データ分散方式に基づいて、前記ネットワークデバイスとのデータ伝送を実行するように構成された、伝送ユニットと
を備えたデータ伝送装置。
【請求項５８】
前記データ分散方式は、時間領域非集中化方式、または時間領域集中化方式であり、前記時間領域非集中化方式は、同じ符号ブロックからのデータが、複数の時間領域シンボル上に非集中的に分散されることを示すために使用され、前記時間領域集中化方式は、同じ符号ブロックからのデータが、少なくとも１つの連続する時間領域シンボル上に集中的に分散されることを示すために使用される請求項５７に記載の装置。
【請求項５９】
前記時間領域集中化方式は、すべての符号ブロックにおいて、初期ロケーションインデックスがｘ1＜ｘ2を満たす、第１のデータと第２のデータの時間領域シンボルインデックスが、ｎ1≦ｎ2を満たすことを示すために使用され、
ｘ1は、前記第１のデータの前記初期ロケーションインデックスであり、ｘ2は、前記第２のデータの前記初期ロケーションインデックスであり、ｎ1は、前記第１のデータの前記時間領域シンボルインデックスであり、ｎ2は、前記第２のデータの前記時間領域シンボルインデックスであり、
前記時間領域非集中化方式は、第１の符号ブロックが存在し、前記第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、前記第３のデータの前記初期ロケーションインデックスであり、ｘ4は、前記第４のデータの前記初期ロケーションインデックスであり、ｎ3は、前記第３のデータの前記時間領域シンボルインデックスであり、ｎ4は、前記第４のデータの前記時間領域シンボルインデックスである請求項５８に記載の装置。
【請求項６０】
前記時間領域集中化方式は、第１の時間領域シンボルが、少なくとも２つの第１の符号ブロックを含まず、および、前記第１の符号ブロックに属し、前記第１の時間領域シンボル上に分散されるデータの初期ロケーションインデックスの最大値が、前記第１の符号ブロックに属し、スケジューリングリソース上に分散されるデータの初期ロケーションインデックスの最大値に等しくないことを示すために使用され、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、もしくはスロットアグリゲーション後に獲得される１つのサブフレームであり、前記スケジューリングリソース内のすべての時間領域シンボルは、第１の時間領域シンボルであり、または
前記時間領域非集中化方式は、Ｑ個の符号ブロックからのデータを含む第１の時間領域シンボル上において、前記Ｑ個の符号ブロックに属する少なくとも２つの第２の符号ブロックが存在し、前記第２の符号ブロックに属し、前記第１の時間領域シンボル上に分散されるデータの初期ロケーションインデックスの最大値が、前記第２の符号ブロックに属し、前記スケジューリングリソース上に分散されるデータの初期ロケーションインデックスの最大値に等しくなく、Ｑは、１よりも大きい整数であることを示すために使用される請求項５８に記載の装置。
【請求項６１】
前記時間領域非集中化方式は、
同じ符号ブロックからのデータが、前記スケジューリングリソース内のすべての前記時間領域シンボル上に非集中的に分散されることを示すために使用され、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、またはスロットアグリゲーション後に獲得される１つのサブフレームである、第１の時間領域非集中化方式と、
同じ符号ブロックからのデータが、前記スケジューリングリソース内の同じスロットのすべての時間領域シンボル上に非集中的に分散されることを示すために使用される、第２の時間領域非集中化方式と、
同じ符号ブロックからのデータが、前記スケジューリングリソース内のＮ個の時間領域シンボル上に非集中的に分散されることを示すために使用され、Ｎは、１よりも大きい整数である、第３の時間領域非集中化方式とを含む請求項５８乃至６０のいずれか一項に記載の装置。
【請求項６２】
端末デバイスのフレーム構造が、復調結果が、現在のスケジューリングリソース上においてフィードバックされる必要があるとき、前記フレーム構造は、前記時間領域集中化方式に対応しており、前記スケジューリングリソースは、周波数領域においては、いくつかのサブキャリアを含み、時間領域においては、複数のＯＦＤＭシンボルを含み、前記複数のＯＦＤＭシンボルは、１つのサブフレーム、１つのスロット、もしくはスロットアグリゲーション後に獲得される１つのサブフレームであり、または
前記端末デバイスの前記フレーム構造が、復調結果が、現在のスケジューリングリソース上においてフィードバックされる必要がないとき、前記フレーム構造は、前記時間領域非集中化方式に対応している請求項５７乃至６１のいずれか一項に記載の装置。
【請求項６３】
送受信機と、
命令を記憶するように構成されたメモリと、
前記メモリ内に記憶された前記命令を実行し、前記送受信機を制御して、信号を送信および受信し、請求項１乃至１２のいずれか一項に記載の方法を実行するように構成されたプロセッサと
を備えるデータ伝送装置。
【請求項６４】
送受信機と、
命令を記憶するように構成されたメモリと、
前記メモリ内に記憶された前記命令を実行し、前記送受信機を制御して、信号を送信および受信し、請求項１３乃至１８のいずれか一項に記載の方法を実行するように構成されたプロセッサと
を備えるデータ伝送装置。
【請求項６５】
請求項１乃至１２のいずれか一項に記載の方法を実行するように構成された回路。
【請求項６６】
請求項１３乃至１８のいずれか一項に記載の方法を実行するように構成された回路。
【請求項６７】
請求項１乃至１２のいずれか一項に記載の方法を実行するための命令を含む、コンピュータプログラムを記憶するように構成されたコンピュータ可読媒体。
【請求項６８】
請求項１３乃至１８のいずれか一項に記載の方法を実行するための命令を含む、コンピュータプログラムを記憶するように構成されたコンピュータ可読媒体。
【発明の詳細な説明】
【技術分野】
【０００１】
本出願の実施形態は、通信分野に関し、詳細には、通信分野におけるデータ伝送方法および装置に関する。
【背景技術】
【０００２】
データ伝送中、送信端は、上位レイヤからの送信されるデータに対してチャネル符号化を実行して、符号ブロック（code block、ＣＢ）を形成し、異なるＣＢを組み合わせ、組み合わされたＣＢを変調することによって変調シンボルを生成し、変調シンボルに対してレイヤマッピングを実行し、レイヤマッピング後に獲得された変調シンボルに対してプリコーディングを実行し、最後に、送信されるデータを送信用の対応する時間−周波数リソースおよびアンテナポートにマッピングする必要がある。
【０００３】
先行技術においては、データ分散方式が、使用され、例えば、変調を通して生成された変調シンボルは、最初に、レイヤにマッピングされ、次に、周波数領域にマッピングされ、最後に、時間領域にマッピングされ、マッピング処理において、インターリービングが、実行される。マッピング後のデータ分散は、同じＣＢのデータが、周波数領域においては非集中的に分散され、時間領域においては集中的に分散される。無線伝送性能を改善するために、そのようなデータ分散方式を研究し、改善する余地が、まだ存在する。
【発明の概要】
【０００４】
本出願の実施形態におけるデータ伝送方法および装置に従うと、ネットワークデバイスと端末デバイスとの間のデータ伝送のために使用されるデータ分散方式は、異なるサービス要件を満たすために、柔軟に構成されることが可能である。
【０００５】
第１の態様に従うと、端末デバイスとのデータ伝送を実行するために使用されるデータ分散方式を、ネットワークデバイスによって、決定するステップであって、データ分散方式は、同じ符号ブロックのデータの、少なくとも１つの時間領域シンボル上への分散を示すために使用される、ステップと、データ分散方式に基づいて、端末デバイスとのデータ伝送を、ネットワークデバイスによって、実行するステップとを含む、データ伝送方法が提供される。
【０００６】
特に、端末デバイスとのデータ伝送を実行する前に、ネットワークデバイスは、最初に、端末デバイスのサービス要件またはアプリケーションシナリオに基づいて、同じ符号ブロックのデータの、少なくとも１つの時間領域シンボル上への分散を示すために使用される、データ分散方式を決定し得、ネットワークデバイスは、データ分散方式に基づいて、端末デバイスとのデータ伝送を実行し得る。例えば、ネットワークデバイスが、送信端であるとき、ネットワークデバイスは、データ分散方式に基づいて、送信されるデータを処理し、その後、処理されたデータを端末デバイスに送信し得る。ネットワークデバイスが、受信端であるとき、ネットワークデバイスは、時間−周波数リソース上のデータを正確に獲得するために、データ分散方式に基づいて、端末デバイスによって送信されたデータの分散を決定し得る。
【０００７】
したがって、ネットワークデバイスは、送信端または受信端として機能し得る。ネットワークデバイスが、送信端として機能するとき、端末デバイスは、受信端であり、ネットワークデバイスが、受信端として機能するとき、端末デバイスは、送信端である。方法は、ネットワークデバイスと端末デバイスとの間のアップリンク送信に適用され得、ネットワークデバイスと端末デバイスとの間のダウンリンク送信に適用され得る。本出願のこの実施形態においては、これは、限定的ではない。
【０００８】
本出願のこの実施形態におけるデータ伝送方法に従うと、ネットワークデバイスは、受信端の異なるサービス要件を満たすために、ネットワークデバイスと端末デバイスとの間のデータ伝送のためのデータ分散方式が、柔軟に構成されることが可能なように、異なるサービス要件またはアプリケーションシナリオに基づいて、データ分散方式を決定する。
【０００９】
第１の態様の第１の可能な実装においては、データ分散方式は、時間領域非集中化方式、または時間領域集中化方式であり、時間領域非集中化方式は、同じ符号ブロックからのデータが、複数の時間領域シンボル上に非集中的に分散されることを示すために使用され、時間領域集中化方式は、同じ符号ブロックからのデータが、少なくとも１つの連続する時間領域シンボル上に集中的に分散されることを示すために使用される。時間領域集中化された分散方式１は、周波数領域マッピングを優先的に実行し、その後、時間領域マッピングを実行し、インターリービングを含まない方式を使用する。時間領域集中化された分散方式２は、時間領域集中化された分散方式１に基づいて、周波数領域インターリービングを実行する。
【００１０】
特に、データ分散方式は、時間領域非集中化方式、または時間領域集中化方式であり得る。時間領域非集中化方式は、同じ符号ブロックからのデータが、時間領域において非集中的に分散されることを示し、時間領域集中化方式は、同じ符号ブロックからのデータが、時間領域において集中的に分散されることを示す。受信端は、データが高速に復調される必要があるアプリケーションシナリオを満たすために、時間領域集中化方式で分散されたデータに対して高速復調を実行し得る。時間領域非集中化方式で分散されたデータについては、伝送信頼性が、より高く、伝送性能が、より良好である。時間領域非集中化された分散方式１においては、時間領域マッピングを優先的に実行し、その後、周波数領域マッピングを実行する方式が使用され、その後、時間領域インターリービングが、実行される。周波数領域マッピングを優先的に実行し、その後、時間領域マッピングを実行する方式が使用され、時間−周波数インターリービングが実行されるとき、それは、時間領域非集中化された分散方式２を示す。時間領域マッピングを優先的に実行し、その後、周波数領域マッピングを実行する方式が使用され、インターリービングが実行されないとき、それは、時間領域非集中化された分散方式３を示す。時間領域マッピングを優先的に実行し、その後、周波数領域マッピングを実行する方式が使用され、周波数領域インターリービングが実行されるとき、それは、時間領域非集中化された分散方式４を示す。時間領域マッピングを優先的に実行し、その後、周波数領域マッピングを実行する方式が使用され、時間領域インターリービングが実行されるとき、それは、時間領域非集中化された分散方式５を示す。時間領域マッピングを優先的に実行し、その後、周波数領域マッピングを実行する方式が使用され、時間−周波数インターリービング実行される場合、それは、時間領域非集中化された分散方式６を示す。
【００１１】
時間領域集中化方式においては、同じＣＢのデータは、優先的に、１つの時間領域シンボル上に分散されることが理解されるべきである。１つの時間領域シンボルでは十分でないときは、ＣＢの残りのデータは、隣接する時間領域シンボル上に配置され、以降も同様である。したがって、時間領域集中化方式が使用されるとき、同じＣＢのデータは、少なくとも１つの連続する時間領域シンボル上に分散される。時間領域非集中化方式においては、同じＣＢのデータは、非集中的に配置される必要があるが、同じＣＢからのデータは、すべての利用可能な時間領域シンボルに非集中化されなくてよい。例えば、全部で１０個の利用可能な時間領域シンボルが存在し、１つのＣＢは、３つの時間領域シンボル、５つの時間領域シンボル、または８つの時間領域シンボル上だけに非集中的に配置され得る。これは、本出願のこの実施形態における時間領域非集中化方式に当てはまるべきである。
【００１２】
データ分散方式は、時間領域における同じＣＢからのデータの最終的な分散だけを反映することがさらに理解されるべきである。本出願のこの実施形態は、周波数領域および空間領域におけるデータの分散に対しては、限定を課さない。例えば、時間領域における送信されるデータの分散方式が、時間領域非集中化方式であるとき、同じＣＢからのデータは、空間および／または周波数領域においては、非集中的または集中的に分散され得る。時間領域集中化方式のケースも、同じである。本出願のこの実施形態においては、これは、限定的ではない。
【００１３】
第１の態様の別の可能な実装においては、時間領域集中化方式は、すべての符号ブロックにおいて、初期ロケーションインデックスがｘ1＜ｘ2を満たす、第１のデータと第２のデータの時間領域シンボルインデックスが、ｎ1≦ｎ2を満たすことを示すために使用され、
ｘ1は、第１のデータの初期ロケーションインデックスであり、ｘ2は、第２のデータの初期ロケーションインデックスであり、ｎ1は、第１のデータの時間領域シンボルインデックスであり、ｎ2は、第２のデータの時間領域シンボルインデックスであり、
時間領域非集中化方式は、第１の符号ブロックが存在し、第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、第３のデータの初期ロケーションインデックスであり、ｘ4は、第４のデータの初期ロケーションインデックスであり、ｎ3は、第３のデータの時間領域シンボルインデックスであり、ｎ4は、第４のデータの時間領域シンボルインデックスである。
【００１４】
第１の態様の別の可能な実装においては、時間領域集中化方式は、第１の時間領域シンボルが、少なくとも２つの第１の符号ブロックを含まず、および、第１の符号ブロックに属し、第１の時間領域シンボル上に分散されるデータの初期ロケーションインデックスの最大値が、第１の符号ブロックに属し、リソースユニット上に分散されるデータの初期ロケーションインデックスの最大値に等しくないことを示すために使用され、リソースユニットは、スケジュールされたユーザに対するリソース割り当てを実行するために使用される基本ユニットであり、リソースユニット内のすべての時間領域シンボルは、第１の時間領域シンボルであり、または
時間領域非集中化方式は、Ｑ個の符号ブロックからのデータを含む第１の時間領域シンボル上において、Ｑ個の符号ブロックに属する少なくとも２つの第２の符号ブロックが存在し、第２の符号ブロックに属し、第１の時間領域シンボル上に分散されるデータの初期ロケーションインデックスの最大値が、第２の符号ブロックに属し、リソースユニット上に分散されるデータの初期ロケーションインデックスの最大値に等しくなく、Ｑは、１よりも大きい整数であることを示すために使用される。
【００１５】
第１の態様の別の可能な実装においては、時間領域非集中化方式は、
同じ符号ブロックからのデータが、リソースユニット内のすべての時間領域シンボル上に非集中的に分散されることを示すために使用され、リソースユニットは、スケジュールされたユーザに対するリソース割り当てを実行するために使用される基本ユニットである、第１の時間領域非集中化方式と、
同じ符号ブロックからのデータが、リソースユニット内の同じスロットのすべての時間領域シンボル上に非集中的に分散されることを示すために使用される、第２の時間領域非集中化方式と、
同じ符号ブロックからのデータが、リソースユニット内のＮ個の時間領域シンボル上に非集中的に分散されることを示すために使用され、Ｎは、１よりも大きい整数である、第３の時間領域非集中化方式と
を含む。
【００１６】
第１の態様の上述の可能な実装を参照すると、第１の態様の第２の可能な実装においては、方法は、端末デバイスのサービス要件またはアプリケーションシナリオに基づいて、復調基準信号ＤＭＲＳの属性を、ネットワークデバイスによって、決定するステップであって、ＤＭＲＳ属性は、データ分散方式に対応しており、ＤＭＲＳ属性は、ＤＭＲＳパターンまたはＤＭＲＳポート番号である、ステップと、端末デバイスにＤＭＲＳ属性を、ネットワークデバイスによって、送信するステップとをさらに含む。
【００１７】
特に、ネットワークデバイスと端末デバイスは、データ伝送を実行するとき、復調基準信号（ｄｅｍｏｄｕｌａｔｉｏｎ  ｒｅｆｅｒｅｎｃｅ  ｓｉｇｎａｌ、ＤＭＲＳ）パターン、またはＤＭＲＳポート番号を決定する必要がある。したがって、本出願のこの実施形態においては、ＤＭＲＳパターンまたはＤＭＲＳポート番号は、一括して、ＤＭＲＳ属性と呼ばれ、ＤＭＲＳ属性は、ネットワークデバイスによって構成されたデータ分散方式に結び付けられ、すなわち、異なるＤＭＲＳ属性は、異なるデータ分散方式に対応している。このように、ネットワークデバイスは、端末デバイスに、端末デバイスとのデータ伝送中に使用されるＤＭＲＳ属性を通知する。端末デバイスは、データ分散方式に基づいて、データをネットワークデバイスに送信するために、またはデータ分散方式に基づいて、ネットワークデバイスによって送信されたデータを受信するために、ＤＭＲＳ属性に基づいて、ネットワークデバイスとのデータ伝送を実行するために使用されるデータ分散方式を決定し得る。
【００１８】
ＤＭＲＳパターンまたはＤＭＲＳポート番号に加えて、ＤＭＲＳ属性は、ＤＭＲＳのスクランブリング符号もしくは直交系列、またはＤＭＲＳ属性が属するＤＭＲＳ信号によって占有されるＯＦＤＭシンボルの量であってよいことが理解されるべきである。本出願のこの実施形態においては、これは、限定的ではない。
【００１９】
第１の態様の別の可能な実装においては、アプリケーションシナリオが、復調結果が、現在のリソースユニット上においてフィードバックされる必要があるとき、ＤＭＲＳ属性は、時間領域集中化方式に対応しており、リソースユニットは、スケジュールされたユーザに対するリソース割り当てを実行するために使用される基本ユニットであり、または
アプリケーションシナリオが、復調結果が、現在のリソースユニット上においてフィードバックされる必要がないとき、ＤＭＲＳ属性は、時間領域非集中化方式に対応している。
【００２０】
第１の態様の別の可能な実装においては、ＤＭＲＳパターンが、ＤＭＲＳが、１つの時間領域シンボルを占有するとき、ＤＭＲＳパターンは、時間領域集中化方式に対応しており、または
ＤＭＲＳパターンが、ＤＭＲＳが、少なくとも２つの時間領域シンボルを占有するとき、ＤＭＲＳによって占有されるどの２つの時間領域シンボルの間に、データ伝送が存在しないときは、ＤＭＲＳパターンは、時間領域集中化方式に対応しており、もしくはＤＭＲＳによって占有される少なくとも２つの時間領域シンボルの間に、データ伝送が存在するときは、ＤＭＲＳ属性は、時間領域非集中化方式に対応している。
【００２１】
第１の態様の別の可能な実装においては、方法は、
端末デバイスのサービス要件またはアプリケーションシナリオに基づいて、データ伝送を実行するために使用されるフレーム構造を、ネットワークデバイスによって、決定するステップであって、フレーム構造は、データ分散方式に対応している、ステップ
をさらに含む。
【００２２】
第１の態様の別の可能な実装においては、端末デバイスのアプリケーションシナリオが、復調結果が、現在のリソースユニット上においてフィードバックされる必要があるとき、フレーム構造は、時間領域集中化方式に対応しており、リソースユニットは、スケジュールされたユーザに対するリソース割り当てを実行するために使用される基本ユニットであり、または
端末デバイスのアプリケーションシナリオが、復調結果が、現在のリソースユニット上においてフィードバックされる必要がないとき、フレーム構造は、時間領域非集中化方式に対応している。
【００２３】
第１の態様の上述の可能な実装を参照すると、第１の態様の第３の可能な実装においては、方法は、端末デバイスに指示情報を、ネットワークデバイスによって、送信するステップであって、指示情報は、データ分散方式を示すために使用される、ステップをさらに含む。
【００２４】
特に、ネットワークデバイスは、指示情報を使用することによって、端末デバイスに、端末デバイスとのデータ伝送を実行するために使用されるデータ分散方式を直接的に通知し得る。端末デバイスは、データ分散方式に基づいて、データをネットワークデバイスに送信するために、またはデータ分散方式に基づいて、ネットワークデバイスによって送信されたデータを受信するために、指示情報に従って、ネットワークデバイスとのデータ伝送を実行するために使用されるデータ分散方式を直接的に決定し得る。
【００２５】
第１の態様の上述の可能な実装を参照すると、第１の態様の第４の可能な実装においては、指示情報は、以下の情報、ダウンリンク制御情報ＤＣＩ、無線リソース制御ＲＲＣシグナリング、および媒体アクセス制御ＭＡＣレイヤ制御要素ＣＥのうちのいずれか１つである。
【００２６】
第１の態様の上述の可能な実装を参照すると、第１の態様の第５の可能な実装においては、データ分散方式に基づいて、端末デバイスとのデータ伝送を、ネットワークデバイスによって実行するステップは、データ分散方式に基づいて、送信されるデータを、ネットワークデバイスによって、処理するステップと、処理された送信されるデータを端末デバイスに、ネットワークデバイスによって、送信するステップとを含む。
【００２７】
特に、ネットワークデバイスが、送信端として機能するとき、ネットワークデバイスは、データ分散方式に基づいて、送信されるデータを処理し、その後、データが決定された分散状況を満たすように、処理された送信されるデータを端末デバイスに送信し得る。
【００２８】
第１の態様の上述の可能な実装を参照すると、第１の態様の第６の可能な実装においては、データ分散方式に基づいて、送信されるデータを、ネットワークデバイスによって、処理するステップは、データ分散方式に基づいて、送信されるデータに対するインターリービング処理を、ネットワークデバイスによって、実行するステップであって、インターリービング処理は、送信されるデータのビットストリームに対するインターリービング、および／または送信されるデータの変調シンボルに対するインターリービングを含む、ステップを含む。
【００２９】
特に、送信されるデータが、送信される前に、送信されるデータは、チャネル符号化、符号ブロック連結、変調マッピング、レイヤマッピング、プリコーディング、およびリソースマッピングなど、一連のステップを通して処理される。本出願のこの実施形態においては、ネットワークデバイスは、送信されるデータを処理し得、送信されるデータに対してビットレベルインターリービングまたはシンボルレベルインターリービングを実行し得る。本出願のこの実施形態においては、これは、限定的ではない。
【００３０】
第１の態様の上述の可能な実装を参照すると、第１の態様の第７の可能な実装においては、データ分散方式に基づいて、送信されるデータを、ネットワークデバイスによって、処理するステップは、データ分散方式に基づいて、データ分散方式に対応するリソースマッピングルールを使用することによって、送信されるデータに対するリソースマッピングを、ネットワークデバイスによって、実行するステップを含む。
【００３１】
特に、送信されるデータに対するリソースマッピングを実行するとき、ネットワークデバイスは、送信されるデータに対するリソースマッピングを実行するために、データ分散方式に基づいて、データ分散方式に対応するリソースマッピングルールを選択し得る。例えば、データ分散方式が、時間領域集中化方式であるとき、ネットワークデバイスは、同じ符号ブロックのデータが時間領域において集中的に分散される効果を生み出すことが可能なリソースマッピング方式を選択し得る。データ分散方式が、時間領域非集中化方式であるとき、ネットワークデバイスは、同じ符号ブロックのデータが時間領域において非集中的に分散される効果を生み出すことが可能なリソースマッピング方式を選択し得る。
【００３２】
第１の態様の上述の可能な実装を参照すると、第１の態様の第８の可能な実装においては、データ分散方式に基づいて、端末デバイスとのデータ伝送を、ネットワークデバイスによって、実行するステップは、データ分散方式に基づいて、端末デバイスによって送信されたデータを、ネットワークデバイスによって、受信するステップを含む。
【００３３】
それに対応して、端末デバイスは、同じ要因または受信された指示情報に基づいて、ネットワークデバイスとのデータ伝送を実行するために使用されるデータ分散方式を決定し得、例えば、ＤＭＲＳ属性またはフレーム構造に基づいて、データ分散方式を決定し得る。加えて、端末デバイスは、受信された指示情報との組合せで、データ分散方式を決定し得る。
【００３４】
第２の態様に従うと、ネットワークデバイスによって送信された指示情報を、端末デバイスによって、受信するステップであって、指示情報は、端末デバイスによるネットワークデバイスとのデータ伝送を実行するために使用されるデータ分散方式を示すために使用され、データ分散方式は、同じ符号ブロックのデータの、少なくとも１つの時間領域シンボル上への分散を示すために使用される、ステップと、指示情報に従って、データ分散方式を、端末デバイスによって、決定するステップと、データ分散方式に基づいて、ネットワークデバイスとのデータ伝送を、端末デバイスによって、実行するステップとを含む、別のデータ伝送方法が、提供される。
【００３５】
第２の態様の第１の可能な実装においては、データ分散方式は、時間領域非集中化方式、または時間領域集中化方式であり、時間領域非集中化方式は、同じ符号ブロックからのデータが、複数の時間領域シンボル上に非集中的に分散されることを示すために使用され、時間領域集中化方式は、同じ符号ブロックからのデータが、少なくとも１つの連続する時間領域シンボル上に集中的に分散されることを示すために使用される。
【００３６】
第２の態様の上述の可能な実装を参照すると、第２の態様の第２の可能な実装においては、指示情報は、以下の情報、ダウンリンク制御情報ＤＣＩ、無線リソース制御ＲＲＣシグナリング、および媒体アクセス制御ＭＡＣレイヤ制御要素ＣＥのうちのいずれか１つである。
【００３７】
第２の態様の上述の可能な実装を参照すると、第２の態様の第３の可能な実装においては、データ分散方式に基づいて、ネットワークデバイスとのデータ伝送を、端末デバイスによって、実行するステップは、データ分散方式に基づいて、送信されるデータを、端末デバイスによって、処理するステップと、処理された送信されるデータをネットワークデバイスに、端末デバイスによって、送信するステップとを含む。
【００３８】
第２の態様の上述の可能な実装を参照すると、第２の態様の第４の可能な実装においては、データ分散方式に基づいて、送信されるデータを、端末デバイスによって、処理するステップは、データ分散方式に基づいて、送信されるデータに対するインターリービング処理を、端末デバイスによって、実行するステップであって、インターリービング処理は、送信されるデータのビットストリームに対するインターリービング、および／または送信されるデータの変調シンボルに対するインターリービングを含む、ステップを含む。
【００３９】
第２の態様の上述の可能な実装を参照すると、第２の態様の第５の可能な実装においては、データ分散方式に基づいて、送信されるデータを、端末デバイスによって、処理するステップは、データ分散方式に基づいて、データ分散方式に対応するリソースマッピングルールを使用することによって、送信されるデータに対するリソースマッピングを、端末デバイスによって、実行するステップを含む。
【００４０】
第２の態様の上述の可能な実装を参照すると、第２の態様の第６の可能な実装においては、データ分散方式に基づいて、ネットワークデバイスとのデータ伝送を、端末デバイスによって、実行するステップは、データ分散方式に基づいて、ネットワークデバイスによって送信されたデータを、端末デバイスによって、受信するステップを含む。
【００４１】
第２の態様の別の可能な実装においては、時間領域集中化方式は、すべての符号ブロックにおいて、初期ロケーションインデックスがｘ1＜ｘ2を満たす、第１のデータと第２のデータの時間領域シンボルインデックスが、ｎ1≦ｎ2を満たすことを示すために使用され、
ｘ1は、第１のデータの初期ロケーションインデックスであり、ｘ2は、第２のデータの初期ロケーションインデックスであり、ｎ1は、第１のデータの時間領域シンボルインデックスであり、ｎ2は、第２のデータの時間領域シンボルインデックスであり、
時間領域非集中化方式は、第１の符号ブロックが存在し、第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、第３のデータの初期ロケーションインデックスであり、ｘ4は、第４のデータの初期ロケーションインデックスであり、ｎ3は、第３のデータの時間領域シンボルインデックスであり、ｎ4は、第４のデータの時間領域シンボルインデックスである。
【００４２】
第２の態様の別の可能な実装においては、時間領域集中化方式は、第１の時間領域シンボルが、少なくとも２つの第１の符号ブロックを含まず、および、第１の符号ブロックに属し、第１の時間領域シンボル上に分散されるデータの初期ロケーションインデックスの最大値が、第１の符号ブロックに属し、リソースユニット上に分散されるデータの初期ロケーションインデックスの最大値に等しくないことを示すために使用され、リソースユニットは、スケジュールされたユーザに対するリソース割り当てを実行するために使用される基本ユニットであり、リソースユニット内のすべての時間領域シンボルは、第１の時間領域シンボルであり、または
時間領域非集中化方式は、Ｑ個の符号ブロックからのデータを含む第１の時間領域シンボル上において、Ｑ個の符号ブロックに属する少なくとも２つの第２の符号ブロックが存在し、第２の符号ブロックに属し、第１の時間領域シンボル上に分散されるデータの初期ロケーションインデックスの最大値が、第２の符号ブロックに属し、リソースユニット上に分散されるデータの初期ロケーションインデックスの最大値に等しくなく、Ｑは、１よりも大きい整数であることを示すために使用される。
【００４３】
第２の態様の別の可能な実装においては、時間領域非集中化方式は、
同じ符号ブロックからのデータが、リソースユニット内のすべての時間領域シンボル上に非集中的に分散されることを示すために使用され、リソースユニットは、スケジュールされたユーザに対するリソース割り当てを実行するために使用される基本ユニットである、第１の時間領域非集中化方式と、
同じ符号ブロックからのデータが、リソースユニット内の同じスロットのすべての時間領域シンボル上に非集中的に分散されることを示すために使用される、第２の時間領域非集中化方式と、
同じ符号ブロックからのデータが、リソースユニット内のＮ個の時間領域シンボル上に非集中的に分散されることを示すために使用され、Ｎは、１よりも大きい整数である、第３の時間領域非集中化方式と
を含む。
【００４４】
第３の態様に従うと、ネットワークデバイスによって送信された復調基準信号ＤＭＲＳの属性を、端末デバイスによって、受信するステップであって、ＤＭＲＳ属性は、データ分散方式に対応しており、ＤＭＲＳ属性は、ＤＭＲＳパターン、ＤＭＲＳポート番号、またはＤＭＲＳ属性が属するＤＭＲＳ信号によって占有されるＯＦＤＭシンボルの量である、ステップと、ＤＭＲＳ属性に基づいて、ネットワークデバイスとのデータ伝送を実行するために使用されるデータ分散方式を、端末デバイスによって、決定するステップであって、データ分散方式は、同じ符号ブロックのデータの、少なくとも１つの時間領域シンボル上への分散を示すために使用される、ステップと、データ分散方式に基づいて、ネットワークデバイスとのデータ伝送を、端末デバイスによって、実行するステップとを含む、別のデータ伝送方法が、提供される。
【００４５】
第３の態様の第１の可能な実装においては、データ分散方式は、時間領域非集中化方式、または時間領域集中化方式であり、時間領域非集中化方式は、同じ符号ブロックからのデータが、複数の時間領域シンボル上に非集中的に分散されることを示すために使用され、時間領域集中化方式は、同じ符号ブロックからのデータが、少なくとも１つの連続する時間領域シンボル上に集中的に分散される。
【００４６】
第３の態様の上述の可能な実装を参照すると、第３の態様の第２の可能な実装においては、データ分散方式に基づいて、ネットワークデバイスとのデータ伝送を、端末デバイスによって、実行するステップは、データ分散方式に基づいて、送信されるデータを、端末デバイスによって、処理するステップと、処理された送信されるデータをネットワークデバイスに、端末デバイスによって、送信するステップとを含む。
【００４７】
第３の態様の上述の可能な実装を参照すると、第３の態様の第３の可能な実装においては、データ分散方式に基づいて、送信されるデータを、端末デバイスによって、処理するステップは、データ分散方式に基づいて、送信されるデータに対するインターリービング処理を、端末デバイスによって、実行するステップであって、インターリービング処理は、送信されるデータのビットストリームに対するインターリービング、および／または送信されるデータの変調シンボルに対するインターリービングを含む、ステップを含む。
【００４８】
第３の態様の上述の可能な実装を参照すると、第３の態様の第４の可能な実装においては、データ分散方式に基づいて、送信されるデータを、端末デバイスによって、処理するステップは、データ分散方式に基づいて、データ分散方式に対応するリソースマッピングルールを使用することによって、送信されるデータに対するリソースマッピングを、端末デバイスによって、実行するステップを含む。
【００４９】
第３の態様の上述の可能な実装を参照すると、第３の態様の第５の可能な実装においては、データ分散方式に基づいて、ネットワークデバイスとのデータ伝送を、端末デバイスによって、実行するステップは、データ分散方式に基づいて、ネットワークデバイスによって送信されたデータを、端末デバイスによって、受信するステップを含む。
【００５０】
第３の態様の別の可能な実装においては、時間領域集中化方式は、すべての符号ブロックにおいて、初期ロケーションインデックスがｘ1＜ｘ2を満たす、第１のデータと第２のデータの時間領域シンボルインデックスが、ｎ1≦ｎ2を満たすことを示すために使用され、
ｘ1は、第１のデータの初期ロケーションインデックスであり、ｘ2は、第２のデータの初期ロケーションインデックスであり、ｎ1は、第１のデータの時間領域シンボルインデックスであり、ｎ2は、第２のデータの時間領域シンボルインデックスであり、
時間領域非集中化方式は、第１の符号ブロックが存在し、第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、第３のデータの初期ロケーションインデックスであり、ｘ4は、第４のデータの初期ロケーションインデックスであり、ｎ3は、第３のデータの時間領域シンボルインデックスであり、ｎ4は、第４のデータの時間領域シンボルインデックスである。
【００５１】
第３の態様の別の可能な実装においては、時間領域集中化方式は、第１の時間領域シンボルが、少なくとも２つの第１の符号ブロックを含まず、および、第１の符号ブロックに属し、第１の時間領域シンボル上に分散されるデータの初期ロケーションインデックスの最大値が、第１の符号ブロックに属し、リソースユニット上に分散されるデータの初期ロケーションインデックスの最大値に等しくないことを示すために使用され、リソースユニットは、スケジュールされたユーザに対するリソース割り当てを実行するために使用される基本ユニットであり、リソースユニット内のすべての時間領域シンボルは、第１の時間領域シンボルであり、または
時間領域非集中化方式は、Ｑ個の符号ブロックからのデータを含む第１の時間領域シンボル上において、Ｑ個の符号ブロックに属する少なくとも２つの第２の符号ブロックが存在し、第２の符号ブロックに属し、第１の時間領域シンボル上に分散されるデータの初期ロケーションインデックスの最大値が、第２の符号ブロックに属し、リソースユニット上に分散されるデータの初期ロケーションインデックスの最大値に等しくなく、Ｑは、１よりも大きい整数であることを示すために使用される。
【００５２】
第３の態様の別の可能な実装においては、時間領域非集中化方式は、
同じ符号ブロックからのデータが、リソースユニット内のすべての時間領域シンボル上に非集中的に分散されることを示すために使用され、リソースユニットは、スケジュールされたユーザに対するリソース割り当てを実行するために使用される基本ユニットである、第１の時間領域非集中化方式と、
同じ符号ブロックからのデータが、リソースユニット内の同じスロットのすべての時間領域シンボル上に非集中的に分散されることを示すために使用される、第２の時間領域非集中化方式と、
同じ符号ブロックからのデータが、リソースユニット内のＮ個の時間領域シンボル上に非集中的に分散されることを示すために使用され、Ｎは、１よりも大きい整数である、第３の時間領域非集中化方式と
を含む。
【００５３】
第３の態様の別の可能な実装においては、アプリケーションシナリオが、復調結果が、現在のリソースユニット上においてフィードバックされる必要があるとき、ＤＭＲＳ属性は、時間領域集中化方式に対応しており、リソースユニットは、スケジュールされたユーザに対するリソース割り当てを実行するために使用される基本ユニットであり、または
アプリケーションシナリオが、復調結果が、現在のリソースユニット上においてフィードバックされる必要がないとき、ＤＭＲＳ属性は、時間領域非集中化方式に対応している。
【００５４】
第３の態様の別の可能な実装においては、ＤＭＲＳパターンが、ＤＭＲＳが、１つの時間領域シンボルを占有するとき、ＤＭＲＳパターンは、時間領域集中化方式に対応しており、または
ＤＭＲＳパターンが、ＤＭＲＳが、少なくとも２つの時間領域シンボルを占有するとき、ＤＭＲＳによって占有されるどの２つの時間領域シンボルの間にも、データ伝送が存在しないときは、ＤＭＲＳパターンは、時間領域集中化方式に対応しており、もしくはＤＭＲＳによって占有される少なくとも２つの時間領域シンボルの間に、データ伝送が存在するときは、ＤＭＲＳ属性は、時間領域非集中化方式に対応している。
【００５５】
第４の態様に従うと、ネットワークデバイスとのデータ伝送を実行するために使用されるフレーム構造に基づいて、ネットワークデバイスとのデータ伝送を実行するために使用されるデータ分散方式を、端末デバイスによって、決定するステップであって、データ分散方式は、同じ符号ブロックのデータの、少なくとも１つの時間領域シンボル上への分散を示すのに使用される、ステップと、
データ分散方式に基づいて、ネットワークデバイスとのデータ伝送を、端末デバイスによって、実行するステップと
を含む、別のデータ伝送方法が、提供される。
【００５６】
第４の態様の第１の可能な実装においては、データ分散方式は、時間領域非集中化方式、または時間領域集中化方式であり、時間領域非集中化方式は、同じ符号ブロックからのデータが、複数の時間領域シンボル上に非集中的に分散されることを示すために使用され、時間領域集中化方式は、同じ符号ブロックからのデータが、少なくとも１つの連続する時間領域シンボル上に集中的に分散されることを示すために使用される。
【００５７】
第４の態様の上述の可能な実装を参照すると、第４の態様の第２の可能な実装においては、時間領域集中化方式は、すべての符号ブロックにおいて、初期ロケーションインデックスがｘ1＜ｘ2を満たす、第１のデータと第２のデータの時間領域シンボルインデックスが、ｎ1≦ｎ2を満たすことを示すために使用され、
ｘ1は、第１のデータの初期ロケーションインデックスであり、ｘ2は、第２のデータの初期ロケーションインデックスであり、ｎ1は、第１のデータの時間領域シンボルインデックスであり、ｎ2は、第２のデータの時間領域シンボルインデックスであり、
時間領域非集中化方式は、第１の符号ブロックが存在し、第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、第３のデータの初期ロケーションインデックスであり、ｘ4は、第４のデータの初期ロケーションインデックスであり、ｎ3は、第３のデータの時間領域シンボルインデックスであり、ｎ4は、第４のデータの時間領域シンボルインデックスである。
【００５８】
第４の態様の上述の可能な実装を参照すると、第４の態様の第３の可能な実装においては、時間領域集中化方式は、第１の時間領域シンボルが、少なくとも２つの第１の符号ブロックを含まず、および、第１の符号ブロックに属し、第１の時間領域シンボル上に分散されるデータの初期ロケーションインデックスの最大値が、第１の符号ブロックに属し、リソースユニット上に分散されるデータの初期ロケーションインデックスの最大値に等しくないことを示すために使用され、リソースユニットは、スケジュールされたユーザに対するリソース割り当てを実行するために使用される基本ユニットであり、リソースユニット内のすべての時間領域シンボルは、第１の時間領域シンボルであり、または
時間領域非集中化方式は、Ｑ個の符号ブロックからのデータを含む第１の時間領域シンボル上において、Ｑ個の符号ブロックに属する少なくとも２つの第２の符号ブロックが存在し、第２の符号ブロックに属し、第１の時間領域シンボル上に分散されるデータの初期ロケーションインデックスの最大値が、第２の符号ブロックに属し、リソースユニット上に分散されるデータの初期ロケーションインデックスの最大値に等しくなく、Ｑは、１よりも大きい整数であることを示すために使用される。
【００５９】
第４の態様の上述の可能な実装を参照すると、第４の態様の第４の可能な実装においては、時間領域非集中化方式は、
同じ符号ブロックからのデータが、リソースユニット内のすべての時間領域シンボル上に非集中的に分散されることを示すために使用され、リソースユニットは、スケジュールされたユーザに対するリソース割り当てを実行するために使用される基本ユニットである、第１の時間領域非集中化方式と、
同じ符号ブロックからのデータが、リソースユニット内の同じスロットのすべての時間領域シンボル上に非集中的に分散されることを示すために使用される、第２の時間領域非集中化方式と、
同じ符号ブロックからのデータが、リソースユニット内のＮ個の時間領域シンボル上に非集中的に分散されることを示すために使用され、Ｎは、１よりも大きい整数である、第４の時間領域非集中化方式と
を含む。
【００６０】
第４の態様の上述の可能な実装を参照すると、第４の態様の第５の可能な実装においては、端末デバイスのアプリケーションシナリオが、復調結果が、現在のリソースユニット上においてフィードバックされる必要があるとき、フレーム構造は、時間領域集中化方式に対応しており、リソースユニットは、スケジュールされたユーザに対するリソース割り当てを実行するために使用される基本ユニットであり、または
端末デバイスのアプリケーションシナリオが、復調結果が、現在のリソースユニット上においてフィードバックされる必要がないとき、フレーム構造は、時間領域非集中化方式に対応している。
【００６１】
本発明の実施形態の第５の態様は、データ伝送方法を提供する。端末デバイスは、ネットワークデバイスとのデータ伝送を実行するために使用されるデータ分散方式を決定し、データ分散方式は、同じ符号ブロックのデータの、少なくとも１つの時間領域シンボル上への分散を示すために使用され、端末デバイスは、データ分散方式に基づいて、ネットワークデバイスとのデータ伝送を実行する。
【００６２】
第１の態様から第５の態様において提供される方法を参照すると、可能な実装は、さらに、以下を含む。
【００６３】
（１）復調結果、すなわち、ＡＣＫ／ＮＡＣＫが、現在のスケジューリングリソースまたはスロット上においてフィードバックされる必要があり、ＤＭＲＳパターンが、ＤＭＲＳが、少なくとも２つの時間領域シンボルを占有するものであり、ＤＭＲＳによって占有されるどの２つの時間領域シンボルの間にも、データ伝送が存在しないとき、時間領域集中化された分散方式１または２が、使用される。時間領域集中化された分散方式１は、インターリービングを含まず、実装するのが容易であり、小さい帯域幅に適用可能である。時間領域集中化された分散方式２においては、周波数領域ダイバーシティ利得が、周波数領域インターリービングを通して獲得され得る。
【００６４】
（２）復調結果、すなわち、ＡＣＫ／ＮＡＣＫが、現在のスケジューリングリソースまたはスロット上においてフィードバックされる必要があり、ＤＭＲＳパターンが、ＤＭＲＳが、少なくとも２つの時間領域シンボルを占有するものであり、ＤＭＲＳによって占有されるいずれか２つの時間領域シンボルの間に、データ伝送が存在するとき、時間領域非集中化された分散方式１〜６のうちの１つが、使用される。ＤＭＲＳパターンが、ＤＭＲＳが、少なくとも２つの時間領域シンボルを占有するものであり、ＤＭＲＳによって占有されるいずれか２つの時間領域シンボルの間に、データ伝送が存在するとき、それは、端末デバイスが高速で移動していることを示し、時間ダイバーシティ利得が、時間領域非集中化された分散方式で獲得され得る。可能な実装においては、この条件の下において、ＡＣＫ／ＮＡＣＫが、現在のスケジューリングリソース上においてフィードバックされる必要があり、高速復調要件が、存在することを考慮して、時間領域集中化された分散方式１が、使用されてもまたよい。このケースにおいては、ＤＭＲＳによって占有される２つの時間領域シンボルの間に、データ伝送が存在し、チャネル推定は、時間を消費し、それは、高速復調の助けとならない。したがって、時間を節約するために、インターリービングは、実行されない。
【００６５】
（３）復調結果が、現在のスケジューリングリソース上においてフィードバックされる必要がなく、ＤＭＲＳパターンが、ＤＭＲＳが、少なくとも２つの時間領域シンボルを占有するものであり、ＤＭＲＳによって占有されるいずれか２つの時間領域シンボルの間に、データ伝送が存在するとき、時間領域非集中化された分散方式１〜６のうちの１つが、使用される。ＤＭＲＳパターンが、ＤＭＲＳが、少なくとも２つの時間領域シンボルを占有するものであり、ＤＭＲＳによって占有されるいずれか２つの時間領域シンボルの間に、データ伝送が存在するとき、それは、端末デバイスが高速で移動していることを示し、時間ダイバーシティ利得が、時間領域非集中化を通して獲得され得る。
【００６６】
（４）復調結果が、現在のスケジューリングリソース上においてフィードバックされる必要がなく、ＤＭＲＳパターンが、ＤＭＲＳが、少なくとも２つの時間領域シンボルを占有するものであり、ＤＭＲＳによって占有されるどの２つの時間領域シンボルの間にも、データ伝送が存在しないとき、時間領域集中化された分散方式１〜２のうちの１つが、使用される。このケースにおいては、ＤＭＲＳ信号が、集中化されることを考慮して、端末デバイスは、高速で移動せず、時間ダイバーシティ利得は、強くなく、時間領域集中化された分散方式が、使用される。可能な実装においては、時間領域非集中化された分散方式１〜６が、使用されてもまたよい。このケースにおいては、時間ダイバーシティ利得は、明らかでないが、復調結果が、現在のスケジューリングリソース上においてフィードバックされる必要がないので、実装を容易にするために、時間領域非集中化方式が、別のシナリオにおけるデータ分散方式にふさわしいものであり得ることを考慮して、時間領域非集中化された分散方式１〜６のうちの１つが使用される。本明細書において説明される別のシナリオは、ＤＭＲＳが少なくとも２つの時間領域シンボルを占有するときに、ＤＭＲＳによって占有されるどの２つの時間領域シンボルの間にも、データ伝送が存在しないケースのことである。
【００６７】
（５）ＤＭＲＳ属性およびフレーム構造に加えて、チャネル状態情報基準信号（channel state information reference signal、ＣＳＩ−ＲＳ）に基づいて、データ分散方式が、決定され得る。一般に、端末デバイスが、高速移動シナリオにあるとき、ＣＳＩ−ＲＳ密度は、相対的に高い。したがって、高ＣＳＩ−ＲＳ密度シナリオにおいては、時間領域非集中化された分散方式１〜６のうちの１つが、使用され得る。したがって、高速移動シナリオにおいては、時間領域非集中化方式を使用することによって、より良い時間ダイバーシティ利得が、獲得され得る。対照的に、低ＣＳＩ−ＲＳ密度シナリオにおいては、時間領域集中化された分散方式１〜２のうちの１つが使用される。低密度は、端末デバイスが、低速移動シナリオにあることを示している。このシナリオにおいては、時間ダイバーシティ利得は、明らかでなく、時間領域集中化された分散方式を使用することは、高速復調を容易にする。
【００６８】
（６）ネットワークデバイスは、スロットアグリゲーション（slot aggregation）構成を通したデータ分散方式も決定し得る。復調結果が、現在のスケジューリングリソース上においてフィードバックされる必要がなく、スロットアグリゲーションが、実行されないとき、ネットワークデバイスは、時間領域集中化された分散方式１または２を使用する。対照的に、復調結果が、現在のスケジューリングリソース上においてフィードバックされる必要がなく、スロットアグリゲーション方式が、使用されるとき、ネットワークデバイスは、時間領域非集中化された分散方式を使用する。
【００６９】
（７）ＣＢＧベースの再送を実行するために、ハイブリッド自動再送要求（Hybrid Automatic Repeat reQuest、ＨＡＲＱ）技術が、使用されるとき、時間領域集中化された分散方式１または２が、使用される。ＣＢＧベースのＨＡＲＱ再送については、時間領域非集中化されたデータ分散方式が使用されるとき、ひとたびエラーが発生すると、通常、複数のＣＢＧが、エラーに遭遇する。結果として、ＣＢＧベースのＨＡＲＱ再送は、無意味になる。符号語（code word、ＣＷ）ベースのＨＡＲＱ再送が、実行される場合、時間領域非集中化された分散方式１〜６のうちの１つが、使用される。
【００７０】
（８）５Ｇ新無線（New Radio、ＮＲ）技術は、２つのタイプのキャリア波形を、すなわち、直接フーリエ変換拡散直交周波数分割多重（Direct Fourier Transform Spread Orthogonal Frequency Division Multiplexing、ＤＦＴ−ｓ−ＯＦＤＭ）と、サイクリックプレフィックス直交周波数分割多重（Cyclic Prefix Orthogonal Frequency Division Multiplexing、ＣＰ−ＯＦＤＭ）とをサポートする。ＤＦＴ−ｓ−ＯＦＤＭが使用されるとき、時間領域非集中化された分散方式１〜６のうちの１つが、使用される。ＣＰ−ＯＦＤＭが使用されるとき、時間領域集中化された分散方式１〜２のうちの１つが、使用される。
【００７１】
（９）ＮＲにおける１つのＣＷは、４つのレイヤにマッピングされ得る。ネットワークデバイスは、１つのＣＷに対応しているレイヤの量に基づいて、使用されるデータ分散方式を決定し得る。１つのＣＷに対応しているレイヤの量が、１であるとき、時間領域集中化された分散方式１、または時間領域非集中化された分散方式３など、インターリービングを行わないデータ分散方式が、使用される。ＣＷに対応しているレイヤの量が、２、３、または４であるとき、周波数領域インターリービングを行う時間領域集中化された分散方式２、または周波数領域インターリービングを行う時間領域非集中化された分散方式４が、使用される。可能な実装においては、代替として、ＣＷに対応しているレイヤの量が、１または２であるとき、時間領域集中化された分散方式１、または時間領域非集中化された分散方式３など、インターリービングを行わないデータ分散方式が、使用される。ＣＷに対応しているレイヤの量が、３または４であるとき、周波数領域インターリービングを行う時間領域集中化された分散方式２、または周波数領域インターリービングを行う時間領域非集中化された分散方式４が、使用される。周波数領域インターリービングおよび時間−周波数インターリービングを使用することによって利得を獲得するための前提条件は、複数のＣＢ、および相対的に小さい量のレイヤが、存在することである。１つのＯＦＤＭシンボルまたはいくつかのＯＦＤＭシンボル上に複数のＣＢが存在する可能性は、より小さく、複数のレイヤにおいて複数のＣＢが存在する可能性は、より大きい。したがって、相対的に小さい量のレイヤが存在するときは、インターリービングは、実行されず、それは実装するのが容易である。大きい量のレイヤが存在するときは、インターリービングを通して、利得が獲得される。
【００７２】
（１０）データ伝送中、初期データ伝送とデータ再送は、同じデータ分散方式を使用し得る。可能な実施形態においては、初期送信と再送は、異なるデータ分散方式を使用してもまたよい。例えば、最初に送信されるデータは、インターリービングを行わないデータ分散方式を、例えば、時間領域集中化された分散方式１、または時間領域非集中化された分散方式３を使用する。再送されるデータは、周波数領域インターリービングを行うデータ分散方式を、例えば、時間領域集中化された分散方式２、または時間領域非集中化された分散方式４を使用する。可能な実施形態においては、再送されるデータは、時間領域非集中化された分散方式１、２、５、６など、時間領域インターリービング方式を使用してもまたよい。再送と初期送信が、同じ方式を使用する場合、それらは実装するのが容易である。インターリービングは、再送のために使用される。この理由は、再送が実行されたとき、それはチャネルが貧弱な状態下にあることを示しており、再送性能を改善するために、インターリービングが必要とされるからである。
【００７３】
（１１）ＤＭＲＳが、３つ以上の時間領域シンボルを占有し、３つの時間領域シンボルの間に、データ伝送が存在するとき、時間領域非集中化された分散方式１〜６のうちの１つが、使用される。図３０を参照すると、ＤＭＲＳは、少なくとも、第１の時間領域シンボルと、第２の時間領域シンボルと、第３の時間領域シンボルとを占有する。データは、第１の時間領域シンボルと第２の時間領域シンボルとの間において伝送され、データは、第２の時間領域シンボルと第３の時間領域シンボルとの間においても伝送される。加えて、第１の時間領域シンボル、第２の時間領域シンボル、および第３の時間領域シンボルは、時間領域において順番に配列される。このケースにおいては、時間領域非集中化された分散方式１〜６のうちの１つが、使用される。ＤＭＲＳは、３つ以上の時間領域シンボルを占有し、各々の間に、データ伝送が存在する。このケースにおいては、高速復調を実装することは困難である。したがって、時間領域非集中化されたデータ分散方式が、性能利得を獲得するために使用される。
【００７４】
（１２）ＤＭＲＳパターンが、ＤＭＲＳが、少なくとも２つの時間領域シンボルを占有するものであり、ＤＭＲＳによって占有されるいずれか２つの時間領域シンボルの間に、データ伝送が存在し、符号語（code word、ＣＷ）ベースのＨＡＲＱ再送が実行されるとき、時間領域非集中化された分散方式１〜６のうちの１つが、使用される。
【００７５】
（１３）ＤＭＲＳ復調結果が、現在のスケジューリングリソース上においてフィードバックされず、符号語（code word、ＣＷ）ベースのＨＡＲＱ再送が実行されるとき、時間領域非集中化された分散方式１〜６のうちの１つが、使用される。
【００７６】
（１４）ＤＭＲＳ復調結果が、現在のスケジューリングリソース上においてフィードバックされず、符号語ベースのＨＡＲＱ再送が実行され、ＤＭＲＳパターンが、ＤＭＲＳが、少なくとも２つの時間領域シンボルを占有するものであり、ＤＭＲＳによって占有されるいずれか２つの時間領域シンボルの間に、データ伝送が存在するとき、時間領域非集中化された分散方式１〜６のうちの１つが、使用される。
【００７７】
（１５）ＤＭＲＳパターンが、ＤＭＲＳが、少なくとも２つの時間領域シンボルを占有するものであり、ＤＭＲＳによって占有されるいずれか２つの時間領域シンボルの間に、データ伝送が存在し、ＣＢＧベースのＨＡＲＱ再送が実行されるとき、時間領域非集中化された分散方式が使用され、時間領域非集中化の範囲は、１つのＣＢＧ内である。
【００７８】
（１６）復調結果が、現在のスケジューリングリソース上においてフィードバックされず、ＣＢＧベースのＨＡＲＱ再送が実行されるとき、時間領域非集中化された分散方式が使用され、時間領域非集中化の範囲は、１つのＣＢＧ内である。
【００７９】
（１７）復調結果が、現在のスケジューリングリソース上においてフィードバックされず、ＤＭＲＳパターンが、ＤＭＲＳが、少なくとも２つの時間領域シンボルを占有するものであり、ＤＭＲＳによって占有されるいずれか２つの時間領域シンボルの間に、データ伝送が存在し、ＣＢＧベースのＨＡＲＱ再送が実行されるとき、時間領域非集中化された分散方式が、使用され、時間領域非集中化の範囲は、１つのＣＢＧ内である。
【００８０】
第６の態様に従うと、第１の態様または第１の態様のいずれか可能な実装に従って、方法を実行するように構成された、データ伝送装置が、提供される。特に、装置は、第１の態様または第１の態様のいずれか可能な実装に従って、方法を実行するように構成された、ユニットを含む。
【００８１】
第７の態様に従うと、第２の態様または第２の態様のいずれか可能な実装に従って、方法を実行するように構成された、データ伝送装置が、提供される。特に、装置は、第２の態様または第２の態様のいずれか可能な実装に従って、方法を実行するように構成された、ユニットを含む。
【００８２】
第８の態様に従うと、第３の態様または第３の態様のいずれか可能な実装に従って、方法を実行するように構成された、データ伝送装置が、提供される。特に、装置は、第３の態様または第３の態様のいずれか可能な実装に従って、方法を実行するように構成された、ユニットを含む。
【００８３】
第９の態様に従うと、第４の態様または第４の態様のいずれか可能な実装に従って、方法を実行するように構成された、データ伝送装置が、提供される。特に、装置は、第４の態様または第４の態様のいずれか可能な実装に従って、方法を実行するように構成された、ユニットを含む。
【００８４】
第１０の態様に従うと、データ伝送装置が、提供され、装置は、送受信機と、メモリと、プロセッサとを含む。送受信機、メモリ、およびプロセッサは、内部接続チャネルを使用することによって、互いに通信する。メモリは、命令を記憶するように構成される。プロセッサは、メモリ内に記憶された命令を実行し、信号を受信するように送受信機を制御し、信号を送信するように送受信機を制御するように構成される。加えて、プロセッサが、メモリ内に記憶された命令を実行するとき、その実行は、プロセッサが、第１の態様または第１の態様のいずれか可能な実装に従って、方法を実行することを可能にする。
【００８５】
第１１の態様に従うと、データ伝送装置が、提供され、装置は、送受信機と、メモリと、プロセッサとを含む。送受信機、メモリ、およびプロセッサは、内部接続チャネルを使用することによって、互いに通信する。メモリは、命令を記憶するように構成される。プロセッサは、メモリ内に記憶された命令を実行し、信号を受信するように受信機を制御し、信号を送信するように送信機を制御するように構成される。加えて、プロセッサが、メモリ内に記憶された命令を実行するとき、その実行は、プロセッサが、第２の態様または第２の態様のいずれか可能な実装に従って、方法を実行することを可能にする。
【００８６】
第１２の態様に従うと、データ伝送装置が、提供され、装置は、送受信機と、メモリと、プロセッサとを含む。送受信機、メモリ、およびプロセッサは、内部接続チャネルを使用することによって、互いに通信する。メモリは、命令を記憶するように構成される。プロセッサは、メモリ内に記憶された命令を実行し、信号を受信するように受信機を制御し、信号を送信するように送信機を制御するように構成される。加えて、プロセッサが、メモリ内に記憶された命令を実行するとき、その実行は、プロセッサが、第３の態様または第３の態様のいずれか可能な実装に従って、方法を実行することを可能にする。
【００８７】
第１３の態様に従うと、データ伝送装置が、提供され、装置は、送受信機と、メモリと、プロセッサとを含む。送受信機、メモリ、およびプロセッサは、内部接続チャネルを使用することによって、互いに通信する。メモリは、命令を記憶するように構成される。プロセッサは、メモリ内に記憶された命令を実行し、信号を受信するように受信機を制御し、信号を送信するように送信機を制御するように構成される。加えて、プロセッサが、メモリ内に記憶された命令を実行するとき、その実行は、プロセッサが、第４の態様または第４の態様のいずれか可能な実装に従って、方法を実行することを可能にする。
【００８８】
第１４の態様に従うと、コンピュータ可読媒体が、提供され、コンピュータプログラムを記憶するように構成される。コンピュータプログラムは、第１の態様または第１の態様のいずれか可能な実装に従って、方法を実行するために使用される、命令を含む。
【００８９】
第１５の態様に従うと、コンピュータ可読媒体が、提供され、コンピュータプログラムを記憶するように構成される。コンピュータプログラムは、第２の態様または第２の態様のいずれか可能な実装に従って、方法を実行するために使用される、命令を含む。
【００９０】
第１６の態様に従うと、コンピュータ可読媒体が、提供され、コンピュータプログラムを記憶するように構成される。コンピュータプログラムは、第３の態様または第３の態様のいずれか可能な実装に従って、方法を実行するために使用される、命令を含む。
【００９１】
第１７の態様に従うと、コンピュータ可読媒体が、提供され、コンピュータプログラムを記憶するように構成される。コンピュータプログラムは、第４の態様または第４の態様のいずれか可能な実装に従って、方法を実行するために使用される、命令を含む。
【００９２】
第１８の態様に従うと、回路が、提供され、回路は、第１の態様から第４の態様の１つの実装を実行するように、または第１の態様から第４の態様のいずれか可能な実装を実行するように構成される。
【図面の簡単な説明】
【００９３】
【図１】本出願の実施形態に従った、通信システムの概略図である。
【図２】本出願の実施形態に従った、データ伝送方法の概略フローチャートである。
【図３】本出願の実施形態に従った、別のデータ伝送方法の概略フローチャートである。
【図４】本出願の実施形態に従った、別のデータ伝送方法の概略フローチャートである。
【図５】本出願の実施形態に従った、時間領域集中化方式におけるデータ分散の概略図である。
【図６】本出願の実施形態に従った、時間領域非集中化方式におけるデータ分散の概略図である。
【図７】本出願の実施形態に従った、別の時間領域集中化方式におけるデータ分散の概略図である。
【図８】本出願の実施形態に従った、別の時間領域非集中化方式におけるデータ分散の概略図である。
【図９】本出願の実施形態に従った、別の時間領域集中化方式におけるデータ分散の概略図である。
【図１０】本出願の実施形態に従った、別の時間領域非集中化方式におけるデータ分散の概略図である。
【図１１】本出願の実施形態に従った、ＤＭＲＳパターンの概略図である。
【図１２】本出願の実施形態に従った、別のＤＭＲＳパターンの概略図である。
【図１３】本出願の実施形態に従った、別のＤＭＲＳパターンの概略図である。
【図１４】本出願の実施形態に従った、別のＤＭＲＳパターンの概略図である。
【図１５】本出願の実施形態に従った、データ伝送装置の概略ブロック図である。
【図１６】本出願の実施形態に従った、別のデータ伝送装置の概略ブロック図である。
【図１７】本出願の実施形態に従った、別のデータ伝送装置の概略ブロック図である。
【図１８】本出願の実施形態に従った、別のデータ伝送装置の概略ブロック図である。
【図１９】本出願の実施形態に従った、別のデータ伝送装置の概略ブロック図である。
【図２０】本出願の実施形態に従った、別のデータ伝送装置の概略ブロック図である。
【図２１】本出願の実施形態に従った、別のデータ伝送装置の概略ブロック図である。
【図２２】本出願の実施形態に従った、別のデータ伝送装置の概略ブロック図である。
【図２３】本出願の実施形態に従った、周波数領域インターリービングの概略図である。
【図２４】本出願の実施形態に従った、時間領域インターリービングの概略図である。
【図２５】本出願の実施形態に従った、時間−周波数インターリービングの概略図である。
【図２６】本出願の実施形態に従った、好ましい時間領域マッピングの概略図である。
【図２７】本出願の実施形態に従った、ＤＭＲＳパターンの概略図である。
【図２８】スロットアグリゲーションの概略図である。
【図２９】他のスロットアグリゲーションの概略図である。
【図３０】ＤＭＲＳおよびデータの時間−周波数リソース分散の概略図である。
【図３１】時間−周波数リソースにマッピングされたデータの分散の概略図である。
【図３２】時間−周波数リソースにマッピングされたデータの分散の概略図である。
【図３３】時間−周波数リソースにマッピングされたデータの分散の概略図である。
【図３４】ＤＭＲＳパターンの概略図である。
【発明を実施するための形態】
【００９４】
以下では、本出願の実施形態における添付の図面を参照して、本出願の実施形態における技術的ソリューションについて説明する。
【００９５】
本出願の実施形態における技術的ソリューションは、移動体通信用グローバルシステム（global system for mobile communications、ＧＳＭ）、符号分割多元接続（code division multiple access、ＣＤＭＡ）システム、広帯域符号分割多元接続（wideband code division multiple access、ＷＣＤＭＡ）システム、汎用パケット無線サービス（general packet radio service、ＧＰＲＳ）、ロングタームエボリューション（long term evolution、ＬＴＥ）システム、ＬＴＥ周波数分割複信（frequency division duplex、ＦＤＤ）システム、ＬＴＥ時分割複信（time division duplex、ＴＤＤ）システム、ユニバーサル移動体通信システム（universal mobile telecommunications system、ＵＭＴＳ）、マイクロ波アクセス用世界的相互運用性（worldwide interoperability for microwave access、ＷｉＭＡＸ）通信システム、および将来の５Ｇシステムなど、様々な通信システムに適用され得る。
【００９６】
図１は、本出願の実施形態が適用される、通信システム１００を示している。通信システム１００は、少なくとも１つのネットワークデバイス１１０を含み得る。ネットワークデバイス１１０は、端末デバイスと通信するデバイスであり得、例えば、基地局または基地局コントローラであり得る。各ネットワークデバイス１１０は、特定の地理的エリアに通信カバレージを提供し得、カバレージエリア（セル）内の端末デバイス（例えば、ＵＥ）と通信し得る。ネットワークデバイス１１０は、ＧＳＭシステムもしくは符号分割多元接続（code division multiple access、ＣＤＭＡ）システムにおける基地送受信機局（base transceiver station、ＢＴＳ）、もしくはＷＣＤＭＡシステムにおけるノードＢ（NodeB、ＮＢ）、もしくはＬＴＥシステムにおける進化型ノードＢ（evolved NodeB、ｅＮＢもしくはｅＮｏｄｅＢ）、もしくはクラウド無線アクセスネットワーク（cloud radio access network、ＣＲＡＮ）における無線コントローラであり得、またはネットワークデバイスは、中継ノード、アクセスポイント、車載デバイス、ウェアラブルデバイス、将来の５Ｇネットワークにおけるネットワークサイドデバイス、もしくは将来の進化型地上波公共移動通信ネットワーク（public land mobile network、ＰＬＭＮ）におけるネットワークデバイスなどであり得る。
【００９７】
無線通信システム１００は、さらに、ネットワークデバイス１１０のカバレージエリア内の複数の端末デバイス１２０を含む。端末デバイス１２０は、移動可能であるまたは固定であり得る。端末デバイス１２０は、アクセス端末、ユーザ機器（user equipment、ＵＥ）、加入者ユニット、加入者局、移動局、モバイルコンソール、リモート局、リモート端末、モバイルデバイス、ユーザ端末、端末、無線通信デバイス、ユーザエージェント、またはユーザ装置のことであり得る。アクセス端末は、セルラフォン、コードレスフォン、セッション開始プロトコル（session initiation protocol、ＳＩＰ）フォン、ワイヤレスローカルループ（wireless local loop、ＷＬＬ）局、パーソナルデジタルアシスタント（personal digital assistant、ＰＤＡ）、無線通信機能を有するハンドヘルドデバイス、コンピューティングデバイス、無線モデムに接続された別の処理デバイス、車載デバイス、ウェアラブルデバイス、将来の５Ｇネットワークにおける端末デバイス、または将来の進化型地上波公共移動通信ネットワーク（public land mobile network、ＰＬＭＮ）における端末デバイスなどであり得る。
【００９８】
図１は、例として、１つのネットワークデバイス１１０と、２つの端末デバイス１２０とを示している。任意選択で、通信システム１００は、複数のネットワークデバイス１１０を含み得、各ネットワークデバイス１１０のカバレージエリアは、別の量の端末デバイス１２０を含み得る。本出願のこの実施形態においては、これは、限定的ではない。
【００９９】
任意選択で、無線通信システム１００は、さらに、ネットワークコントローラ、およびモビリティ管理エンティティなど、別のネットワークエンティティを含み得る。本出願のこの実施形態においては、これは、限定的ではない。
【０１００】
図２は、本出願の実施形態に従った、データ伝送方法２００の概略フローチャートである。方法２００は、図１に示される通信システム１００に適用され得る。しかしながら、本出願のこの実施形態においては、これは、限定的ではない。
【０１０１】
Ｓ２１０。ネットワークデバイス１１０は、端末デバイス１２０のサービス要件またはアプリケーションシナリオに基づいて、端末デバイス１２０とのデータ伝送を実行するために使用されるデータ分散方式を決定する。データ分散方式は、同じ符号ブロックのデータの、少なくとも１つの時間領域シンボル上への分散を示すために使用される。
【０１０２】
Ｓ２２０。ネットワークデバイス１１０は、データ分散方式に基づいて、端末デバイス１２０とのデータ伝送を実行する。
【０１０３】
特に、端末デバイス１２０とのデータ伝送を実行する前に、ネットワークデバイス１１０は、最初に、端末デバイス１２０のサービス要件またはアプリケーションシナリオに基づいて、同じ符号ブロックのデータの、少なくとも１つの時間領域シンボル上への分散を示すために使用される、データ分散方式を決定し得る。ネットワークデバイス１１０は、データ分散方式に基づいて、端末デバイス１２０とのデータ伝送を実行し得る。例えば、ネットワークデバイス１１０が、送信端である場合、ネットワークデバイス１１０は、データ分散方式に基づいて、送信されるデータを処理し、その後、処理されたデータを端末デバイス１２０に送信し得る。ネットワークデバイス１１０が、受信端である場合、ネットワークデバイス１１０は、時間−周波数リソース上のデータを正確に獲得するために、データ分散方式に基づいて、端末デバイス１２０によって送信されたデータの分散を決定し得る。
【０１０４】
サービス要件は、高速データ復調、高いデータ伝送性能、または別の要件であり得ることが理解されるべきである。本出願のこの実施形態においては、これは、限定的ではない。アプリケーションシナリオは、ネットワークデバイス１１０が、端末デバイス１２０のチャネル変更ステータスに基づいて、端末デバイス１２０が、現在、高速シナリオにあることを、または低速シナリオにあることを決定することであり得る。本出願のこの実施形態においては、これも、限定的ではない。
【０１０５】
したがって、ネットワークデバイス１１０は、送信端または受信端として機能し得る。ネットワークデバイス１１０が、送信端として機能するとき、端末デバイス１２０は、受信端として機能し、ネットワークデバイス１１０が、受信端として機能するとき、端末デバイス１２０は、送信端として機能する。方法は、ネットワークデバイス１１０と端末デバイス１２０との間のアップリンク送信に適用され得、ネットワークデバイス１１０と端末デバイス１２０との間のダウンリンク送信に適用され得る。本出願のこの実施形態においては、これは、限定的ではない。
【０１０６】
先行技術においては、固定されたデータ分散方式が、使用される。例えば、変調を通して生成される変調シンボルは、最初に、レイヤにマッピングされ、次に、周波数領域にマッピングされ、最後に、時間領域にマッピングされ、周波数領域において同じＣＢのデータの非集中化された分散を実装するために、インターリービングが、マッピング処理において実行される。加えて、１つのＣＢのデータは、特定の時間領域シンボル、または連続する時間領域シンボル上に集中化され、これは、受信端が、高速復調を実行する助けとなる。しかしながら、いくつかのアプリケーションシナリオにおいては、受信端は、送信端によって送信されたデータに対して高速復調を実行する必要があることがある。他のアプリケーションシナリオにおいては、受信端は、データに対して高速復調を実行する必要がないことがあるが、高いデータ伝送性能を必要とする。既存のデータ分散方式は、柔軟性がないので、アプリケーションシナリオが、ひとたび変更されると、ネットワークデバイス１１０と端末デバイス１２０が、データ伝送を実行するときに、既存のデータ分散方式は、異なるサービス要件を良好に満たすことができない。
【０１０７】
しかしながら、本出願のこの実施形態におけるデータ伝送方法に従うと、ネットワークデバイス１１０は、異なるサービス要件またはアプリケーションシナリオに基づいて、データ分散方式を決定し、現在のシナリオまたはサービス要件に適したデータ分散方式を選択し、それによって、受信端の異なるサービス要件をより良く満たすために、ネットワークデバイス１１０と端末デバイス１２０との間においてデータ伝送を実行するために使用されるデータ分散方式を柔軟に構成することが可能である。
【０１０８】
任意選択の実施形態においては、図３は、本出願の実施形態に従った、別のデータ伝送方法３００を示している。方法３００は、以下を含む。
【０１０９】
Ｓ３１０。ネットワークデバイス１１０は、端末デバイス１２０のサービス要件またはアプリケーションシナリオに基づいて、復調基準信号ＤＭＲＳの属性を決定し、ＤＭＲＳ属性は、データ分散方式に対応しており、ＤＭＲＳ属性は、ＤＭＲＳパターン、ＤＭＲＳポート番号、またはＤＭＲＳ属性が属するＤＭＲＳ信号によって占有されるＯＦＤＭシンボルの量であり、データ分散方式は、同じ符号ブロックのデータの、少なくとも１つの時間領域シンボル上への分散を示すために使用される。
【０１１０】
Ｓ３２０。ネットワークデバイス１１０は、端末デバイス１２０にＤＭＲＳ属性を送信する。
【０１１１】
それに対応して、端末デバイス１２０は、ネットワークデバイス１１０によって送信されたＤＭＲＳ属性を受信する。
【０１１２】
Ｓ３３０。端末デバイス１２０は、ＤＭＲＳ属性に基づいて、ネットワークデバイス１１０とのデータ伝送を実行するために使用されるデータ分散方式を決定する。
【０１１３】
端末デバイス１２０が、データ分散方式を決定した後、端末デバイス１２０は、データ分散方式に基づいて、ネットワークデバイス１１０とのデータ伝送を実行する。
【０１１４】
特に、ネットワークデバイス１１０と端末デバイス１２０は、データ伝送を実行するとき、復調基準信号（demodulation reference signal、ＤＭＲＳ）パターン、またはＤＭＲＳポート番号を決定する必要がある。したがって、本出願のこの実施形態においては、ＤＭＲＳパターンまたはＤＭＲＳポート番号は、一括して、ＤＭＲＳ属性と呼ばれ、ＤＭＲＳ属性は、ネットワークデバイス１１０によって構成されたデータ分散方式に結び付けられ、すなわち、異なるＤＭＲＳ属性は、異なるデータ分散方式に対応している。このように、ネットワークデバイス１１０は、端末デバイス１２０に、端末デバイス１２０とのデータ伝送中に使用されるＤＭＲＳ属性を通知する。端末デバイス１２０は、データ分散方式に基づいて、データをネットワークデバイス１１０に送信するために、またはデータ分散方式に基づいて、ネットワークデバイス１１０によって送信されたデータを受信するために、ＤＭＲＳ属性に基づいて、ネットワークデバイス１１０とのデータ伝送を実行するために使用されるデータ分散方式を決定し得る。
【０１１５】
ネットワークデバイス１１０は、様々なシグナリング、例えば、ダウンリンク制御情報（downlink control information、ＤＣＩ）、無線リソース制御（Radio resource control、ＲＲＣ）シグナリング、および媒体アクセス制御（media access control、ＭＡＣ）レイヤ制御要素（control element、ＣＥ）を使用することによって、端末デバイス１２０にＤＭＲＳ属性を送信し得ることが理解されるべきである。本出願のこの実施形態においては、これは、限定的ではない。
【０１１６】
特に、ネットワークデバイス１１０と端末デバイス１２０は、事前設定された第１の対応に基づいて、データ分散方式を決定し得る。異なるＤＭＲＳパターンは、異なるマッピング方式に対応しており、または異なるＤＭＲＳポート番号は、異なるマッピング方式に対応している。ネットワークデバイス１１０と端末デバイス１２０がデータ伝送を実行するときに使用される、ＤＭＲＳパターンまたはＤＭＲＳポート番号、例えば、第１のＤＭＲＳパターンまたは第１のＤＭＲＳポート番号は、知られている。したがって、送信端と受信端は、第１のＤＭＲＳパターンまたは第１のＤＭＲＳポート番号に基づいて、複数のデータ分散方式から、第１のＤＭＲＳパターンまたは第１のＤＭＲＳポート番号に対応するデータ分散方式を決定し得る。例えば、ネットワークデバイス１１０と端末デバイス１２０は、ポート番号ｘ１−ｙ１は、ポート番号が、時間領域集中化されたデータ分散方式に対応していることを示し、ポート番号ｘ２−ｙ２は、ポート番号が、時間領域非集中化されたデータ分散方式に対応していることを示すことを合意し得る。しかしながら、本出願のこの実施形態においては、これは、限定的ではない。
【０１１７】
ＤＭＲＳ属性は、ＤＭＲＳパターン、ＤＭＲＳポート番号、またはＤＭＲＳ属性が属するＤＭＲＳ信号によって占有されるＯＦＤＭシンボルの量に加えて、ＤＭＲＳのスクランブリング符号または直交系列であってよいことが理解されるべきである。本出願のこの実施形態においては、これは、限定的ではない。
【０１１８】
任意選択の実施形態においては、図４は、本出願の実施形態に従った、別のデータ伝送方法４００を示している。方法４００は、以下を含む。
【０１１９】
Ｓ４１０。ネットワークデバイス１１０は、端末デバイス１２０のサービス要件またはアプリケーションシナリオに基づいて、指示情報を決定し得、指示情報は、データ分散方式を示すために使用され、データ分散方式は、同じ符号ブロックのデータの、少なくとも１つの時間領域シンボル上への分散を示すために使用される。
【０１２０】
Ｓ４２０。ネットワークデバイス１１０は、端末デバイス１２０に指示情報を送信する。
【０１２１】
それに対応して、端末デバイス１２０は、ネットワークデバイス１１０によって送信された指示情報を受信する。
【０１２２】
Ｓ４３０。端末デバイス１２０は、指示情報に従って、ネットワークデバイス１１０とのデータ伝送を実行するために使用されるデータ分散方式を決定する。
【０１２３】
端末デバイス１２０が、データ分散方式を決定した後、端末デバイス１２０は、データ分散方式に基づいて、ネットワークデバイス１１０とのデータ伝送を実行する。
【０１２４】
特に、ネットワークデバイス１１０は、指示情報を使用することによって、端末デバイス１２０に、端末デバイス１２０とのデータ伝送を実行するために使用されるデータ分散方式を直接的に通知し得る。端末デバイス１２０は、データ分散方式に基づいて、データをネットワークデバイス１１０に送信するために、またはデータ分散方式に基づいて、ネットワークデバイス１１０によって送信されたデータを受信するために、指示情報に従って、ネットワークデバイス１１０とのデータ伝送を実行するために使用されるデータ分散方式を直接的に決定し得る。
【０１２５】
任意選択の実施形態においては、指示情報は、以下の情報、すなわち、ダウンリンク制御情報ＤＣＩ、無線リソース制御ＲＲＣシグナリング、および媒体アクセス制御ＭＡＣレイヤ制御要素ＣＥのうちのいずれか１つである。
【０１２６】
ネットワークデバイス１１０は、上述の３つのタイプのシグナリング以外のシグナリングを使用することによって、端末デバイス１２０に指示情報を送信してよいことが理解されるべきである。本出願のこの実施形態においては、これは、限定的ではない。
【０１２７】
任意選択の実施形態においては、データ分散方式は、時間領域非集中化方式、または時間領域集中化方式であり、時間領域非集中化方式は、同じ符号ブロックからのデータが、複数の時間領域シンボル上に非集中的に分散されることを示すために使用され、時間領域集中化方式は、同じ符号ブロックからのデータが、少なくとも１つの連続する時間領域シンボル上に集中的に分散されることを示すために使用される。
【０１２８】
特に、データ分散方式は、時間領域非集中化方式、または時間領域集中化方式であり得る。時間領域非集中化方式は、同じ符号ブロックからのデータが、時間領域において非集中的に分散されることを示し、時間領域集中化方式は、同じ符号ブロックからのデータが、時間領域において集中的に分散されることを示す。受信端は、データが高速に復調される必要があるアプリケーションシナリオを満たすために、時間領域集中化方式で分散されたデータに対して高速復調を実行し得る。時間領域非集中化方式で分散されたデータについては、伝送信頼性が、より高く、伝送性能が、より良好である。
【０１２９】
図５は、本出願の実施形態に従った、時間領域集中化方式におけるデータ分散の概略図である。図５においては、受信端がデータに対して高速復調を実行することを保証するために、各ＣＢは、優先的に、１つの時間領域シンボル、またはより多くの連続する時間領域シンボル上に集中的に分散される。図６は、本出願の実施形態に従った、時間領域非集中化方式におけるデータ分散の概略図である。図６においては、伝送性能が大きく改善されることができるように、各ＣＢは、優先的に、異なる時間領域シンボル上に非集中的に分散される。
【０１３０】
時間領域集中化方式においては、同じＣＢのデータは、優先的に、１つの時間領域シンボル上に分散されることが理解されるべきである。１つの時間領域シンボルでは十分でないときは、ＣＢの残りのデータは、隣接する時間領域シンボル上に配置され、以降も同様である。したがって、時間領域集中化方式が使用されるとき、同じＣＢのデータは、少なくとも１つの連続する時間領域シンボル上に分散される。時間領域非集中化方式においては、同じＣＢのデータは、非集中的に配置される必要があるが、同じＣＢからのデータは、すべての利用可能な時間領域シンボルに非集中化されなくてよい。例えば、全部で１０個の利用可能な時間領域シンボルが、存在し、１つのＣＢは、３つの時間領域シンボル、５つの時間領域シンボル、または８つの時間領域シンボル上だけに非集中的に配置され得る。これは、本出願のこの実施形態における時間領域非集中化方式に当てはまるべきである。
【０１３１】
データ分散方式は、時間領域における同じＣＢからのデータの最終的な分散だけを反映することがさらに理解されるべきである。本出願のこの実施形態は、周波数領域および空間領域におけるデータの分散に対しては、限定を課さない。例えば、時間領域における送信されるデータの分散方式が、時間領域非集中化方式であるとき、同じＣＢからのデータは、空間および／または周波数領域においては、非集中的または集中的に分散され得る。時間領域集中化方式のケースも、同じである。本出願のこの実施形態においては、これは、限定的ではない。
【０１３２】
ネットワークデバイス１１０が、送信されるデータに対して、異なる処理方式を使用するとき、時間領域集中化方式と時間領域非集中化方式は、異なる結果を生み出すことが理解されるべきである。本出願のこの実施形態においては、これは、限定的ではない。
【０１３３】
任意選択の実施形態においては、時間領域集中化方式は、すべての符号ブロックにおいて、初期ロケーションインデックスがｘ1＜ｘ2を満たす、第１のデータと第２のデータの時間領域シンボルインデックスが、ｎ1≦ｎ2を満たすことを示すために使用され、
ｘ1は、第１のデータの初期ロケーションインデックスであり、ｘ2は、第２のデータの初期ロケーションインデックスであり、ｎ1は、第１のデータの時間領域シンボルインデックスであり、ｎ2は、第２のデータの時間領域シンボルインデックスであり、
時間領域非集中化方式は、第１の符号ブロックが存在し、第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、第３のデータの初期ロケーションインデックスであり、ｘ4は、第４のデータの初期ロケーションインデックスであり、ｎ3は、第３のデータの時間領域シンボルインデックスであり、ｎ4は、第４のデータの時間領域シンボルインデックスである。
【０１３４】
特に、異なるＣＢからの変調シンボルまたはビットが、入れ替えられることはない。すなわち、最終的なマッピング結果においては、いずれの時間領域シンボル上においても、１つのＣＢからの変調シンボルまたはビットは、常に、別のＣＢのそれらが配置される前に、完全に配置される。ネットワークデバイス１１０は、送信されるデータに対して、ビットレベルインターリービングまたは変調シンボルレベルインターリービングを実行しないが、ＣＢレベルインターリービングを実行し得るので、そのような結果が獲得されることが理解されるべきである。初期ロケーションインデックスは、符号ブロックに対して処理が実行されていないときの、符号ブロック内におけるデータのインデックスである。
【０１３５】
理解を容易にするために、以下では、図７および図８を参照して、本出願のこの実施形態を詳細に説明する。Ｑ１とＱ２は、同じＣＢからの２つのデータ片、すなわち、変調シンボルまたはビットであり、ＣＢ内におけるデータのロケーションインデックスは、それぞれ、ｘ1とｘ2であり、ｘ1＜ｘ2であることが仮定される。最終的なマッピング結果においては、Ｑ１が位置付けられる時間領域シンボルは、ｎ1であり、Ｑ２が位置付けられる時間領域シンボルは、ｎ2である。
【０１３６】
任意のＣＢ内におけるｘ1＜ｘ2を満たすいずれのＱ１およびいずれのＱ２についても、ｎ1≦ｎ2である場合、データ分散方式は、図７に示されるように、時間領域集中化方式である。
【０１３７】
ｘ1＜ｘ2を満たすＱ１とＱ２に対して、ｎ1＞ｎ2であるケースが、存在する場合、データ分散方式は、図８に示されるように、時間領域非集中化方式である。
【０１３８】
任意選択の実施形態においては、時間領域集中化方式は、第１の時間領域シンボルが、少なくとも２つの第１の符号ブロックを含まず、および、第１の符号ブロックに属し、第１の時間領域シンボル上に分散されるデータの初期ロケーションインデックスの最大値が、第１の符号ブロックに属し、リソースユニット上に分散されるデータの初期ロケーションインデックスの最大値に等しくないことを示すために使用される。リソースユニットは、スケジュールされたユーザに対するリソース割り当てを実行するために使用される基本ユニットであり、リソースユニット内のすべての時間領域シンボルは、第１の時間領域シンボルである。本発明のこの実施形態において定義されるリソースユニットは、スケジューリングリソースであり得る。スケジューリングリソースは、周波数領域においては、いくつかのサブキャリアを含み、時間領域においては、複数のＯＦＤＭシンボルを含む。複数のＯＦＤＭシンボルは、１つのサブフレーム、１つのスロット、またはスロットアグリゲーション後に獲得される１つのサブフレームである。
【０１３９】
代替として、時間領域非集中化方式は、Ｑ個の符号ブロックからのデータを含む第１の時間領域シンボル上において、Ｑ個の符号ブロックに属する少なくとも２つの第２の符号ブロックが存在し、第２の符号ブロックに属し、第１の時間領域シンボル上に分散されるデータの初期ロケーションインデックスの最大値が、第２の符号ブロックに属し、リソースユニット上に分散されるデータの初期ロケーションインデックスの最大値に等しくなく、Ｑは、１よりも大きい整数であることを示すために使用される。
【０１４０】
特に、異なるＣＢからの変調シンボルまたはビットが、入れ替えられることがある。すなわち、最終的なマッピング結果においては、異なるＣＢからの変調シンボルまたはビットが入れ替えられた、時間領域シンボルが、存在する。ネットワークデバイス１１０は、送信されるデータに対して、ビットレベルインターリービングまたは変調シンボルレベルインターリービングを実行するので、そのような結果が獲得されることが理解されるべきである。
【０１４１】
理解を容易にするために、以下では、図９および図１０を参照して、本出願のこの実施形態を詳細に説明する。Ｐ個（Ｐ≧１）の異なるＣＢからのデータを含む時間領域シンボルについて、データは、それぞれ、ＣＢ１、ＣＢ２、．．．、ＣＢＰであることが仮定される。時間領域シンボル上におけるロケーションシーケンス（すなわち、変調シンボルまたはビットが入れ替えられる前の、ＣＢ内における変調シンボルのシーケンス）において、ＣＢｐ（１＜ｐ≦Ｐ）の最後の変調シンボルまたはビットに対応する初期ロケーションインデックスは、ｘｐである。加えて、ＣＢｐ全体の最後の変調シンボルまたはビットに対応する初期ロケーションインデックスは、Ｃｐである（すなわち、特定のレイヤにおける最後の変調シンボルまたはビットに対応する初期ロケーションインデックスは、Ｃｐである）ことが仮定される。
【０１４２】
Ｐ個のＣＢにおけるＰ≧１であるいずれの時間領域シンボルについても、少なくともＰ−１個のＣＢのｘｐが、Ｃｐに等しい場合、データ分散方式は、図９に示されるように、時間集中化方式である。
【０１４３】
Ｐ個のＣＢにおけるＰ≧１であるいずれの時間領域シンボルについても、Ｐ−１個よりも少ないＣＢのｘｐが、Ｃｐに等しい場合、データ分散方式は、図１０に示されるように、時間領域非集中化方式である。
【０１４４】
任意選択の実施形態においては、時間領域非集中化方式は、
同じ符号ブロックからのデータが、リソースユニット内のすべての時間領域シンボル上に非集中的に分散されることを示すために使用され、リソースユニットは、スケジュールされたユーザに対するリソース割り当てを実行するために使用される基本ユニットである、第１の時間領域非集中化方式と、
同じ符号ブロックからのデータが、リソースユニット内の同じスロットのすべての時間領域シンボル上に非集中的に分散されることを示すために使用される、第２の時間領域非集中化方式と、
同じ符号ブロックからのデータが、リソースユニット内のＮ個の時間領域シンボル上に非集中的に分散されることを示すために使用され、Ｎは、１よりも大きい整数である、第３の時間領域非集中化方式と
を含む。
【０１４５】
特に、時間領域非集中化されたデータ分散方式は、異なる非集中化の程度を含み得、非集中化の程度は、同じＣＢからのデータが分散される時間領域シンボルの量を使用することによって測定され得る。同じＣＢからのデータは、リソースユニット内におけるすべての時間領域シンボル上に非集中的に分散され得、またはリソースユニット内における同じスロットのすべての時間領域シンボル上に非集中的に分散され得、またはリソースユニット内におけるいくつかの時間領域シンボル上に非集中的に分散され得る。本出願のこの実施形態においては、これは、限定的ではない。リソースユニット（resource unit、ＲＵ）は、スケジュールされたユーザに対するリソース割り当てを実行するための基本ユニットとして使用され得ることが理解されるべきである。１つのリソースユニットは、周波数領域においては、複数の連続するサブキャリアを占有し、時間領域においては、複数の連続するシンボル（ＯＦＤＭシンボル）を占有する。
【０１４６】
ネットワークデバイス１１０は、データ分散方式が、時間領域非集中化方式であるか、それとも時間領域集中化方式であるかを、複数の方式で、決定し得ることが理解されるべきである。本出願のこの実施形態においては、これは、限定的ではない。
【０１４７】
任意選択の実施形態においては、アプリケーションシナリオが、復調結果が、現在のリソースユニット上においてフィードバックされる必要がある場合、ＤＭＲＳ属性は、時間領域集中化方式に対応しており、リソースユニットは、スケジュールされたユーザに対するリソース割り当てを実行するために使用される基本ユニットであり、または
アプリケーションシナリオが、復調結果が、現在のリソースユニット上においてフィードバックされる必要がない場合、ＤＭＲＳ属性は、時間領域非集中化方式に対応している。
【０１４８】
特に、復調結果が、（特に現在のフレームまたは現在のスケジューリングリソースであり得る）現在のリソースユニット上においてフィードバックされる必要があるとき、ネットワークデバイス１１０は、対応するＤＭＲＳ属性を使用する。ＤＭＲＳ属性は、時間領域集中化方式に対応し得る。図１１および図１２は、復調結果が現在のサブフレーム内においてフィードバックされるときの、ＤＭＲＳパターンの概略図である。図１１および図１２に示されたＤＭＲＳパターンに対応するデータ分散方式は、時間領域集中化方式であり得る。対照的に、復調結果が現在のサブフレーム内においてフィードバックされる必要がないとき、ネットワークデバイス１１０は、対応するＤＭＲＳ属性を使用し得、ＤＭＲＳ属性は、時間領域非集中化方式に対応し得る。図１３および図１４は、復調結果が現在のサブフレーム内においてフィードバックされる必要がないときの、ＤＭＲＳパターンの概略図である。図１３および図１４に示されたＤＭＲＳパターンに対応するデータ分散方式は、時間領域非集中化方式であり得る。
【０１４９】
任意選択の実施形態においては、ＤＭＲＳパターンが、ＤＭＲＳが、１つの時間領域シンボルを占有するとき、ＤＭＲＳパターンは、時間領域集中化方式に対応しており、または
ＤＭＲＳパターンが、ＤＭＲＳが、少なくとも２つの時間領域シンボルを占有するとき、ＤＭＲＳによって占有されるどの２つの時間領域シンボルの間にも、データ伝送が存在しない場合は、ＤＭＲＳパターンは、時間領域集中化方式に対応しており、もしくはＤＭＲＳによって占有される少なくとも２つの時間領域シンボルの間に、データ伝送が存在する場合は、ＤＭＲＳ属性は、時間領域非集中化方式に対応している。
【０１５０】
特に、ネットワークデバイス１１０は、ＤＭＲＳパターンを決定する。ＤＭＲＳパターンが、ＤＭＲＳが、１つの時間領域シンボルを占有するとき、ＤＭＲＳパターンは、時間領域集中化方式に対応している。ＤＭＲＳパターンが、ＤＭＲＳが、少なくとも２つの時間領域シンボルを占有するとき、ＤＭＲＳによって占有されるどの２つの時間領域シンボルの間にも、データ伝送が存在しないときは、すなわち、ＤＭＲＳを搬送するどの２つの時間領域シンボルの間にも、データ伝送が存在しないときは、ＤＭＲＳパターンは、時間領域集中化方式に対応し得る。図１１は、すべてのＤＭＲＳの送信がデータ伝送の前であるときの、１つのＤＭＲＳパターンの概略図である。図１１に示されたＤＭＲＳパターンに対応するデータ分散方式は、時間領域集中化方式であり得る。ＤＭＲＳによって占有される少なくとも２つの時間領域シンボルの間に、データ伝送が存在する場合は、すなわち、ＤＭＲＳを搬送する２つの時間領域シンボルの間に、データ伝送が存在する場合は、ＤＭＲＳパターンは、時間領域非集中化方式に対応し得る。図１２から図１４に示されたＤＭＲＳパターンの概略図においては、ＤＭＲＳ送信がデータ伝送の後であるケースが、存在する。したがって、３つのＤＭＲＳパターンに対応するデータ分散方式は、時間領域非集中化方式であり得る。
【０１５１】
結論として、データ分散方式とＤＭＲＳパターンとの間の対応は、以下の２つの異なる方式を使用し得る。
【０１５２】
方式１：どの２つのＤＭＲＳの送信の間にもデータ伝送が存在しないケースに適用可能な、ＤＭＲＳパターン（図１１）においては、時間領域集中化方式が使用され、２つのＤＭＲＳの送信の間にデータ伝送が存在するケースに適用可能な、ＤＭＲＳパターン（図１２、図１３、図１４）においては、時間領域非集中化方式が使用される。上述の実装に対する補足として、図３４を参照すると、ＤＭＲＳパターンが、どの２つのＤＭＲＳの送信の間にもデータ伝送が存在しない連続するＤＭＲＳパターンである場合、または別のパターンのＤＭＲＳが定期的に出現する、もしくはＤＭＲＳがただ１つのＯＦＤＭシンボルを占有するときにバースト方式で出現する場合、すなわち、２つのＤＭＲＳの送信の間に、データ伝送が存在する場合、時間領域集中化方式は、時間領域非集中化方式に切り換えられることはなく、一貫性を維持するために、時間領域集中化方式が、常に使用され得る。
【０１５３】
方式２：復調結果が現在のリソースユニット上においてフィードバックされる必要があるケースに適用可能な、ＤＭＲＳパターン（図１１、図１２）においては、時間領域集中化方式が使用され、復調結果が現在のリソースユニット上においてフィードバックされる必要がないケースに適用可能な、ＤＭＲＳパターン（図１３、図１４）においては、時間領域非集中化方式が使用される。
【０１５４】
どちらの方式を使用するかは、端末デバイス１２０のアプリケーションシナリオまたはサービス要件に依存し、方式は、ネットワークデバイス１１０によって構成されることが理解されるべきである。本出願のこの実施形態においては、これは、限定的ではない。
【０１５５】
任意選択の実施形態においては、方法は、以下のステップをさらに含む。
【０１５６】
ネットワークデバイス１１０は、端末デバイス１２０のサービス要件またはアプリケーションシナリオに基づいて、データ伝送を実行するために使用されるフレーム構造を決定し、フレーム構造は、データ分散方式に対応しており、
それに対応して、端末デバイス１２０は、ネットワークデバイス１１０とのデータ伝送を実行するために使用されるフレーム構造に基づいて、ネットワークデバイス１１０とのデータ伝送を実行するために使用されるデータ分散方式を決定し、データ分散方式は、同じ符号ブロックの、少なくとも１つの時間領域シンボル上への分散を示すために使用され、
端末デバイス１２０は、データ分散方式に基づいて、ネットワークデバイス１１０とのデータ伝送を実行する。
【０１５７】
フレーム構造は、ネットワークデバイス１１０と端末デバイス１２０とによって事前合意されてよく、またはネットワークデバイス１１０は、後続するデータ伝送のために使用されるフレーム構造を示すために、端末デバイス１２０に指示情報を送信することが理解されるべきである。本出願のこの実施形態においては、これは、限定的ではない。
【０１５８】
任意選択の実施形態においては、端末デバイス１２０のアプリケーションシナリオが、復調結果が、現在のリソースユニット上においてフィードバックされる必要がある場合、フレーム構造は、時間領域集中化方式に対応しており、リソースユニットは、スケジュールされたユーザに対するリソース割り当てを実行するために使用される基本ユニットであり、または
端末デバイス１２０のアプリケーションシナリオが、復調結果が、現在のリソースユニット上においてフィードバックされる必要がない場合、フレーム構造は、時間領域非集中化方式に対応している。
【０１５９】
特に、ネットワークデバイス１１０は、端末デバイス１２０のサービス要件またはアプリケーションシナリオに基づいて、使用されるフレーム構造を直接的に決定し、フレーム構造とデータ分散方式との間の対応を決定し得る。復調結果が、現在のリソースユニット上においてフィードバックされる必要がある場合、フレーム構造は、時間領域集中化方式に対応し得る。復調結果が、現在のリソースユニット上においてフィードバックされる必要がない場合、フレーム構造は、時間領域非集中化方式に対応し得る。
【０１６０】
以下の表は、データ分散方式を要約したものである。
【０１６１】
【表１】
2020512728.tif 000003
【０１６２】
表１におけるいくつかのデータ分散方式においては、符号ブロックに対して、インターリービングは実行されない。代替として、周波数領域インターリービング、時間領域インターリービング、または時間−周波数インターリービングの方式が使用される。周波数領域インターリービングは、１つの符号ブロックのデータと、別の符号ブロックのデータが、１つのＯＦＤＭシンボル上においてインターリーブされることを意味する。すなわち、１つのＯＦＤＭシンボルの周波数領域において、インターリービングが、実行される。図２３を参照すると、例えば、ＣＢ０のデータは、複数の部分に分割され、そのすべては、同じＯＦＤＭシンボル上に分散される。周波数領域インターリービングにおいては、ＣＢは、２つ以上のシンボル上に分散されてもまたよい。特徴は、周波数領域インターリービングの間、ＣＢからの変調シンボルが、インターリービング前のＯＦＤＭシンボル上に保たれることである。
【０１６３】
時間領域インターリービングは、１つの符号ブロックのデータと、別の符号ブロックのデータが、複数のＯＦＤＭシンボルにおける同じ周波数を有するサブキャリア上においてインターリーブされることを意味する。図２４に示されるように、１つの符号ブロックのデータは、時間領域インターリービングを通して、複数のＯＦＤＭシンボル上に分散される。時間領域インターリービングのインターリービング範囲は、２つ以上の時間領域シンボルであってよく、または１つのスロット（slot）であってよい。スロットアグリゲーションシナリオにおいては、インターリービング範囲は、アグリゲーション後の複数のスロットであってもまたよい。符号ブロックグループ（code block group、ＣＢＧ）を使用する無線システムにおいては、時間領域インターリービングは、１つのＣＢＧ内であってよい。
【０１６４】
時間−周波数インターリービングにおいては、１つの符号ブロックのデータが、別の符号ブロックのデータと、周波数領域と時間領域の両方においてインターリーブされる。図２５に示されるように、時間−周波数インターリービング方式においては、１つの符号ブロックのデータが、周波数領域においては、複数のサブキャリア上に、時間領域においては、複数のＯＦＤＭシンボル上に非集中的に分散される。例えば、符号ブロックＣＢ０のデータは、異なる周波数を有するサブキャリア上に、また異なるＯＦＤＭシンボル上に分散される。時間−周波数インターリービングは、時間領域においては、２つ以上の時間領域シンボル、もしくは１つもしくは複数のスロット内であってまたよく、またはスロットアグリゲーションシナリオにおいては、１つもしくは複数のアグリゲートされたスロット、もしくは１つのＣＧＢ内であってまたよい。
【０１６５】
表１においては、符号ブロックのデータ分散方式が、取り決められるとき、周波数領域マッピングを優先的に実行し、その後、時間領域マッピングを実行する方式が使用されてよく、または時間領域マッピングを優先的に実行し、その後、周波数領域マッピングを実行する方式が使用される。周波数領域マッピングを優先的に実行し、その後、時間領域マッピングを実行する方式においては、優先的な実行は、時間シーケンスを参照しない。代わりに、１つまたは複数の符号ブロックのデータの分散が、時間−周波数リソース上に配置されるとき、１つまたは複数の符号ブロックのデータは、１つの時間領域シンボルの周波数領域に優先的に配置される。その後、残りのデータが、存在する場合、データは、時間領域において連続する次の時間領域シンボル上に配置される。図５に示されるように、１つのＯＦＤＭシンボルは、ＣＢ０、ＣＢ１、ＣＢ２、ＣＢ３を含み、その後、続いて、ＣＢ４、ＣＢ５、ＣＢ６、ＣＢ７が、時間領域において連続する次のＯＦＤＭシンボル上に配置される。
【０１６６】
同様に、時間領域マッピングを優先的に実行し、その後、周波数領域マッピングを実行する方式においては、優先的な実行は、時間シーケンスを参照しない。代わりに、１つまたは複数の符号ブロックのデータの分散が、時間−周波数リソース上に配置されるとき、いくつかの時間領域シンボル上における同じ周波数を有するサブキャリアの１つのグループが、優先的に占有され、その後、いくつかの時間領域シンボル上における周波数領域において連続するサブキャリアの次のグループが、占有される。図２４に示されるように、図におけるＭ、Ｎ、Ｔ、Ｙ、Ｗ、Ｖは、すべて、正の整数である。図２６においては、符号ブロックの間に、インターリービングは、存在しない。複数の符号ブロックは、複数の時間領域シンボル上の、同じ周波数を有するサブキャリアのグループ上に、順番に、優先的に配置される。この実施形態においては、全部でＭ＋１個の時間領域シンボルが、存在する。サブキャリアの第１のグループが、優先的に完全に満たされた後、続いて、残りの符号ブロックが、Ｍ＋１個の時間領域シンボル上の、周波数領域において連続するサブキャリアの次のグループ上に、順番に、配置される。
【０１６７】
表１に示されるように、異なるインターリービング方式、またはインターリービングなしと、周波数領域マッピングを優先的に実行し、その後、時間領域マッピングを実行する方式、または時間領域マッピングを優先的に実行し、その後、周波数領域マッピングを実行する方式との組合せは、複数のデータ分散方式を構成する。周波数領域マッピングを優先的に実行し、その後、時間領域マッピングを実行する方式が使用され、インターリービングなしが実行される場合、それは、表１における、時間領域集中化された分散方式１を示す。時間領域集中化された分散方式１に基づいて、周波数領域インターリービングが、実行される場合、それは、時間領域集中化された分散方式２を示す。時間領域集中化された分散方式２を使用する符号ブロックのデータは、同じ時間領域シンボルの周波数領域においてインターリーブされる。図２３に示されるように、ＣＢ０、ＣＢ１、ＣＢ２など、同じ符号ブロックのデータは、同じ時間領域シンボル上において集中的に分散され、ＣＢ０のデータは、時間領域シンボル上において、ＣＢ１のデータおよびＣＢ２のデータとインターリーブされる。
【０１６８】
時間領域集中化された分散方式１および２以外のすべての組合せ方式は、時間領域非集中化された分散方式と呼ばれる。特に、時間領域マッピングを優先的に実行し、その後、周波数領域マッピングを実行する方式が使用され、その後、時間領域インターリービングが使用される場合、それは、時間領域非集中化された分散方式１を示す。図２６に示されるように、図におけるＭ、Ｎ、Ｔ、Ｙ、Ｗ、Ｖは、すべて、正の整数である。図２４においては、符号ブロックの間に、インターリービングは存在しない。複数の符号ブロックは、複数の時間領域シンボル上の、同じ周波数を有するサブキャリアのグループ上に、順番に、優先的に配置される。この実施形態においては、全部でＭ＋１個の時間領域シンボルが存在する。サブキャリアの第１のグループが、優先的に完全に満たされた後、続いて、残りの符号ブロックが、Ｍ＋１個の時間領域シンボル上の、周波数領域において連続するサブキャリアの次のグループ上に、順番に、配置される。時間−周波数インターリービング方式が、その後、使用される場合、それは、時間領域非集中化された分散方式を示す。周波数領域マッピングを優先的に実行し、その後、時間領域マッピングを実行する方式が使用され、時間−周波数インターリービングが実行される場合、それは、時間領域非集中化された分散方式２を示す。時間領域マッピングを優先的に実行し、その後、周波数領域マッピングを実行する方式が使用され、インターリービングが実行されない場合、それは、時間領域非集中化された分散方式３を示す。時間領域マッピングを優先的に実行し、その後、周波数領域マッピングを実行する方式が使用され、周波数領域インターリービングが実行される場合、それは、時間領域非集中化された分散方式４を示す。時間領域マッピングを優先的に実行し、その後、周波数領域マッピングを実行する方式が使用され、時間領域インターリービングが実行される場合、それは、時間領域非集中化された分散方式５を示す。時間領域マッピングを優先的に実行し、その後、周波数領域マッピングを実行する方式が使用され、時間−周波数インターリービングが実行される場合、それは、時間領域非集中化された分散方式６を示す。
【０１６９】
異なるデータ分散方式は、異なる特徴を有し、ネットワークデバイスは、端末デバイス１２０のアプリケーションシナリオまたはサービス要件に基づいて、端末デバイス１２０とのデータ伝送を実行するためのデータ分散方式を選択し得る。上述の実施形態において説明されたように、対応するデータ分散方式は、復調基準信号ＤＭＲＳ属性に基づいて、決定される。端末デバイス１２０も、ネットワークデバイス１１０とのデータ伝送を実行するために、ＤＭＲＳ属性に基づいて、ネットワークデバイス１１０によって使用されるデータ分散方式を決定する。上述の実施形態においては、別のソリューションが、さらに開示されている。例えば、復調結果が、現在のリソース上においてフィードバックされる必要がある場合、ネットワークデバイス１１０は、時間領域集中化方式を使用し、必要がない場合、時間領域非集中化方式を使用する。
【０１７０】
ネットワークデバイス１１０は、ＤＭＲＳ属性または別の要因に基づいて、表１におけるデータ分散方式の１つを、すなわち、時間領域集中化された分散方式１もしくは２、または時間領域非集中化された分散方式１、２、３、４、５、もしくは６を使用することを決定し得る。以下では、特定の要因と、対応するデータ分散方式とを追加する。
【０１７１】
追加されるソリューション１：図１１を参照すると、復調結果、すなわち、ＡＣＫ／ＮＡＣＫが、現在のスケジューリングリソースまたはスロット上においてフィードバックされる必要があり、ＤＭＲＳパターンが、ＤＭＲＳが、少なくとも２つの時間領域シンボルを占有するものであり、ＤＭＲＳによって占有されるどの２つの時間領域シンボルの間にも、データ伝送が存在しないとき、データ分散方式（１）または（２）が、すなわち、時間領域集中化された分散方式１または２が使用される。時間領域集中化された分散方式１は、インターリービングを含まず、実装するのが容易であり、小さい帯域幅に適用可能である。時間領域集中化された分散方式２においては、周波数領域ダイバーシティ利得が、周波数領域インターリービングを通して獲得され得る。
【０１７２】
追加されるソリューション２：図１２を参照すると、復調結果、すなわち、ＡＣＫ／ＮＡＣＫが、現在のスケジューリングリソースまたはスロット上においてフィードバックされる必要があり、ＤＭＲＳパターンが、ＤＭＲＳが、少なくとも２つの時間領域シンボルを占有するものであり、ＤＭＲＳによって占有されるいずれか２つの時間領域シンボルの間に、データ伝送が存在するとき、時間領域非集中化された分散方式１〜６のうちの１つが、使用される。ＤＭＲＳパターンが、ＤＭＲＳが、少なくとも２つの時間領域シンボルを占有するものであり、ＤＭＲＳによって占有されるいずれか２つの時間領域シンボルの間に、データ伝送が存在するとき、それは、端末デバイス１２０が高速で移動していることを示し、時間ダイバーシティ利得が、時間領域非集中化された分散方式で獲得され得る。可能な実装においては、この条件の下において、ＡＣＫ／ＮＡＣＫが、現在のスケジューリングリソース上においてフィードバックされる必要があり、高速復調要件が、存在することを考慮して、時間領域集中化された分散方式１が、使用されてもまたよい。このケースにおいては、ＤＭＲＳによって占有される２つの時間領域シンボルの間に、データ伝送が存在し、チャネル推定は、時間を消費し、それは、高速復調の助けとならない。したがって、時間を節約するために、インターリービングは、実行されない。
【０１７３】
追加されるソリューション３：図１３を参照すると、復調結果が、現在のスケジューリングリソース上においてフィードバックされる必要がなく、ＤＭＲＳパターンが、ＤＭＲＳが、少なくとも２つの時間領域シンボルを占有するものであり、ＤＭＲＳによって占有されるいずれか２つの時間領域シンボルの間に、データ伝送が存在するとき、時間領域非集中化された分散方式１〜６のうちの１つが、使用される。ＤＭＲＳパターンが、ＤＭＲＳが、少なくとも２つの時間領域シンボルを占有するものであり、ＤＭＲＳによって占有されるいずれか２つの時間領域シンボルの間に、データ伝送が存在するとき、それは、端末デバイス１２０が高速で移動していることを示し、時間ダイバーシティ利得が、時間領域非集中化を通して獲得され得る。
【０１７４】
追加されるソリューション４：図２７を参照すると、復調結果が、現在のスケジューリングリソース上においてフィードバックされる必要がないとき、ＤＭＲＳパターンは、ＤＭＲＳが少なくとも２つの時間領域シンボルを占有するものであり、ＤＭＲＳによって占有される任意の２つの時間領域シンボル間でデータ伝送がなく、時間領域集中化分散方式１〜２のうちの１つが使用される。この場合、ＤＭＲＳ信号が集中されることを考慮すると、端末デバイス１２０は、高速に移動せず、時間ダイバーシティ利得効果は強くなく、時間領域集中化分散方式１〜２が使用される。可能な実装では、時間領域非集中化分散方式１〜６のうちの１つも使用され得る。時間ダイバーシティ利得はこの場合明らかでないが、時間領域非集中化方式が、別のシナリオではデータ分散方式に一致し得ることを考慮すると、復調結果が、実装を容易にするために現在のスケジューリングリソース上においてフィードバックされる必要がないので、時間領域非集中化方式１〜６のうちの１つが使用される。本明細書で説明する別のシナリオは、ＤＭＲＳが少なくとも２つの時間領域シンボルを占有するとき、ＤＭＲＳによって占有される任意の２つの時間領域シンボル間でデータ伝送がない場合を指す。
【０１７５】
追加されるソリューション５：ＤＭＲＳ属性およびフレーム構造に加えて、データ分散方式は、チャネル状態情報基準信号（Channel State Information Reference Signal、ＣＳＩ−ＲＳ）に基づいて決定され得る。概して、端末デバイス１２０が高速移動シナリオにあるとき、ＣＳＩ−ＲＳ密度は比較的高くなる。したがって、高ＣＳＩ−ＲＳ密度シナリオでは、時間領域非集中化分散方式１〜６のうちの１つが使用され得る。したがって、高速移動シナリオでは、時間領域非集中化方式を使用することによってより良い時間ダイバーシティ利得が獲得され得る。一方、低ＣＳＩ−ＲＳ密度シナリオでは、時間領域集中化分散方式１〜２のうちの１つが使用される。低密度は、端末デバイス１２０が低速移動シナリオにあることを示す。このシナリオでは、時間ダイバーシティ利得は明らかでなく、時間領域集中化分散方式を使用することは高速復調を容易にする。
【０１７６】
追加されるソリューション６：ネットワークデバイス１１０はまた、スロットアグリゲーション（slot aggregation）構成を通してデータ分散方式を決定し得る。スロットアグリゲーションは、２つの方式を含み得る。図２８を参照すると、１つのトランスポートブロック（Transport Block、ＴＢ）がアグリゲーション後に獲得された複数のスロット上で搬送される。代替的に、図２９を参照すると、複数のトランスポートブロックが複数のアグリゲーションされたスロット上で搬送される。復調結果が現在のスケジューリングリソース上においてフィードバックされる必要がなく、スロットアグリゲーションが実行されないとき、ネットワークデバイス１１０は、時間領域集中化分散方式１または２を使用する。一方、復調結果が現在のスケジューリングリソース上においてフィードバックされる必要がなく、スロットアグリゲーション方式が使用されるとき、ネットワークデバイス１１０は、時間領域非集中化分散方式を使用する。
【０１７７】
追加されるソリューション７：ハイブリッド自動再送要求（Hybrid Automatic Repeat reQuest、ＨＡＲＱ）技術がＣＢＧベースの再送を実行するために使用される場合、時間領域集中化分散方式１または２が使用される。ＣＢＧベースのＨＡＲＱ再送では、時間領域非集中化データ分散方式が使用される場合、エラーが発生すると、通常、複数のＣＢＧがエラーに遭遇する。したがって、ＣＢＧベースのＨＡＲＱ再送が無意味になる。コードワード（code word、ＣＷ）ベースのＨＡＲＱ再送が実行される場合、時間領域非集中化分散方式１〜６のうちの１つが使用される。
【０１７８】
追加されるソリューション８：５Ｇ新無線（New Radio、ＮＲ）技術は、直接フーリエ変換拡散直交周波数分割多重（Direct Fourier Transform Spread Orthogonal Frequency Division Multiplexing、ＤＦＴ−ｓ−ＯＦＤＭ）およびサイクリックプレフィックス直交周波数分割多重（Cyclic Prefix Orthogonal Frequency Division Multiplexing、ＣＰ−ＯＦＤＭ）の２つのタイプのキャリア波形をサポートする。ＤＦＴ−ｓ−ＯＦＤＭが使用される場合、時間領域非集中化分散方式１〜６のうちの１つが使用される。ＣＰ−ＯＦＤＭが使用される場合、時間領域集中化分散方式１〜２のうちの１つが使用される。
【０１７９】
追加されるソリューション９：ＮＲにおける１つのＣＷは、４つのレイヤにマッピングされることが可能である。ネットワークデバイス１１０は、１つのＣＷに対応するレイヤの量に基づいて使用されるべきデータ分散方式を決定し得る。１つのＣＷに対応するレイヤの量が１であるとき、時間領域集中化分散方式１または時間領域非集中化分散方式３など、インターリービングなしのデータ分散方式が使用される。ＣＷに対応するレイヤの量が２、３、または４であるとき、周波数領域インターリービングありの時間領域集中化分散方式２または周波数領域インターリービングありの時間領域非集中化分散方式４が使用される。可能な実装では、代替的に、ＣＷに対応するレイヤの量が１または２であるとき、時間領域集中化分散方式１または時間領域非集中化分散方式３など、インターリービングなしのデータ分散方式が使用される。ＣＷに対応するレイヤの量が３または４であるとき、周波数領域インターリービングありの時間領域集中化分散方式２または周波数領域インターリービングありの時間領域非集中化分散方式４が使用される。周波数領域インターリービングと時間周波数インターリービングとを使用することによって利得を獲得するための必要条件は、複数のＣＢと比較的小さい量のレイヤがあるということである。１つのＯＦＤＭシンボルまたはいくつかのＯＦＤＭシンボル上に複数のＣＢがある可能性は低く、複数のレイヤに複数のＣＢがある可能性は高い。したがって、比較的少ない量のレイヤがあるとき、インターリービングは実行されず、それは実装が容易である。大量のレイヤがあるとき、利得はインターリービングを通して獲得される。
【０１８０】
追加されるソリューション１０：データ伝送中に、最初のデータ伝送およびデータ再送は、同じデータ分散方式を使用し得る。可能な実施形態では、最初の送信および再送はまた、異なるデータ分散方式を使用し得る。例えば、最初に送信されたデータは、インターリービングなしのデータ分散方式、例えば、時間領域集中化分散方式１または時間領域非集中化分散方式３を使用する。再送されたデータは、周波数領域インターリービングありのデータ分散方式、例えば、時間領域集中化分散方式２または時間領域非集中化分散方式４を使用する。可能な実施形態では、再送されたデータはまた、時間領域非集中化分散方式１、２、５、および６などの時間領域インターリービング方式を使用し得る。再送と最初の送信とが同じ方式を使用する場合、それらは実装が容易である。再送のためにインターリービングが使用される。これは、再送が実行されたとき、それは、チャネルが不十分な状態にあることを示し、再送のパフォーマンスを改善するためにインターリービングが要求されるからである。
【０１８１】
追加されるソリューション１１：ＤＭＲＳが３つ以上の時間領域シンボルを占有し、３つ以上の時間領域シンボル間にデータ伝送があるとき、時間領域非集中化分散方式１〜６のうちの１つが使用される。図３０を参照すると、ＤＭＲＳは少なくとも第１の時間領域シンボルと、第２の時間領域シンボルと、第３の時間領域シンボルとを占有する。データは、第１の時間領域シンボルと第２の時間領域シンボルとの間で伝送され、データはまた、第２の時間領域シンボルと第３の時間領域シンボルとの間で伝送される。さらに、第１の時間領域シンボルと、第２の時間領域シンボルと、第３の時間領域シンボルとが、時間領域中で連続的に配列される。この場合、時間領域非集中化分散方式１〜６のうちの１つが使用される。ＤＭＲＳは３つ以上の時間領域シンボルを占有し、互いの間でデータ伝送がある。この場合、高速復調を実装することが困難である。したがって、パフォーマンスゲインを獲得するために時間領域非集中化データ分散方式が使用される。
【０１８２】
追加されるソリューション１２：ＤＭＲＳパターンは、ＤＭＲＳが少なくとも２つの時間領域シンボルを占有するものであり、ＤＭＲＳによって占有された任意の２つの時間領域シンボル間でデータ伝送があり、コードワード（code word、ＣＷ）ベースのＨＡＲＱ再送が実行されるとき、時間領域非集中化分散方式１〜６のうちの１つが使用される。
【０１８３】
追加されるソリューション１３：ＤＭＲＳ復調結果が現在のスケジューリングリソース上においてフィードバックされず、コードワード（code word、ＣＷ）ベースのＨＡＲＱ再送が実行されるとき、時間領域非集中化分散方式１〜６のうちの１つが使用される。
【０１８４】
追加されるソリューション１４：ＤＭＲＳ復調結果が現在のスケジューリングリソース上においてフィードバックされず、コードワードベースのＨＡＲＱ再送が実行され、ＤＭＲＳパターンは、ＤＭＲＳが少なくとも２つの時間領域シンボルを占有するものであり、ＤＭＲＳによって占有された任意の２つの時間領域シンボル間でデータ伝送があるとき、時間領域非集中化分散方式１〜６のうちの１つが使用される。
【０１８５】
追加されるソリューション１５：ＤＭＲＳパターンは、ＤＭＲＳが少なくとも２つの時間領域シンボルを占有するものであり、ＤＭＲＳによって占有された任意の２つの時間領域シンボル間でデータ伝送があり、ＣＢＧベースのＨＡＲＱ再送が実行されるとき、時間領域非集中化分散方式が使用され、時間領域分散の範囲は１つのＣＢＧ内にある。
【０１８６】
追加されるソリューション１６：復調結果が、現在のスケジューリングリソース上においてフィードバックされず、ＣＢＧベースのＨＡＲＱ再送が実行される場合、時間領域非集中化分散方式が使用され、時間領域分散の範囲は１つのＣＢＧ内にある。
【０１８７】
追加されるソリューション１７：復調結果が現在のスケジューリングリソース上においてフィードバックされず、ＤＭＲＳパターンは、ＤＭＲＳが少なくとも２つの時間領域シンボルを占有するものであり、ＤＭＲＳによって占有された任意の２つの時間領域シンボル間でデータ伝送があり、ＣＢＧベースのＨＡＲＱ再送が実行されるとき、時間領域非集中化分散方式が使用され、時間領域分散の範囲は１つのＣＢＧ内にある。
【０１８８】
上記の複数のソリューション、例えば、追加されるソリューション１〜１７では、ネットワークデバイス１１０は、専用の指示情報を使用することによってデータ分散方式を端末デバイス１２０に通知する必要がなく、端末デバイス１２０は、いくつかのファクタに基づいて、ネットワークデバイス１１０によって使用されるデータ分散方式を獲得し得る。これらのファクタは、上記の実施形態における復調結果が現在のスケジューリングリソース上においてフィードバックされる必要があるのかどうか、ＤＭＲＳ属性、スロットアグリゲーションが実行されるのかどうか、ＣＳＩ−ＲＳ密度、データ再送の粒度などを含む。端末デバイス１２０は、これらのファクタから、ネットワークデバイス１１０によって使用されるデータ分散方式を獲得し得る。可能な実施形態では、端末デバイス１２０は、上記のファクタから、ネットワークデバイス１１０によって使用されるデータ分散方式を獲得し得るか、または指示情報と組み合わせて、ネットワークデバイス１１０によって使用されるデータ分散方式を決定し得る。例えば、端末デバイス１２０は、上記のファクタに基づいて、時間領域非集中化分散方式が使用されると決定する。次いで、指示情報は、時間領域非集中化方式１〜６のうちの１つを使用するように端末デバイスに命令するために使用され得る。
【０１８９】
一例では、データは、３つの方式で時間周波数リソースにマッピングされ得る。第１のマッピング方式は、最初に空間マッピングを実行し、次いで周波数領域マッピングを実行し、最後に時間領域マッピングを実行する。図３１に示すように、図中の垂直方向は周波数領域を表し、水平方向は時間領域を表す。各時間周波数リソースユニット中の数は一連のデータ構成を表す。例えば、第１のデータは、レイヤ１の時間周波数リソース１上に配置され、第２のデータは、レイヤ２の時間周波数リソース２上に配置され、第３のデータは、レイヤ３の時間周波数リソース３上に配置され、以下同様である。第２のマッピング方式はまた、優先的に空間マッピングを実行し、次いで時間領域マッピングを実行し、最後に周波数領域マッピングを実行する。図３２に示すように、図３１と同様に、図中の時間周波数リソースグリッド中の数は、一連のデータ構成を表す。第３のマッピング方式は、第１の時間領域、次いで周波数領域、最後にレイヤの順序でデータマッピングを実行している。図３３を参照すると、図３３は、図３１と同様であり、図中の時間周波数リソースグリッド中の数は、一連のデータ構成を表す。
【０１９０】
上記の３つのマッピング方式では、第１のマッピング方式は時間領域集中化方式であり、第２のマッピング方式と第３のマッピング方式とは時間領域非集中化方式である。ネットワークデバイス１１０は、上記のファクタに基づいて、時間領域集中化データ分散方式を使用すべきかまたは時間領域非集中化データ分散方式を使用すべきかを決定し得る。しかしながら、複数の時間領域非集中化分散方式があり（この実施形態では、第２のマッピング方式と第３のマッピング方式との２つの時間領域非集中化分散方式があり）、この場合、ネットワークデバイス１１０は、どの時間領域非集中化データ分散方式を使用すべきか端末デバイス１２０に命令するために通知を送出し得る。追加されるソリューション１〜１７では、複数の時間領域集中化データ分散方式または複数の時間領域非集中化データ分散方式が利用可能であるとき、ネットワークデバイス１１０と端末デバイス１２０とは、設定を通して１つのデータ分散方式をデフォルトで使用し得るか、またはネットワークデバイス１１０は、どのデータ分散方式を使用すべきか端末デバイス１２０に命令するために通知メッセージを送出し得る。
【０１９１】
データ分散方式が決定された後、ネットワークデバイス１１０と端末デバイス１２０との間のデータ伝送が以下の２つのケースに分類され得る。
【０１９２】
ケース１：ダウンリンク伝送
【０１９３】
任意の実施形態では、ネットワークデバイス１１０がデータ分散方式に基づいて端末デバイス１２０とデータ伝送を実行することは以下を含む。ネットワークデバイス１１０は、データ分散方式に基づいて送信すべきデータを処理し、ネットワークデバイス１１０は、端末デバイス１２０に処理された送信すべきデータを送信する。
【０１９４】
詳細には、ネットワークデバイス１１０が送信端として働くとき、ネットワークデバイス１１０は、データ分散方式に基づいて送信すべきデータを処理し、次いで、端末デバイス１２０に処理された送信すべきデータを送信し得、データは決定された分散状況を満たす。
【０１９５】
任意の実施形態では、ネットワークデバイス１１０がデータ分散方式に基づいて送信すべきデータを処理することは以下を含む。ネットワークデバイス１１０は、データ分散方式に基づいて送信すべきデータに対してインターリービング処理を実行し、インターリービング処理は、送信すべきデータのビットストリームに対するインターリービングおよび／または送信すべきデータの変調シンボルに対するインターリービングを含む。
【０１９６】
詳細には、送信すべきデータが送信される前に、送信すべきデータは、チャネルコーディング、符号ブロック連結、変調マッピング、レイヤマッピング、プリコーディング、およびリソースマッピングなどの一連のステップを通して処理される。本出願のこの実施形態では、ネットワークデバイス１１０は、送信すべきデータを処理し得、送信すべきデータに対してビットレベルのインターリービングまたはシンボルレベルのインターリービングを実行し得る。これは、本出願のこの実施形態では限定されない。
【０１９７】
詳細には、ネットワークデバイス１１０は、以下のステップのうちの任意の１つまたは複数に従って処理を実行し得る。これは、本出願のこの実施形態では限定されない。
【０１９８】
（１）ネットワークデバイス１１０が送信すべきデータに対してチャネルコーディングを実行した後、符号ブロックが生成される。この場合、送信すべきデータは、ビットストリームの形態にあり、ネットワークデバイス１１０は、送信すべきデータのビットストリームをインターリーブするために、データ分散方式に基づいて、データ分散方式に対応するインターリービング方式を選択し得る。例えば、データ分散方式が時間領域集中化方式である場合、ネットワークデバイス１１０は、送信すべきデータのビットストリームをインターリーブし得、リソースマッピングが送信すべきデータに対して実行された後、同じ符号ブロックのデータが時間領域中で集中的に分散されることが可能である。データ分散方式が時間領域非集中化方式である場合、ネットワークデバイス１１０は、送信すべきデータのビットストリームをインターリーブし得、リソースマッピングが送信すべきデータに対して実行された後、同じ符号ブロックのデータが時間領域中で非集中的に分散されることが可能である。様々な特定のインターリービング方式がある。これは、本出願のこの実施形態では限定されない。
【０１９９】
（２）ネットワークデバイス１１０が送信すべきデータに対して変調マッピングを実行した後、変調シンボルが生成される。ネットワークデバイス１１０は、送信すべきデータの変調シンボルをインターリーブするために、データ分散方式に基づいて、データ分散方式に対応するインターリービング方式を選択し得る。例えば、データ分散方式が時間領域集中化方式である場合、ネットワークデバイス１１０は、送信すべきデータの変調シンボルをインターリーブし得、リソースマッピングが送信すべきデータに対して実行された後、同じ符号ブロックのデータが時間領域中で集中的に分散されることが可能である。データ分散方式が時間領域非集中化方式である場合、ネットワークデバイス１１０は、送信すべきデータの変調シンボルをインターリーブし得、リソースマッピングが送信すべきデータに対して実行された後、同じ符号ブロックのデータが時間領域中で非集中的に分散されることが可能である。
【０２００】
（３）ネットワークデバイス１１０が送信すべきデータに対してレイヤマッピングを実行した後、ネットワークデバイス１１０は、送信すべきデータの変調シンボルをインターリーブするために、データ分散方式に基づいて、データ分散方式に対応するインターリービング方式を選択し得る。例えば、データ分散方式が時間領域集中化方式である場合、ネットワークデバイス１１０は、送信すべきデータの変調シンボルをインターリーブし得、リソースマッピングが送信すべきデータに対して実行された後、同じ符号ブロックのデータが時間領域中で集中的に分散されることが可能である。データ分散方式が時間領域非集中化方式である場合、ネットワークデバイス１１０は、送信すべきデータの変調シンボルをインターリーブし得、リソースマッピングが送信すべきデータに対して実行された後、同じ符号ブロックのデータが時間領域中で非集中的に分散されることが可能である。
【０２０１】
ビットレベルのインターリービングとシンボルレベルのインターリービングとがそれぞれ異なる計算の複雑性に対応し、異なる端末デバイス１２０が異なる能力を有するので、計算の複雑性が極端に高い場合、端末デバイス１２０は、ネットワークデバイス１１０によって送信されたデータを正しく受信することができないことがあることを理解されたい。したがって、ネットワークデバイス１１０によって上記の特定のインターリービング方式のうちのどの１つを使用するのかは、端末デバイス１２０のデインターリービング能力に依存する。
【０２０２】
可能な実装では、端末デバイス１２０は、ネットワークデバイス１１０にそれの能力情報を報告し得、ネットワークデバイス１１０は、端末デバイス１２０の能力情報に基づいて、端末デバイス１２０の能力に適合するインターリービング方式を選択し得る。これは、本出願のこの実施形態では限定されない。
【０２０３】
任意の実施形態では、ネットワークデバイス１１０がデータ分散方式に基づいて送信すべきデータを処理することは以下を含む。ネットワークデバイス１１０は、データ分散方式に基づいてデータ分散方式に対応するリソースマッピングルールを使用することによって送信すべきデータに対してリソースマッピングを実行する。
【０２０４】
詳細には、送信すべきデータに対してリソースマッピングを実行するとき、ネットワークデバイス１１０は、送信すべきデータに対してリソースマッピングを実行するために、データ分散方式に基づいてデータ分散方式に対応するリソースマッピングルールを選択し得る。例えば、データ分散方式が時間領域集中化方式である場合、ネットワークデバイス１１０は、同じ符号ブロックのデータが時間領域中で集中的に分散される効果を生成することができるリソースマッピング方式を選択し得る。データ分散方式が時間領域非集中化方式である場合、ネットワークデバイス１１０は、同じ符号ブロックのデータが時間領域中で非集中的に分散される効果を生成することができるリソースマッピング方式を選択し得る。
【０２０５】
相応して、端末デバイス１２０がデータ分散方式を決定し得るので、端末デバイス１２０は、データ分散方式に基づいて、ネットワークデバイス１１０によって送信されたデータを直接受信する。
【０２０６】
ケース２：アップリンク伝送
【０２０７】
任意の実施形態では、端末デバイス１２０がデータ分散方式に基づいてネットワークデバイス１１０とデータ伝送を実行することは以下を含む。
【０２０８】
端末デバイス１２０は、データ分散方式に基づいて送信すべきデータを処理し、
端末デバイス１２０は、ネットワークデバイス１１０に処理された送信すべきデータを送信する。
【０２０９】
同様に、端末デバイス１２０が送信端として働くとき、端末デバイス１２０は、データ分散方式に基づいて送信すべきデータを処理し、次いで、ネットワークデバイス１１０に処理された送信すべきデータを送信し得、データは決定された分散状況を満たす。
【０２１０】
任意の実施形態では、端末デバイス１２０がデータ分散方式に基づいて送信すべきデータを処理することは以下を含む。
【０２１１】
端末デバイス１２０は、データ分散方式に基づいて送信すべきデータに対してインターリービング処理を実行し、インターリービング処理は、送信すべきデータのビットストリームに対するインターリービングおよび／または送信すべきデータの変調シンボルに対するインターリービングを含む。
【０２１２】
任意の実施形態では、端末デバイス１２０がデータ分散方式に基づいて送信すべきデータを処理することは以下を含む。
【０２１３】
端末デバイス１２０は、データ分散方式に基づいてデータ分散方式に対応するリソースマッピングルールを使用することによって送信すべきデータに対してリソースマッピングを実行する。
【０２１４】
送信すべきデータに対して送信端として働く端末デバイス１２０によって実行される処理は、送信すべきデータに対して送信端として働くネットワークデバイス１１０によって実行される処理と同じであることを理解されたい。詳細についてここで説明しない。
【０２１５】
さらに、上記の処理のシーケンス番号が実行シーケンスを意味しないことを理解されたい。処理の実行シーケンスは、処理の機能および内部論理に基づいて決定されるべきであり、本出願のこの実施形態の実装処理に対するいかなる限定と解釈すべきではない。
【０２１６】
上記は、図１から図１４に関する本出願の実施形態によるデータ伝送方法について詳細に説明した。以下は、図１５から図２２に関する本出願の実施形態によるデータ伝送装置について詳細に説明する。
【０２１７】
図１５に、本出願の一実施形態によるデータ伝送装置１５００を示す。装置１５００は、
端末デバイス１２０のサービス要件またはアプリケーションシナリオに基づいて、端末デバイス１２０とのデータ伝送を実行するために使用されるデータ分散方式を決定するように構成された、決定ユニット１５１０であって、データ分散方式は、同じ符号ブロックのデータの、少なくとも１つの時間領域シンボル上への分散を示すために使用される、決定ユニット１５１０と、
データ分散方式に基づいて、端末デバイス１２０とのデータ伝送を実行するように構成された、伝送ユニット１５２０と
を含む。
【０２１８】
本出願のこの実施形態におけるデータ伝送装置によれば、ネットワークデバイス１１０は、異なるサービス要件またはアプリケーションシナリオに基づいてデータ分散方式を決定し、ネットワークデバイス１１０と端末デバイス１２０との間でのデータ伝送のためのデータ分散方式は、受信端の異なるサービス要件を満たすために、柔軟に構成されることが可能である。
【０２１９】
任意選択で、データ分散方式は、時間領域非集中化方式、または時間領域集中化方式であり、時間領域非集中化方式は、同じ符号ブロックからのデータが、複数の時間領域シンボル上に非集中的に分散されることを示すために使用され、時間領域集中化方式は、同じ符号ブロックからのデータが、少なくとも１つの連続する時間領域シンボル上に集中的に分散されることを示すために使用される。
【０２２０】
任意選択で、時間領域集中化方式は、すべての符号ブロックにおいて、初期ロケーションインデックスがｘ1＜ｘ2を満たす、第１のデータと第２のデータの時間領域シンボルインデックスが、ｎ1≦ｎ2を満たすことを示すために使用される。初期ロケーションインデックスは、符号ブロック中でのデータのロケーション番号であり、符号ブロック中でのデータのロケーションを表す。
【０２２１】
ｘ1は、第１のデータの初期ロケーションインデックスであり、ｘ2は、第２のデータの初期ロケーションインデックスであり、ｎ1は、第１のデータの時間領域シンボルインデックスであり、ｎ2は、第２のデータの時間領域シンボルインデックスであり、
時間領域非集中化方式は、第１の符号ブロックが存在し、第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、第３のデータの初期ロケーションインデックスであり、ｘ4は、第４のデータの初期ロケーションインデックスであり、ｎ3は、第３のデータの時間領域シンボルインデックスであり、ｎ4は、第４のデータの時間領域シンボルインデックスである。
【０２２２】
任意選択で、時間領域集中化方式は、第１の時間領域シンボルが、少なくとも２つの第１の符号ブロックを含まず、および、第１の符号ブロックに属し、第１の時間領域シンボル上に分散されるデータの初期ロケーションインデックスの最大値が、第１の符号ブロックに属し、リソースユニット上に分散されるデータの初期ロケーションインデックスの最大値に等しくないことを示すために使用され、リソースユニットは、スケジュールされたユーザのためのリソース割振りを実行するために使用される基本ユニットであり、リソースユニット中のすべての時間領域シンボルは、第１の時間領域シンボルであり、または
時間領域非集中化方式は、Ｑ個の符号ブロックからのデータを含む第１の時間領域シンボル上において、Ｑ個の符号ブロックに属する少なくとも２つの第２の符号ブロックが、存在し、第２の符号ブロックに属し、第１の時間領域シンボル上に分散されるデータの初期ロケーションインデックスの最大値が、第２の符号ブロックに属し、リソースユニット上に分散されるデータの初期ロケーションインデックスの最大値に等しく、Ｑは、１よりも大きい整数であることを示すために使用される。
【０２２３】
任意選択で、時間領域非集中化方式は、
同じ符号ブロックからのデータが、リソースユニット内のすべての時間領域シンボル上に非集中的に分散されることを示すために使用される、第１の時間領域非集中化方式であって、リソースユニットは、スケジュールされたユーザのためのリソース割振りを実行するために使用される基本ユニットである、第１の時間領域非集中化方式と、
同じ符号ブロックからのデータが、リソースユニット内の同じスロットのすべての時間領域シンボル上に非集中的に分散されることを示すために使用される、第２の時間領域非集中化方式と、
同じ符号ブロックからのデータが、リソースユニット内のＮ個の時間領域シンボル上に非集中的に分散されることを示すために使用され、Ｎは、１よりも大きい整数である、第３の時間領域非集中化方式と
を含む。
【０２２４】
任意選択で、決定ユニット１５１０は、端末デバイス１２０のサービス要件またはアプリケーションシナリオに基づいて復調基準信号ＤＭＲＳ属性を決定するようにさらに構成され、ＤＭＲＳ属性は、データ分散方式に対応し、ＤＭＲＳ属性は、ＤＭＲＳパターン、ＤＭＲＳポート番号、またはＤＭＲＳ属性が属するＤＭＲＳ信号によって占有されるＯＦＤＭシンボルの量であり、伝送ユニット１５２０は、端末デバイス１２０にＤＭＲＳ属性を送信するようにさらに構成される。
【０２２５】
アプリケーションシナリオが、復調結果が、現在のリソースユニット上においてフィードバックされる必要がある場合、ＤＭＲＳ属性は、時間領域集中化方式に対応しており、リソースユニットは、スケジュールされたユーザのためのリソース割振りを実行するために使用される基本ユニットであり、または
アプリケーションシナリオが、復調結果が、現在のリソースユニット上においてフィードバックされる必要がない場合、ＤＭＲＳ属性は、時間領域非集中化方式に対応している。
【０２２６】
任意選択で、ＤＭＲＳパターンが、ＤＭＲＳが、１つの時間領域シンボルを占有するとき、ＤＭＲＳパターンは、時間領域集中化方式に対応しており、または
ＤＭＲＳパターンが、ＤＭＲＳが、少なくとも２つの時間領域シンボルを占有するとき、ＤＭＲＳによって占有されるどの２つの時間領域シンボルの間にも、データ伝送が存在しない場合、ＤＭＲＳパターンは、時間領域集中化方式に対応しており、もしくはＤＭＲＳによって占有される少なくとも２つの時間領域シンボルの間に、データ伝送が存在する場合、ＤＭＲＳ属性は、時間領域非集中化方式に対応している。
【０２２７】
任意選択で、決定ユニットは、
端末デバイス１２０のサービス要件またはアプリケーションシナリオに基づいて、データ伝送を実行するために使用されるフレーム構造を決定することであって、フレーム構造は、データ分散方式に対応しているようにさらに構成される。
【０２２８】
任意選択で、端末デバイス１２０のアプリケーションシナリオが、復調結果が、現在のリソースユニット上においてフィードバックされる必要がある場合、フレーム構造は、時間領域集中化方式に対応しており、リソースユニットは、スケジュールされたユーザのためのリソース割振りを実行するために使用される基本ユニットであり、または
端末デバイス１２０のアプリケーションシナリオが、復調結果が、現在のリソースユニット上においてフィードバックされる必要がない場合、フレーム構造は、時間領域非集中化方式に対応している。
【０２２９】
任意選択で、伝送ユニット１５２０は、端末デバイス１２０に指示情報を送信するようにさらに構成され、指示情報は、データ分散方式を示すために使用される。
【０２３０】
任意選択で、指示情報は、以下の情報、すなわち、ダウンリンク制御情報ＤＣＩ、無線リソース制御ＲＲＣシグナリング、および媒体アクセス制御ＭＡＣレイヤ制御要素ＣＥのうちのいずれか１つである。
【０２３１】
任意選択で、本装置は、データ分散方式に基づいて送信すべきデータを処理するように構成された処理ユニットをさらに含み、伝送ユニット１５２０は特に、端末デバイス１２０に処理された送信すべきデータを送信するように構成される。
【０２３２】
任意選択で、処理ユニットは、データ分散方式に基づいて送信すべきデータに対してインターリービング処理を実行するように構成され、インターリービング処理は、送信すべきデータのビットストリームに対するインターリービングおよび／または送信すべきデータの変調シンボルに対するインターリービングを含む。
【０２３３】
任意選択で、処理ユニットは特に、データ分散方式に基づいてデータ分散方式に対応するリソースマッピングルールを使用することによって送信すべきデータに対してリソースマッピングを実行するように構成される。
【０２３４】
任意選択で、伝送ユニット１５２０は、データ分散方式に基づいて、端末デバイス１２０によって送信されたデータを受信するようにさらに構成される。
【０２３５】
本明細書における装置１５００が機能ユニットの形態で実施されることを理解されたい。本明細書における「ユニット」という用語は、特定用途向け集積回路（application specific integrated circuit、ＡＳＩＣ）、電子回路、１つまたは複数のソフトウェアまたはファームウェアプログラムを実行するように構成されたプロセッサ（例えば、共有プロセッサ、専用プロセッサ、またはグループプロセッサ）およびメモリ、マージされた論理回路、ならびに／または記載の機能をサポートする別の適切な構成要素であり得る。任意の例では、装置１５００が特に、上記の実施形態におけるネットワークデバイス１１０であり得、装置１５００が、上記の方法実施形態におけるネットワークデバイス１１０に対応しているプロシージャおよび／またはステップを実行するように構成され得ることを当業者は理解し得る。繰り返しを回避するために、詳細についてここで説明しない。
【０２３６】
図１６に、本出願の一実施形態によるデータ伝送装置１６００を示す。装置１６００は、
ネットワークデバイス１１０によって送信された指示情報を受信するように構成された、伝送ユニット１６１０であって、指示情報は、端末デバイス１２０によるネットワークデバイス１１０とのデータ伝送を実行するために使用されるデータ分散方式を示すために使用され、データ分散方式は、同じ符号ブロックのデータの、少なくとも１つの時間領域シンボル上への分散を示すために使用される、伝送ユニット１６１０と、
指示情報に従って、データ分散方式を決定するように構成された、決定ユニット１６２０とを含み、
伝送ユニット１６１０は、データ分散方式に基づいて、ネットワークデバイス１１０とのデータ伝送を実行するようにさらに構成される。
【０２３７】
本出願のこの実施形態におけるデータ伝送装置によれば、ネットワークデバイス１１０と端末デバイス１２０との間のデータ伝送のために使用されるデータ分散方式は、受信端の異なるサービス要件を満たすために、柔軟に構成されることが可能である。
【０２３８】
任意選択で、データ分散方式は、時間領域非集中化方式、または時間領域集中化方式であり、時間領域非集中化方式は、同じ符号ブロックからのデータが、複数の時間領域シンボル上に非集中的に分散されることを示すために使用され、時間領域集中化方式は、同じ符号ブロックからのデータが、少なくとも１つの連続する時間領域シンボル上に集中的に分散されることを示すために使用される。
【０２３９】
任意選択で、時間領域集中化方式は、すべての符号ブロックにおいて、初期ロケーションインデックスがｘ1＜ｘ2を満たす、第１のデータと第２のデータの時間領域シンボルインデックスが、ｎ1≦ｎ2を満たすことを示すために使用され、
ｘ1は、第１のデータの初期ロケーションインデックスであり、ｘ2は、第２のデータの初期ロケーションインデックスであり、ｎ1は、第１のデータの時間領域シンボルインデックスであり、ｎ2は、第２のデータの時間領域シンボルインデックスであり、
時間領域非集中化方式は、第１の符号ブロックが、存在し、第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、第３のデータの初期ロケーションインデックスであり、ｘ4は、第４のデータの初期ロケーションインデックスであり、ｎ3は、第３のデータの時間領域シンボルインデックスであり、ｎ4は、第４のデータの時間領域シンボルインデックスである。
【０２４０】
任意選択で、時間領域集中化方式は、第１の時間領域シンボルが、少なくとも２つの第１の符号ブロックを含まず、および、第１の符号ブロックに属し、第１の時間領域シンボル上に分散されるデータの初期ロケーションインデックスの最大値が、第１の符号ブロックに属し、リソースユニット上に分散されるデータの初期ロケーションインデックスの最大値に等しくないことを示すために使用され、リソースユニットは、スケジュールされたユーザのためのリソース割振りを実行するために使用される基本ユニットであり、リソースユニット中のすべての時間領域シンボルは、第１の時間領域シンボルであり、または
時間領域非集中化方式は、Ｑ個の符号ブロックからのデータを含む第１の時間領域シンボル上において、Ｑ個の符号ブロックに属する少なくとも２つの第２の符号ブロックが、存在し、第２の符号ブロックに属し、第１の時間領域シンボル上に分散されるデータの初期ロケーションインデックスの最大値が、第２の符号ブロックに属し、リソースユニット上に分散されるデータの初期ロケーションインデックスの最大値に等しくなく、Ｑは、１よりも大きい整数であることを示すために使用される。
【０２４１】
任意選択で、時間領域非集中化方式は、
同じ符号ブロックからのデータが、リソースユニット内のすべての時間領域シンボル上に非集中的に分散されることを示すために使用される、第１の時間領域非集中化方式であって、リソースユニットは、スケジュールされたユーザのためのリソース割振りを実行するために使用される基本ユニットである、第１の時間領域非集中化方式と、
同じ符号ブロックからのデータが、リソースユニット内の同じスロットのすべての時間領域シンボル上に非集中的に分散されることを示すために使用される、第２の時間領域非集中化方式と、
同じ符号ブロックからのデータが、リソースユニット内のＮ個の時間領域シンボル上に非集中的に分散されることを示すために使用され、Ｎは、１よりも大きい整数である、第３の時間領域非集中化方式と
を含む。
【０２４２】
任意選択で、指示情報は、以下の情報、すなわち、ダウンリンク制御情報ＤＣＩ、無線リソース制御ＲＲＣシグナリング、および媒体アクセス制御ＭＡＣレイヤ制御要素ＣＥのうちのいずれか１つである。
【０２４３】
任意選択で、本装置は、データ分散方式に基づいて送信すべきデータを処理するように構成された処理ユニットをさらに含み、伝送ユニット１６１０は特に、ネットワークデバイス１１０に処理された送信すべきデータを送信するように構成される。
【０２４４】
任意選択で、処理ユニットは、データ分散方式に基づいて送信すべきデータに対してインターリービング処理を実行するように構成され、インターリービング処理は、送信すべきデータのビットストリームに対するインターリービングおよび／または送信すべきデータの変調シンボルに対するインターリービングを含む。
【０２４５】
任意選択で、処理ユニットは特に、データ分散方式に基づいてデータ分散方式に対応するリソースマッピングルールを使用することによって送信すべきデータに対してリソースマッピングを実行するように構成される。
【０２４６】
任意選択で、伝送ユニット１６１０は、データ分散方式に基づいて、ネットワークデバイス１１０によって送信されたデータを受信するようにさらに構成される。
【０２４７】
本明細書における装置１６００が機能ユニットの形態で実施されることを理解されたい。本明細書における「ユニット」という用語は、特定用途向け集積回路（application specific integrated circuit、ＡＳＩＣ）、電子回路、１つまたは複数のソフトウェアまたはファームウェアプログラムを実行するように構成されたプロセッサ（例えば、共有プロセッサ、専用プロセッサ、またはグループプロセッサ）およびメモリ、マージされた論理回路、ならびに／または記載の機能をサポートする別の適切な構成要素であり得る。任意の例では、装置１６００が特に、上記の実施形態における端末デバイス１２０であり得、装置１６００が、上記の実施形態における端末デバイス１２０に対応しているプロシージャおよび／またはステップを実行するように構成され得ることを当業者は理解し得る。繰り返しを回避するために、詳細についてここで再び説明しない。
【０２４８】
図１７に、本出願の一実施形態によるデータ伝送装置１７００を示す。装置１７００は、
ネットワークデバイス１１０によって送信された復調基準信号ＤＭＲＳの属性を受信するように構成された、伝送ユニット１７１０であって、ＤＭＲＳ属性は、データ分散方式に対応しており、ＤＭＲＳ属性は、ＤＭＲＳパターン、ＤＭＲＳポート番号、またはＤＭＲＳ属性が属するＤＭＲＳ信号によって占有されるＯＦＤＭシンボルの量である、伝送ユニット１７１０と、
ＤＭＲＳ属性に基づいて、ネットワークデバイス１１０とのデータ伝送を実行するために使用されるデータ分散方式を決定するように構成された、決定ユニット１７２０であって、データ分散方式は、同じ符号ブロックのデータの、少なくとも１つの時間領域シンボル上への分散を示すために使用される、決定ユニット１７２０とを含み、
伝送ユニット１７１０は、データ分散方式に基づいて、ネットワークデバイス１１０とのデータ伝送を実行するようにさらに構成される。
【０２４９】
本出願のこの実施形態におけるデータ伝送装置によれば、ネットワークデバイス１１０と端末デバイス１２０との間のデータ伝送のために使用されるデータ分散方式は、受信端の異なるサービス要件を満たすために、柔軟に構成されことが可能である。
【０２５０】
任意選択で、データ分散方式は、時間領域非集中化方式、または時間領域集中化方式であり、時間領域非集中化方式は、同じ符号ブロックからのデータが、複数の時間領域シンボル上に非集中的に分散されることを示すために使用され、時間領域集中化方式は、同じ符号ブロックからのデータが、少なくとも１つの連続する時間領域シンボル上に集中的に分散されることを示すために使用される。
【０２５１】
時間領域集中化方式は、すべての符号ブロックにおいて、初期ロケーションインデックスがｘ1＜ｘ2を満たす、第１のデータと第２のデータの時間領域シンボルインデックスが、ｎ1≦ｎ2を満たすことを示すために使用され、
ｘ1は、第１のデータの初期ロケーションインデックスであり、ｘ2は、第２のデータの初期ロケーションインデックスであり、ｎ1は、第１のデータの時間領域シンボルインデックスであり、ｎ2は、第２のデータの時間領域シンボルインデックスであり、
時間領域非集中化方式は、第１の符号ブロックが存在し、第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、第３のデータの初期ロケーションインデックスであり、ｘ4は、第４のデータの初期ロケーションインデックスであり、ｎ3は、第３のデータの時間領域シンボルインデックスであり、ｎ4は、第４のデータの時間領域シンボルインデックスである。
【０２５２】
任意選択で、時間領域集中化方式は、第１の時間領域シンボルが、少なくとも２つの第１の符号ブロックを含まず、第１の符号ブロックに属し、第１の時間領域シンボル上に分散されるデータの初期ロケーションインデックスの最大値が、第１の符号ブロックに属し、リソースユニット上に分散されるデータの初期ロケーションインデックスの最大値に等しくないことを示すために使用され、リソースユニットは、スケジュールされたユーザのためのリソース割振りを実行するために使用される基本ユニットであり、リソースユニット中のすべての時間領域シンボルは、第１の時間領域シンボルであり、または
時間領域非集中化方式は、Ｑ個の符号ブロックからのデータを含む第１の時間領域シンボル上において、Ｑ個の符号ブロックに属する少なくとも２つの第２の符号ブロックが、存在し、第２の符号ブロックに属し、第１の時間領域シンボル上に分散されるデータの初期ロケーションインデックスの最大値が、第２の符号ブロックに属し、リソースユニット上に分散されるデータの初期ロケーションインデックスの最大値に等しくなく、Ｑは、１よりも大きい整数であることを示すために使用される。
【０２５３】
任意選択で、時間領域非集中化方式は、
同じ符号ブロックからのデータが、リソースユニット内のすべての時間領域シンボル上に非集中的に分散されることを示すために使用される、第１の時間領域非集中化方式であって、リソースユニットは、スケジュールされたユーザのためのリソース割振りを実行するために使用される基本ユニットである、第１の時間領域非集中化方式と、
同じ符号ブロックからのデータが、リソースユニット内の同じスロットのすべての時間領域シンボル上に非集中的に分散されることを示すために使用される、第２の時間領域非集中化方式と、
同じ符号ブロックからのデータが、リソースユニット内のＮ個の時間領域シンボル上に非集中的に分散されることを示すために使用され、Ｎは、１よりも大きい整数である、第３の時間領域非集中化方式と
を含む。
【０２５４】
任意選択で、アプリケーションシナリオが、復調結果が、現在のリソースユニット上においてフィードバックされる必要があるとき、ＤＭＲＳ属性は、時間領域集中化方式に対応しており、リソースユニットは、スケジュールされたユーザのためのリソース割振りを実行するために使用される基本ユニットであり、または
アプリケーションシナリオが、復調結果が、現在のリソースユニット上においてフィードバックされる必要がないとき、ＤＭＲＳ属性は、時間領域非集中化方式に対応している。
【０２５５】
任意選択で、ＤＭＲＳパターンが、ＤＭＲＳが、１つの時間領域シンボルを占有するとき、ＤＭＲＳパターンは、時間領域集中化方式に対応しており、または
ＤＭＲＳパターンが、ＤＭＲＳが、少なくとも２つの時間領域シンボルを占有するとき、ＤＭＲＳによって占有されるどの２つの時間領域シンボルの間にも、データ伝送が存在しない場合、ＤＭＲＳパターンは、時間領域集中化方式に対応しており、もしくはＤＭＲＳによって占有される少なくとも２つの時間領域シンボルの間に、データ伝送が存在する場合、ＤＭＲＳ属性は、時間領域非集中化方式に対応している。
【０２５６】
任意選択で、本装置は、データ分散方式に基づいて送信すべきデータを処理するように構成された処理ユニットをさらに含み、伝送ユニット１７１０は特に、ネットワークデバイス１１０に処理された送信すべきデータを送信するように構成される。
【０２５７】
任意選択で、処理ユニットは、データ分散方式に基づいて送信すべきデータに対してインターリービング処理を実行するように構成され、インターリービング処理は、送信すべきデータのビットストリームに対するインターリービングおよび／または送信すべきデータの変調シンボルに対するインターリービングを含む。
【０２５８】
任意選択で、処理ユニットは特に、データ分散方式に基づいてデータ分散方式に対応するリソースマッピングルールを使用することによって送信すべきデータに対してリソースマッピングを実行するように構成される。
【０２５９】
任意選択で、伝送ユニット１７１０は、データ分散方式に基づいて、ネットワークデバイス１１０によって送信されたデータを受信するようにさらに構成される。
【０２６０】
本明細書における装置１７００が機能ユニットの形態で実施されることを理解されたい。本明細書における「ユニット」という用語は、特定用途向け集積回路（Application Specific Integrated Circuit、ＡＳＩＣ）、電子回路、１つまたは複数のソフトウェアまたはファームウェアプログラムを実行するように構成されたプロセッサ（例えば、共有プロセッサ、専用プロセッサ、またはグループプロセッサ）およびメモリ、マージされた論理回路、ならびに／または記載の機能をサポートする別の適切な構成要素であり得る。任意の例では、装置１７００が特に、上記の実施形態における端末デバイス１２０であり得、装置１７００が、上記の方法実施形態における端末デバイス１２０に対応しているプロシージャおよび／またはステップを実行するように構成され得ることを当業者は理解し得る。繰り返しを回避するために、詳細についてここで再び説明しない。
【０２６１】
図１８に、本出願の一実施形態によるデータ伝送装置１８００を示す。装置１８００は、
ネットワークデバイス１１０とのデータ伝送を実行するために使用されるフレーム構造に基づいて、ネットワークデバイス１１０とのデータ伝送を実行するために使用されるデータ分散方式を決定するように構成された、決定ユニット１８１０であって、データ分散方式は、同じ符号ブロックのデータの、少なくとも１つの時間領域シンボル上への分散を示すために使用される、決定ユニット１８１０と、
データ分散方式に基づいて、ネットワークデバイス１１０とのデータ伝送を実行するように構成された、伝送ユニット１８２０と
を含む。
【０２６２】
本出願のこの実施形態におけるデータ伝送装置によれば、ネットワークデバイス１１０と端末デバイス１２０との間のデータ伝送のために使用されるデータ分散方式は、受信端の異なるサービス要件を満たすために、柔軟に構成することができる。
【０２６３】
任意選択で、データ分散方式は、時間領域非集中化方式、または時間領域集中化方式であり、時間領域非集中化方式は、同じ符号ブロックからのデータが、複数の時間領域シンボル上に非集中的に分散されることを示すために使用され、時間領域集中化方式は、同じ符号ブロックからのデータが、少なくとも１つの連続する時間領域シンボル上に集中的に分散されることを示すために使用される。
【０２６４】
時間領域集中化方式は、すべての符号ブロックにおいて、初期ロケーションインデックスがｘ1＜ｘ2を満たす、第１のデータと第２のデータの時間領域シンボルインデックスが、ｎ1≦ｎ2を満たすことを示すために使用され、
ｘ1は、第１のデータの初期ロケーションインデックスであり、ｘ2は、第２のデータの初期ロケーションインデックスであり、ｎ1は、第１のデータの時間領域シンボルインデックスであり、ｎ2は、第２のデータの時間領域シンボルインデックスであり、
時間領域非集中化方式は、第１の符号ブロックが存在し、第１の符号ブロックにおいて、初期ロケーションインデックスがｘ3＜ｘ4を満たす、第３のデータと第４のデータの時間領域シンボルインデックスが、ｎ3＞ｎ4を満たすことを示すために使用され、
ｘ3は、第３のデータの初期ロケーションインデックスであり、ｘ4は、第４のデータの初期ロケーションインデックスであり、ｎ3は、第３のデータの時間領域シンボルインデックスであり、ｎ4は、第４のデータの時間領域シンボルインデックスである。
【０２６５】
任意選択で、時間領域集中化方式は、第１の時間領域シンボルが、少なくとも２つの第１の符号ブロックを含まず、および、第１の符号ブロックに属し、第１の時間領域シンボル上に分散されるデータの初期ロケーションインデックスの最大値が、第１の符号ブロックに属し、リソースユニット上に分散されるデータの初期ロケーションインデックスの最大値に等しくないことを示すために使用され、リソースユニットは、スケジュールされたユーザのためのリソース割振りを実行するために使用される基本ユニットであり、リソースユニット中のすべての時間領域シンボルは、第１の時間領域シンボルであり、または
時間領域非集中化方式は、Ｑ個の符号ブロックからのデータを含む第１の時間領域シンボル上において、Ｑ個の符号ブロックに属する少なくとも２つの第２の符号ブロックが、存在し、第２の符号ブロックに属し、第１の時間領域シンボル上に分散されるデータの初期ロケーションインデックスの最大値が、第２の符号ブロックに属し、リソースユニット上に分散されるデータの初期ロケーションインデックスの最大値に等しくなく、Ｑは、１よりも大きい整数であることを示すために使用される。
【０２６６】
任意選択で、時間領域非集中化方式は、
同じ符号ブロックからのデータが、リソースユニット内のすべての時間領域シンボル上に非集中的に分散されることを示すために使用される、第１の時間領域非集中化方式であって、リソースユニットは、スケジュールされたユーザのためのリソース割振りを実行するために使用される基本ユニットである、第１の時間領域非集中化方式と、
同じ符号ブロックからのデータが、リソースユニット内の同じスロットのすべての時間領域シンボル上に非集中的に分散されることを示すために使用される、第２の時間領域非集中化方式と、
同じ符号ブロックからのデータが、リソースユニット内のＮ個の時間領域シンボル上に非集中的に分散されることを示すために使用され、Ｎは、１よりも大きい整数である、第３の時間領域非集中化方式と
を含む。
【０２６７】
任意選択で、端末デバイス１２０のアプリケーションシナリオが、復調結果が、現在のリソースユニット上においてフィードバックされる必要がある場合、フレーム構造は、時間領域集中化方式に対応しており、リソースユニットは、スケジュールされたユーザのためのリソース割振りを実行するために使用される基本ユニットであり、または
端末デバイス１２０のアプリケーションシナリオが、復調結果が、現在のリソースユニット上においてフィードバックされる必要がない場合、フレーム構造は、時間領域非集中化方式に対応している。
【０２６８】
本明細書における装置１８００が機能ユニットの形態で実施されることを理解されたい。本明細書における「ユニット」という用語は、特定用途向け集積回路（Application Specific Integrated Circuit、ＡＳＩＣ）、電子回路、１つまたは複数のソフトウェアまたはファームウェアプログラムを実行するように構成されたプロセッサ（例えば、共有プロセッサ、専用プロセッサ、またはグループプロセッサ）およびメモリ、マージされた論理回路、ならびに／または記載の機能をサポートする別の適切な構成要素であり得る。任意の例では、装置１８００が特に、上記の実施形態における端末デバイス１２０であり得、装置１８００が、上記の方法実施形態における端末デバイス１２０に対応しているプロシージャおよび／またはステップを実行するように構成され得ることを当業者は理解し得る。繰り返しを回避するために、詳細についてここで再び説明しない。
【０２６９】
図１９に、本出願の一実施形態による別のデータ伝送装置１９００を示す。装置１９００は、プロセッサ１９１０と、トランシーバ１９２０と、メモリ１９３０とを含む。プロセッサ１９１０と、トランシーバ１９２０と、メモリ１９３０とは、内部接続チャネルを使用することによって互いに通信する。メモリ１９３０は、命令を記憶するように構成される。プロセッサ１９１０は、メモリ１９３０中に記憶された命令を実行するように構成され、トランシーバ１９２０を制御して、信号を送信するおよび／または信号を受信するように構成される。
【０２７０】
プロセッサ１９１０は、端末デバイス１２０のサービス要件またはアプリケーションシナリオに基づいて、端末デバイス１２０とのデータ伝送を実行するために使用されるデータ分散方式を決定するように構成され、データ分散方式は、同じ符号ブロックのデータの、少なくとも１つの時間領域シンボル上への分散を示すために使用され、トランシーバ１９２０は、データ分散方式に基づいて、端末デバイス１２０とのデータ伝送を実行するように構成される。
【０２７１】
装置１９００は特に、上記の実施形態におけるネットワークデバイス１１０であり得、上記の方法実施形態におけるネットワークデバイス１１０に対応しているステップおよび／またはプロシージャを実行するように構成され得ることを理解されたい。任意選択で、メモリ１９３０は、読取り専用メモリとランダムアクセスメモリとを含み得、プロセッサに命令とデータとを提供する。メモリの一部は、不揮発性ランダムアクセスメモリをさらに含み得る。例えば、メモリは、デバイスタイプに関する情報をさらに記憶し得る。プロセッサ１９１０は、メモリに記憶された命令を実行するように構成され得る。さらに、プロセッサ１９１０がメモリ中に記憶された命令を実行するとき、プロセッサ１９１０は、上記の方法実施形態におけるネットワークデバイス１１０に対応するステップおよび／またはプロシージャを実行するように構成される。
【０２７２】
図２０に、本出願の一実施形態による別のデータ伝送装置２０００を示す。装置２０００は、プロセッサ２０１０と、トランシーバ２０２０と、メモリ２０３０とを含む。プロセッサ２０１０と、トランシーバ２０２０と、メモリ２０３０とは、内部接続チャネルを使用することによって互いに通信する。メモリ２０３０は、命令を記憶するように構成される。プロセッサ２０１０は、メモリ２０３０中に記憶された命令を実行するように構成され、トランシーバ２０２０を制御して、信号を送信するおよび／または信号を受信するように構成される。
【０２７３】
トランシーバ２０２０は、ネットワークデバイス１１０によって送信された指示情報を受信するように構成され、指示情報は、ネットワークデバイス１１０との端末デバイス１２０によるデータ伝送を実行することのために使用されるデータ分散方式を示すために使用される。データ分散方式は、同じ符号ブロックのデータの、少なくとも１つの時間領域シンボル上への分散を示すために使用される。プロセッサ２０１０は、指示情報に従って、データ分散方式を決定するように構成される。トランシーバ２０２０は、データ分散方式に基づいて、ネットワークデバイス１１０とのデータ伝送を実行するようにさらに構成される。
【０２７４】
装置２０００は特に、上記の実施形態における端末デバイス１２０であり得、上記の方法実施形態における端末デバイス１２０に対応しているステップおよび／またはプロシージャを実行するように構成され得ることを理解されたい。任意選択で、メモリ２０３０は、読取り専用メモリとランダムアクセスメモリとを含み得、プロセッサに命令とデータとを提供する。メモリの一部は、不揮発性ランダムアクセスメモリをさらに含み得る。例えば、メモリは、デバイスタイプに関する情報をさらに記憶し得る。プロセッサ２０１０は、メモリに記憶された命令を実行するように構成され得る。さらに、プロセッサ２０１０がメモリ中に記憶された命令を実行するとき、プロセッサ２０１０は、上記の方法実施形態における端末デバイス１２０に対応するステップおよび／またはプロシージャを実行するように構成される。
【０２７５】
図２１に、本出願の一実施形態による別のデータ伝送装置２１００を示す。装置２１００は、プロセッサ２１１０と、トランシーバ２１２０と、メモリ２１３０とを含む。プロセッサ２１１０と、トランシーバ２１２０と、メモリ２１３０とは、内部接続チャネルを使用することによって互いに通信する。メモリ２１３０は、命令を記憶するように構成される。プロセッサ２１１０は、メモリ２１３０中に記憶された命令を実行するように構成され、トランシーバ２１２０を制御して、信号を送信するおよび／または信号を受信するように構成される。
【０２７６】
トランシーバ２１２０は、ネットワークデバイス１１０によって送信された復調基準信号ＤＭＲＳの属性を受信するように構成され、ＤＭＲＳ属性は、データ分散方式に対応しており、ＤＭＲＳ属性は、ＤＭＲＳパターン、ＤＭＲＳポート番号、またはＤＭＲＳ属性が属するＤＭＲＳ信号によって占有されるＯＦＤＭシンボルの量である。プロセッサ２１１０は、ＤＭＲＳ属性に基づいて、ネットワークデバイス１１０とのデータ伝送を実行するために使用されるデータ分散方式を決定するように構成される。データ分散方式は、同じ符号ブロックのデータの、少なくとも１つの時間領域シンボル上への分散を示すために使用される。トランシーバ２１２０は、データ分散方式に基づいて、ネットワークデバイス１１０とのデータ伝送を実行するようにさらに構成される。
【０２７７】
装置２１００は特に、上記の実施形態における端末デバイス１２０であり得、上記の方法実施形態における端末デバイス１２０に対応しているステップおよび／またはプロシージャを実行するように構成され得ることを理解されたい。任意選択で、メモリ２１３０は、読取り専用メモリとランダムアクセスメモリとを含み得、プロセッサに命令とデータとを提供する。メモリの一部は、不揮発性ランダムアクセスメモリをさらに含み得る。例えば、メモリは、デバイスタイプに関する情報をさらに記憶し得る。プロセッサ２１１０は、メモリに記憶された命令を実行するように構成され得る。さらに、プロセッサ２１１０がメモリ中に記憶された命令を実行するとき、プロセッサ２１１０は、上記の方法実施形態における端末デバイス１２０に対応するステップおよび／またはプロシージャを実行するように構成される。
【０２７８】
図２２に、本出願の一実施形態による別のデータ伝送装置２２００を示す。装置２２００は、プロセッサ２２１０と、トランシーバ２２２０と、メモリ２２３０とを含む。プロセッサ２２１０と、トランシーバ２２２０と、メモリ２２３０とは、内部接続チャネルを使用することによって互いに通信する。メモリ２２３０は、命令を記憶するように構成される。プロセッサ２２１０は、メモリ２２３０中に記憶された命令を実行するように構成され、トランシーバ２２２０を制御して、信号を送信するおよび／または信号を受信するように構成される。
【０２７９】
トランシーバ２２２０は、ネットワークデバイス１１０によって送信された復調基準信号ＤＭＲＳの属性を受信するように構成され、ＤＭＲＳ属性は、データ分散方式に対応しており、ＤＭＲＳ属性は、ＤＭＲＳパターン、ＤＭＲＳポート番号、またはＤＭＲＳ属性が属するＤＭＲＳ信号によって占有されるＯＦＤＭシンボルの量である。プロセッサ２２１０は、ＤＭＲＳ属性に基づいて、ネットワークデバイス１１０とのデータ伝送を実行するために使用されるデータ分散方式を決定するように構成される。データ分散方式は、同じ符号ブロックのデータの、少なくとも１つの時間領域シンボル上への分散を示すために使用される。トランシーバ２２２０は、データ分散方式に基づいて、ネットワークデバイス１１０とのデータ伝送を実行するようにさらに構成される。
【０２８０】
装置２２００は特に、上記の実施形態における端末デバイス１２０であり得、上記の方法実施形態における端末デバイス１２０に対応しているステップおよび／またはプロシージャを実行するように構成され得ることを理解されたい。任意選択で、メモリ２２３０は、読取り専用メモリとランダムアクセスメモリとを含み得、プロセッサに命令とデータとを提供する。メモリの一部は、不揮発性ランダムアクセスメモリをさらに含み得る。例えば、メモリは、デバイスタイプに関する情報をさらに記憶し得る。プロセッサ２２１０は、メモリに記憶された命令を実行するように構成され得る。さらに、プロセッサ２２１０がメモリ中に記憶された命令を実行するとき、プロセッサ２２１０は、上記の方法実施形態における端末デバイス１２０に対応するステップおよび／またはプロシージャを実行するように構成される。
【０２８１】
本出願の実施形態では、上記の装置中のプロセッサは、中央処理ユニット（central processing unit、ＣＰＵ）であり得、またはプロセッサは、別の汎用プロセッサ、デジタル信号プロセッサ（ＤＳＰ）、特定用途向け集積回路（ＡＳＩＣ）、フィールドプログラマブルゲートアレイ（ＦＰＧＡ）、もしくは別のプログラマブル論理デバイス、個別ゲート、トランジスタ論理デバイス、個別ハードウェア構成要素などであり得ることを理解されたい。汎用プロセッサはマイクロプロセッサであり得るか、またはプロセッサは任意の従来のプロセッサなどであり得る。
【０２８２】
実装処理では、上記の方法の各ステップは、プロセッサ中のハードウェアの集積論理回路またはソフトウェアの形態での命令を使用することによって完了され得る。本出願の実施形態に関して開示される方法のステップは、ハードウェアプロセッサを使用して直接実行および完了され得るか、またはプロセッサ中のハードウェアとソフトウェアユニットとの組合せを使用することによって実行および完了され得る。ソフトウェアユニットは、ランダムアクセスメモリ、フラッシュメモリ、読取り専用メモリ、プログラマブル読取り専用メモリ、電気消去可能プログラマブルメモリ、またはレジスタなど、当技術分野において成熟した記憶媒体中に位置し得る。記憶媒体は、メモリ中に位置し、プロセッサは、メモリ中の命令を実行し、プロセッサのハードウェアと組み合わせて上記の方法中のステップを完了する。繰り返しを回避するために、詳細についてここで説明しない。
【０２８３】
本明細書における「および／または」という用語は、関連する対象物について説明するための関連関係について説明するにすぎず、３つの関係が存在し得ることを表すことを理解されたい。例えば、Ａおよび／またはＢは、以下の３つのケースを表し得る。Ａのみが存在する、ＡとＢとの両方が存在する、およびＢのみが存在する。さらに、本明細書における文字「／」は、概して、関連する対象物間の「または」の関係を示す。
【０２８４】
当業者は、本明細書に開示する実施形態において説明する例と組み合わせて、方法ステップおよびユニットが、電子ハードウェア、コンピュータソフトウェア、またはそれらの組合せによって実装され得ることに気づき得る。ハードウェアとソフトウェアとの間の互換性について明確に説明するために、上記は、概して、機能による各例のステップおよび構造について説明した。機能がハードウェアによって実施されるのか、またはソフトウェアによって実施されるのかは、特定の適用例および技術的ソリューションの設計制約条件に依存する。当業者は、特定の適用例ごとに説明する機能を実装するために異なる方法を使用し得るが、実装形態が本出願の範囲を越えると見なすべきではない。
【０２８５】
便宜的で簡単な説明のために、上記のシステム、装置、およびユニットの詳細な作業処理について、上記の方法実施形態における対応する処理が参照され得、詳細について、本明細書では説明しないことを当業者には明確に理解されよう。
【０２８６】
本出願において提供されるいくつかの実施形態では、開示されるシステム、装置、および方法は、他の方式で実装され得ることを理解されたい。例えば、説明した装置実施形態は、一例にすぎない。例えば、ユニット分割は、論理機能分割にすぎず、実際の実装形態では他の分割であり得る。例えば、複数のユニットまたは構成要素が別のシステムへと組み合わされる、もしくは統合されることがあり、または、いくつかの特徴は無視される、もしくは実行されないことがある。さらに、表示または説明した相互結合または直接結合または通信接続は、いくつかのインターフェースを通して実装され得、装置またはユニット間の間接結合または通信接続は、電気的接続、機械的接続、または他の形態の接続であり得る。
【０２８７】
別個の部分として説明したユニットは、物理的に別個であることもそうでないこともあり、ユニットとして表示した部分は、物理ユニットであることもそうでないこともあり、１つの位置に位置し得るか、または複数のネットワークユニット上に分散され得る。ユニットの一部または全部は、本出願の実施形態のソリューションの目的を達成するために実際の要求に従って選択され得る。
【０２８８】
加えて、本出願の実施形態における機能ユニットが１つの処理ユニットに統合され得るか、またはユニットの各々が物理的に単独で存在し得るか、または２つ以上のユニットが１つのユニットに統合される。統合されたユニットは、ハードウェアの形式で実装され得るか、またはソフトウェア機能ユニットの形態で実装され得る。
【０２８９】
統合されたユニットがソフトウェア機能ユニットの形態で実装され、独立の製品として販売または使用されるとき、統合されたユニットはコンピュータ可読記憶媒体に記憶され得る。そのような理解に基づいて、本出願の技術的な解決法が基本的に、または従来の技術に寄与する部分、または技術的な解決法のすべてもしくは一部が、ソフトウェア製品の形態で実装され得る。コンピュータソフトウェア製品は、記憶媒体に記憶され、本出願の実施形態で説明した方法のステップの全部または一部を実行するように（パーソナルコンピュータ、サーバ、ネットワークデバイス１１０などであり得る）コンピュータデバイスに命令するためのいくつかの命令を含む。記憶媒体は、ＵＳＢフラッシュドライブ、取外し可能なハードディスク、読取り専用メモリ（read-only memory、ＲＯＭ）、ランダムアクセスメモリ（random access memory、ＲＡＭ）、磁気ディスク、または光ディスクなどのプログラムコードを記憶することができるあらゆる媒体を含む。
【０２９０】
上記の説明は、本出願の特定の実施形態にすぎず、本出願の保護範囲を限定するものではない。本出願で開示される技術範囲内で当業者によって容易に想到されるいかなる等価の変更形態または置換形態も、本出願の保護範囲内に入るものである。したがって、本出願の保護範囲は、特許請求の範囲の保護範囲に従うものとする。
【図１】
2020512728.tif 000004
【図２】
2020512728.tif 000005
【図３】
2020512728.tif 000006
【図４】
2020512728.tif 000007
【図５】
2020512728.tif 000008
【図６】
2020512728.tif 000009
【図７】
2020512728.tif 000010
【図８】
2020512728.tif 000011
【図９】
2020512728.tif 000012
【図１０】
2020512728.tif 000013
【図１１】
2020512728.tif 000014
【図１２】
2020512728.tif 000015
【図１３】
2020512728.tif 000016
【図１４】
2020512728.tif 000017
【図１５】
2020512728.tif 000018
【図１６】
2020512728.tif 000019
【図１７】
2020512728.tif 000020
【図１８】
2020512728.tif 000021
【図１９】
2020512728.tif 000022
【図２０】
2020512728.tif 000023
【図２１】
2020512728.tif 000024
【図２２】
2020512728.tif 000025
【図２３】
2020512728.tif 000026
【図２４】
2020512728.tif 000027
【図２５】
2020512728.tif 000028
【図２６】
2020512728.tif 000029
【図２７】
2020512728.tif 000030
【図２８】
2020512728.tif 000031
【図２９】
2020512728.tif 000032
【図３０】
2020512728.tif 000033
【図３１】
2020512728.tif 000034
【図３２】
2020512728.tif 000035
【図３３】
2020512728.tif 000036
【図３４】
2020512728.tif 000037
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
ネットワークデバイスによって送信された指示情報を受信するように構成された、伝送ユニットであって、前記指示情報は、前記ネットワークデバイスとのデータ伝送を実行するために使用されるデータ分散方式を示すために使用され、前記データ分散方式は、同じ符号ブロックのデータの、少なくとも１つの時間領域シンボル上への分散を示すために使用される、伝送ユニットと、
前記指示情報に従って、前記データ分散方式を決定するように構成された、決定ユニットとを備え、
前記伝送ユニットは、
前記データ分散方式に基づいて、前記ネットワークデバイスとのデータ伝送を実行するようにさらに構成されたデータ伝送装置。
【請求項２】
前記データ分散方式は、インターリービングまたはインターリービングなしである請求項１に記載の装置。
【請求項３】
前記データ分散方式において、周波数領域マッピングが優先であり、その後、時間領域マッピングが実行され、インターリービングは実行されない請求項１に記載の装置。
【請求項４】
前記データ分散方式において、周波数領域マッピングが優先であり、その後、時間領域マッピングが実行され、インターリービングが、周波数領域において実行される請求項１に記載の装置。
【請求項５】
前記データ分散方式において、１つの符号ブロックにおいて、第１のデータの初期ロケーションインデックスｘ1と、第２のデータの初期ロケーションインデックスｘ2とが、ｘ1＜ｘ2を満たし、前記第１のデータの時間領域シンボルインデックスｎ1と、前記第２のデータの時間領域シンボルインデックスｎ2とが、ｎ1≦ｎ2を満たす請求項１に記載の装置。
【請求項６】
前記指示情報は、ダウンリンク制御情報ＤＣＩである請求項１乃至５のいずれか一項に記載の装置。
【請求項７】
端末デバイスとのデータ伝送を実行するために使用されるデータ分散方式を決定するように構成された、決定ユニットであって、前記データ分散方式は、同じ符号ブロックのデータの、少なくとも１つの時間領域シンボル上への分散を示すために使用される、決定ユニットと、
前記端末デバイスに指示情報を送信するように構成された、伝送ユニットであって、前記指示情報は、前記データ分散方式を示すために使用され、前記データ分散方式に基づいて、前記端末デバイスとのデータ伝送を実行するように構成された、伝送ユニットと
を備えたデータ伝送装置。
【請求項８】
前記データ分散方式は、インターリービングまたはインターリービングなしである請求項７に記載の装置。
【請求項９】
前記データ分散方式において、
周波数領域マッピングが優先であり、その後、時間領域マッピングが実行され、インターリービングが実行されず、または
周波数領域マッピングが優先であり、その後、時間領域マッピングが実行され、インターリービングが、周波数領域において実行される請求項７に記載の装置。
【請求項１０】
前記データ分散方式において、１つの符号ブロックにおいて、第１のデータの初期ロケーションインデックスｘ1と、第２のデータの初期ロケーションインデックスｘ2とが、ｘ1＜ｘ2を満たし、前記第１のデータの時間領域シンボルインデックスｎ1と、前記第２のデータの時間領域シンボルインデックスｎ2とが、ｎ1≦ｎ2を満たす請求項７に記載の装置。
【請求項１１】
前記指示情報は、ダウンリンク制御情報ＤＣＩである請求項７乃至１０のいずれか一項に記載の装置。
【請求項１２】
端末デバイスとのデータ伝送を実行するために使用されるデータ分散方式を、ネットワークデバイスによって、決定するステップであって、前記データ分散方式は、同じ符号ブロックのデータの、少なくとも１つの時間領域シンボル上への分散を示すために使用される、ステップと、
前記端末デバイスに指示情報を、前記ネットワークデバイスによって、送信するステップであって、前記指示情報は、前記データ分散方式を示すために使用される、ステップと、
前記データ分散方式に基づいて、前記端末デバイスとのデータ伝送を、前記ネットワークデバイスによって、実行するステップと
を備えるデータ伝送方法。
【請求項１３】
前記データ分散方式は、インターリービングまたはインターリービングなしである請求項１２に記載の方法。
【請求項１４】
前記データ分散方式において、周波数領域マッピングが優先であり、その後、時間領域マッピングが実行され、インターリービングは実行されず、または周波数領域マッピングが優先であり、その後、時間領域マッピングが実行され、インターリービングが、周波数領域において実行される請求項１２に記載の方法。
【請求項１５】
前記データ分散方式において、１つの符号ブロックにおいて、第１のデータの初期ロケーションインデックスｘ1と、第２のデータの初期ロケーションインデックスｘ2とが、ｘ1＜ｘ2を満たし、前記第１のデータの時間領域シンボルインデックスｎ1と、前記第２のデータの時間領域シンボルインデックスｎ2とが、ｎ1≦ｎ2を満たす請求項１２に記載の方法。
【請求項１６】
前記指示情報は、ダウンリンク制御情報ＤＣＩである請求項１２乃至１５のいずれか一項に記載の方法。
【請求項１７】
ネットワークデバイスによって送信された指示情報を、端末デバイスによって、受信するステップであって、前記指示情報は、前記端末デバイスによる前記ネットワークデバイスとのデータ伝送を実行するために使用されるデータ分散方式を示すために使用され、前記データ分散方式は、同じ符号ブロックのデータの、少なくとも１つの時間領域シンボル上への分散を示すために使用される、ステップと、
前記指示情報に従って、前記データ分散方式を、前記端末デバイスによって、決定するステップと、
前記データ分散方式に基づいて、前記ネットワークデバイスとのデータ伝送を、前記端末デバイスによって、実行するステップと
を備えるデータ伝送方法。
【請求項１８】
前記データ分散方式は、インターリービングまたはインターリービングなしである請求項１７に記載の方法。
【請求項１９】
前記データ分散方式において、周波数領域マッピングが優先であり、その後、時間領域マッピングが実行され、インターリービングは実行されない請求項１７に記載の方法。
【請求項２０】
前記データ分散方式において、周波数領域マッピングが優先であり、その後、時間領域マッピングが実行され、インターリービングが、周波数領域において実行される請求項１７に記載の方法。
【請求項２１】
前記データ分散方式において、１つの符号ブロックにおいて、第１のデータの初期ロケーションインデックスｘ1と、第２のデータの初期ロケーションインデックスｘ2とが、ｘ1＜ｘ2を満たし、前記第１のデータの時間領域シンボルインデックスｎ1と、前記第２のデータの時間領域シンボルインデックスｎ2とが、ｎ1≦ｎ2を満たす請求項１７に記載の方法。
【請求項２２】
前記指示情報は、ダウンリンク制御情報ＤＣＩである請求項１７乃至２１のいずれか一項に記載の方法。
【請求項２３】
送受信機と、
命令を記憶するように構成されたメモリと、
前記メモリ内に記憶された前記命令を実行し、前記送受信機を制御して、信号を送信および受信し、請求項１２乃至１６のいずれか一項に記載の方法または請求項１７乃至２２のいずれか一項に記載の方法を実行するように構成されたプロセッサと
を備えるデータ伝送装置。
【請求項２４】
請求項１２乃至１６のいずれか一項に記載の方法を実行し、または請求項１７乃至２２のいずれか一項に記載の方法を実行するように構成された回路。
【請求項２５】
請求項１２乃至１６のいずれか一項に記載の方法を実行し、または請求項１７乃至２２のいずれか一項に記載の方法を実行するための命令を含む、コンピュータプログラムを記憶するように構成されたコンピュータ可読媒体。
【手続補正２】
【補正対象書類名】明細書
【補正対象項目名】００５９
【補正方法】変更
【補正の内容】
【００５９】
第４の態様の上述の可能な実装を参照すると、第４の態様の第４の可能な実装においては、時間領域非集中化方式は、
同じ符号ブロックからのデータが、リソースユニット内のすべての時間領域シンボル上に非集中的に分散されることを示すために使用され、リソースユニットは、スケジュールされたユーザに対するリソース割り当てを実行するために使用される基本ユニットである、第１の時間領域非集中化方式と、
同じ符号ブロックからのデータが、リソースユニット内の同じスロットのすべての時間領域シンボル上に非集中的に分散されることを示すために使用される、第２の時間領域非集中化方式と、
同じ符号ブロックからのデータが、リソースユニット内のＮ個の時間領域シンボル上に非集中的に分散されることを示すために使用され、Ｎは、１よりも大きい整数である、第３の時間領域非集中化方式と
を含む。
【手続補正３】
【補正対象書類名】明細書
【補正対象項目名】０１６６
【補正方法】変更
【補正の内容】
【０１６６】
同様に、時間領域マッピングを優先的に実行し、その後、周波数領域マッピングを実行する方式においては、優先的な実行は、時間シーケンスを参照しない。代わりに、１つまたは複数の符号ブロックのデータの分散が、時間−周波数リソース上に配置されるとき、いくつかの時間領域シンボル上における同じ周波数を有するサブキャリアの１つのグループが、優先的に占有され、その後、いくつかの時間領域シンボル上における周波数領域において連続するサブキャリアの次のグループが、占有される。図２６に示されるように、図におけるＭ、Ｎ、Ｔ、Ｙ、Ｗ、Ｖは、すべて、正の整数である。図２６においては、符号ブロックの間に、インターリービングは、存在しない。複数の符号ブロックは、複数の時間領域シンボル上の、同じ周波数を有するサブキャリアのグループ上に、順番に、優先的に配置される。この実施形態においては、全部でＭ＋１個の時間領域シンボルが、存在する。サブキャリアの第１のグループが、優先的に完全に満たされた後、続いて、残りの符号ブロックが、Ｍ＋１個の時間領域シンボル上の、周波数領域において連続するサブキャリアの次のグループ上に、順番に、配置される。
【手続補正４】
【補正対象書類名】明細書
【補正対象項目名】０１６８
【補正方法】変更
【補正の内容】
【０１６８】
時間領域集中化された分散方式１および２以外のすべての組合せ方式は、時間領域非集中化された分散方式と呼ばれる。特に、周波数領域マッピングを優先的に実行し、その後、時間領域マッピングを実行する方式が使用され、その後、時間領域インターリービングが使用される場合、それは、時間領域非集中化された分散方式１を示す。図２６に示されるように、図におけるＭ、Ｎ、Ｔ、Ｙ、Ｗ、Ｖは、すべて、正の整数である。図２６においては、符号ブロックの間に、インターリービングは存在しない。複数の符号ブロックは、複数の時間領域シンボル上の、同じ周波数を有するサブキャリアのグループ上に、順番に、優先的に配置される。この実施形態においては、全部でＭ＋１個の時間領域シンボルが存在する。サブキャリアの第１のグループが、優先的に完全に満たされた後、続いて、残りの符号ブロックが、Ｍ＋１個の時間領域シンボル上の、周波数領域において連続するサブキャリアの次のグループ上に、順番に、配置される。時間−周波数インターリービング方式が、その後、使用される場合、それは、時間領域非集中化された分散方式を示す。周波数領域マッピングを優先的に実行し、その後、時間領域マッピングを実行する方式が使用され、時間−周波数インターリービングが実行される場合、それは、時間領域非集中化された分散方式２を示す。時間領域マッピングを優先的に実行し、その後、周波数領域マッピングを実行する方式が使用され、インターリービングが実行されない場合、それは、時間領域非集中化された分散方式３を示す。時間領域マッピングを優先的に実行し、その後、周波数領域マッピングを実行する方式が使用され、周波数領域インターリービングが実行される場合、それは、時間領域非集中化された分散方式４を示す。時間領域マッピングを優先的に実行し、その後、周波数領域マッピングを実行する方式が使用され、時間領域インターリービングが実行される場合、それは、時間領域非集中化された分散方式５を示す。時間領域マッピングを優先的に実行し、その後、周波数領域マッピングを実行する方式が使用され、時間−周波数インターリービングが実行される場合、それは、時間領域非集中化された分散方式６を示す。
【国際調査報告】
2020512728.tif 000038
2020512728.tif 000039
2020512728.tif 000040
2020512728.tif 000041